(57)【要約】【課題】  特典遊技において遊技者を十分に楽しませることが出来る、新規な構造のパチンコ機を提供することを目的とする。【解決手段】  可変入賞装置制御手段によって次に入賞可能状態にされる可変入賞装置４８が、次回入賞可能報知手段により、可変入賞装置制御手段によって可変入賞装置４８が入賞可能状態とされている際に遊技者に報知されるようにした。【選択図】      図１３
2005334507.tif 000002
【特許請求の範囲】
【請求項１】
予め定められた抽選条件が成立することに応じて特典遊技を可能にするか否かを抽選する特典抽選手段と、
該特典抽選手段による抽選結果を遊技者に報知するための抽選結果報知装置と、
該抽選結果報知装置において該特典抽選手段による抽選結果が特典遊技を可能にするものであることが報知された場合に遊技球の入賞が可能となる可変入賞装置と、
該可変入賞装置に設定された遊技球が入賞可能となる期間を規定する入賞可能条件に基づいて該可変入賞装置を遊技球が入賞可能な入賞可能状態にすると共に、該可変入賞装置における入賞可能状態を複数回に亘って連続的に生ぜしめる可変入賞装置制御手段と、
該可変入賞装置に設定されている遊技球が入賞した際に払い出す賞球の数を規定する賞球払出条件に基づいて該可変入賞装置に遊技球が入賞した際に賞球を払い出す賞球払出手段を備えたパチンコ機において、
前記可変入賞装置を複数設けて、それら複数の可変入賞装置に設定されている前記入賞可能条件および前記賞球払出条件を含んで構成された装置条件が互いに異なるようにする一方、
前記可変入賞装置制御手段によって該可変入賞装置が入賞可能状態とされる回数が少なくとも２回ある場合において、如何なる順序で該可変入賞装置を入賞可能状態にするかを規定した入賞可能順序情報を複数種類設けると共に、
予め定められた更新条件が成立する毎に情報選択用数値データを更新する情報選択用数値データ変更手段と、
所定の抽出条件の成立に応じて該情報選択用数値データを抽出する情報選択用数値データ抽出手段と、
該情報選択用数値データ抽出手段によって抽出された該情報選択用数値データを用いて、該入賞可能順序情報を選択して決定する順序情報選択手段を設けて、
該順序情報選択手段によって選択された該入賞可能順序情報に基づいて該可変入賞装置制御手段が前記可変入賞装置を入賞可能状態とするようにすると共に、
該可変入賞装置制御手段によって最初に入賞可能状態とされる該可変入賞装置を、該抽選結果報知装置において該特典抽選手段の抽選結果が特典遊技を可能にするものであることが報知されてから該可変入賞装置制御手段によって該可変入賞装置が入賞可能状態にされるまでの間において遊技者に報知する初回入賞可能報知手段と、
該可変入賞装置制御手段によって該可変入賞装置が入賞可能状態とされる回数が少なくとも２回ある場合には、該可変入賞装置制御手段によって次に入賞可能状態にされる該可変入賞装置を、該可変入賞装置制御手段によって該可変入賞装置が入賞可能状態とされている際に遊技者に報知する次回入賞可能報知手段とを、備えるようにしたことを特徴とするパチンコ機。
【請求項２】
前記順序情報選択手段によって選択された前記入賞可能順序情報に基づいて前記可変入賞装置制御手段が前記可変入賞装置を入賞可能状態とする際において、先に入賞可能状態とされた該可変入賞装置に設定されている前記装置条件よりも遊技者にとって有利な有利装置条件が設定されている該可変入賞装置が入賞可能状態とされた場合、該有利装置条件よりも遊技者にとって不利な装置条件が設定されている該可変入賞装置が入賞可能状態とされないようにした請求項１に記載のパチンコ機。
【請求項３】
前記初回入賞可能報知手段および前記次回入賞可能報知手段のそれぞれが前記抽選結果報知装置を含んで構成されており、前記可変入賞装置制御手段によって次に入賞可能状態とされる前記可変入賞装置が該抽選結果報知装置を通じて遊技者に報知されるようにした請求項１又は２に記載のパチンコ機。
【発明の詳細な説明】
【技術分野】
【０００１】
本発明は、特定の遊技状態下で遊技球が入賞可能となる可変入賞装置を備えたパチンコ機に係り、特に、かかる可変入賞装置を複数備えたパチンコ機に関するものである。
【背景技術】
【０００２】
従来から、パチンコ機における遊技は、遊技者が発射ハンドルに組み付けられた発射レバーを回動操作して遊技領域に向けて遊技球を発射することで行われるようになっており、遊技領域に向けて発射された遊技球が遊技領域に設けられた始動入賞装置に入賞すると、遊技者にとって有利な特典を付与するか否かの抽選が行われ、かかる抽選の結果が液晶表示器等を通じて遊技者に報知されるようになっている。そして、抽選の結果が遊技者にとって有利な特典を付与するものである場合には、遊技領域に設けられた可変入賞装置が、遊技球を受け入れることが可能な状態（遊技球が入賞可能な状態）に変化せしめられるようになっており、それによって、遊技者は、可変入賞装置に入賞させるために可変入賞装置に向けて遊技球を発射する遊技（以下、特典遊技と称する）をすることが可能となる。
【０００３】
ところで、近年のパチンコ機においては、例えば、特許文献１に記載されているように、可変入賞手段を複数備えており、それら複数の可変入賞手段の何れが開放せしめられるかを、先に開放されていた可変入賞手段が閉鎖されてから次に可変入賞手段が開放されるまでの間（以下、インターバル期間と称する）において、遊技者に報知するようにしたものが提案されている。
【０００４】
しかしながら、上述のパチンコ機においては、インターバル期間において次に開放せしめられる可変入賞手段の報知が行われるようになっていることから、遊技者を楽しませるとう点において、十分でない。即ち、インターバル期間において次に開放せしめられる可変入賞手段を報知するようにした場合、特典遊技の進行を妨げないようにするには、インターバル期間を出来るだけ短く設定する必要がある。しかしながら、このようにインターバル期間を短く設定すると、ただ単に次に開放せしめられる可変入賞手段を報知するだけとなって、非常に味気ないものになってしまい、その結果、遊技者を十分に楽しませることが難しいという問題がある。
【０００５】
【特許文献１】特開２００３−２４５４２０号公報
【発明の開示】
【発明が解決しようとする課題】
【０００６】
ここにおいて、本発明は、上述の如き事情を背景として為されたものであり、その解決課題とするところは、特典遊技において遊技者を十分に楽しませることが出来る、新規な構造のパチンコ機を提供することにある。
【課題を解決するための手段】
【０００７】
以下、このような課題を解決するために為された本発明の態様を記載する。なお、以下に記載の各態様において採用される構成要素は、可能な限り任意の組み合わせで採用可能である。また、本発明の態様乃至は技術的特徴は、以下に記載のものに限定されることなく、明細書全体に記載されたもの、或いはそれらの記載から当業者が把握することができる発明思想に基づいて認識されるものであることが理解されるべきである。
【０００８】
本発明の第一の態様は、予め定められた抽選条件が成立することに応じて特典遊技を可能にするか否かを抽選する特典抽選手段と、該特典抽選手段による抽選結果を遊技者に報知するための抽選結果報知装置と、該抽選結果報知装置において該特典抽選手段による抽選結果が特典遊技を可能にするものであることが報知された場合に遊技球の入賞が可能となる可変入賞装置と、該可変入賞装置に設定された遊技球が入賞可能となる期間を規定する入賞可能条件に基づいて該可変入賞装置を遊技球が入賞可能な入賞可能状態にすると共に、該可変入賞装置における入賞可能状態を複数回に亘って連続的に生ぜしめる可変入賞装置制御手段と、該可変入賞装置に設定されている遊技球が入賞した際に払い出す賞球の数を規定する賞球払出条件に基づいて該可変入賞装置に遊技球が入賞した際に賞球を払い出す賞球払出手段を備えたパチンコ機において、前記可変入賞装置を複数設けて、それら複数の可変入賞装置に設定されている前記入賞可能条件および前記賞球払出条件を含んで構成された装置条件が互いに異なるようにする一方、前記該可変入賞装置制御手段によって該可変入賞装置が入賞可能状態とされる回数が少なくとも２回ある場合において、如何なる順序で該可変入賞装置を入賞可能状態にするかを規定した入賞可能順序情報を複数種類設けると共に、予め定められた更新条件が成立する毎に情報選択用数値データを更新する情報選択用数値データ変更手段と、所定の抽出条件の成立に応じて該情報選択用数値データを抽出する情報選択用数値データ抽出手段と、該情報選択用数値データ抽出手段によって抽出された該情報選択用数値データを用いて、該入賞可能順序情報を選択して決定する順序情報選択手段を設けて、該順序情報選択手段によって選択された該入賞可能順序情報に基づいて前記可変入賞装置制御手段が前記可変入賞装置を入賞可能状態とするようにすると共に、該可変入賞装置制御手段によって最初に入賞可能状態とされる該可変入賞装置を、該抽選結果報知装置において該特典抽選手段の抽選結果が特典遊技を可能にするものであることが報知されてから該可変入賞装置制御手段によって該可変入賞装置が入賞可能状態にされるまでの間において遊技者に報知する初回入賞可能報知手段と、該可変入賞装置制御手段によって該可変入賞装置が入賞可能状態とされる回数が少なくとも２回ある場合には、該可変入賞装置制御手段によって次に入賞可能状態にされる該可変入賞装置を、該可変入賞装置制御手段によって該可変入賞装置が入賞可能状態とされている際に遊技者に報知する次回入賞可能報知手段とを、備えるようにしたことを、特徴とする。
【０００９】
このような本態様に従う構造とされたパチンコ機においては、順序情報選択手段によって決定された入賞可能順序情報に基づいて可変入賞装置制御手段が可変入賞装置を入賞可能状態にするようになっている。
【００１０】
そこにおいて、本態様に係るパチンコ機では、可変入賞装置制御手段によって次に入賞可能状態にされる可変入賞装置が、次回入賞可能報知手段により、可変入賞装置制御手段によって可変入賞装置が入賞可能状態とされている際に遊技者に報知されるようになっていることから、次に入賞可能状態とされる可変入賞装置の報知に対して、十分な時間を確保することが可能となる。
【００１１】
すなわち、特典遊技をテンポ良く進行させるためには、全ての可変入賞装置が入賞可能状態とされていない期間を出来るだけ短くする必要があり、このように可変入賞装置の全てが入賞可能状態とされていない期間において、次に入賞可能状態とされる可変入賞装置を遊技者に報知しようとすると、報知開始から報知終了までの時間を有利に確保することができず、ただ単に、次に入賞可能状態とされる可変入賞装置を報知するだけになってしまい、かかる報知が味気ないものになってしまうおそれがある。
【００１２】
しかしながら、本態様のパチンコ機では、次に入賞可能状態とされる可変入賞装置の報知が、可変入賞装置が入賞可能状態とされている間に行われるようになっていることから、ただ単に、次に入賞可能状態とされる可変入賞装置を報知するだけでなく、次に入賞可能状態とされる可変入賞装置を報知するまでの過程に対して遊技者の興味を惹きつけるような演出を行うことが可能となり、それによって、パチンコ機で遊技をする際の醍醐味である特典抽選手段による抽選結果が報知されるまでの過程において味わうことが出来る興奮と同様なものを、特典遊技中においても、遊技者は味わうことが可能となり、その結果、遊技者に遊技をする楽しみを与えることが可能となる。
【００１３】
また、本態様においては、可変入賞装置制御手段によって最初に入賞可能状態とされる可変入賞装置が、初回入賞可能報知手段により、抽選結果報知装置において特典抽選手段の抽選結果が特典遊技を可能にするものであることが報知されてから可変入賞装置制御手段によって可変入賞装置が入賞可能状態とされるまでの間において、遊技者に報知されるようになっていることから、特典遊技において最初に入賞可能状態とされる可変入賞装置の報知に十分な時間を確保することが可能となり、その結果、これから始まる特典遊技への期待感を十分に高めてから、特典遊技を始めさせることが可能となる。
【００１４】
特に、本態様のパチンコ機においては、複数の可変入賞装置に設定されている入賞可能条件および賞球払出条件を含んで構成された装置条件が互いに異なるように設定されていることから、何れの可変入賞装置が入賞可能状態とされるかということに関して、遊技者の興味を一層惹きつけることが可能となる。
【００１５】
なお、本態様における特典抽選手段，可変入賞装置制御手段，賞球払出制御手段，情報選択用数値データ変更手段，情報選択用数値データ抽出手段，順序情報選択手段，初回入賞可能報知手段，次回入賞可能報知手段は、それぞれ、例えば、ＣＰＵが制御プログラムに従って所定の制御処理を実行すること等によって有利に実現される。
【００１６】
また、本態様における抽選条件とは、遊技者が遊技をすることによって成立させることが可能な条件であれば、特に限定されることなく、例えば、特定の領域を遊技球が通過すること等によって、有利に構成される。
【００１７】
さらに、本態様における入賞可能条件とは、可変入賞装置において遊技球が入賞可能となる期間を規定するものであれば、特に限定されるものではなく、例えば、遊技球が入賞可能とされてから遊技球が入賞不可能とされるまでの最大入賞可能時間であっても良いし、かかる最大入賞可能時間が経過するまでに遊技球を入賞不可能にするための契機となる遊技球の数等によって有利に構成される。そこにおいて、本態様では、このような入賞可能条件は、ただ一つの条件のみによって構成されていても良いし、或いは、複数の条件のうち何れか一つが満たされることによって構成されていても良い。
【００１８】
また、本態様における賞球払出条件とは、例えば、可変入賞装置に遊技球が一個入賞する毎に払い出される賞球の数等によって有利に構成される。
【００１９】
更にまた、本態様において、装置条件が異なるとは、入賞可能条件と賞球払出条件の少なくとも一方が異なっていることをいう。
【００２０】
更にまた、本態様における更新条件とは、例えば、特定の周期毎に満たされるものであることが望ましく、例えば、ＣＰＵに対して制御プログラムに従った制御処理を開始させるための割り込み信号が入力されること等によって有利に構成される。
【００２１】
また、本態様における抽出条件とは、例えば、ＣＰＵが所定の制御処理を実行すること等によって有利に構成される。
【００２２】
本発明の第二の態様は、前記第一の態様に係るパチンコ機において、前記順序情報選択手段によって選択された前記入賞可能順序情報に基づいて前記可変入賞装置制御手段が前記可変入賞装置を入賞可能状態とする際において、先に入賞可能状態とされた該可変入賞装置に設定されている前記装置条件よりも遊技者にとって有利な有利装置条件が設定されている該可変入賞装置が入賞可能状態とされた場合、該有利装置条件よりも遊技者にとって不利な装置条件が設定されている該可変入賞装置が入賞可能状態とされないようにしたことを、特徴とする。このような本態様に従う構造とされたパチンコ機においては、今回の特典遊技において、一度でも有利装置条件が設定された可変入賞装置が入賞可能状態とされた場合には、それ以降、有利装置条件よりも遊技者にとって不利な装置条件が設定されている可変入賞装置が入賞可能状態とされないようになっていることから、遊技者に損をしたという印象を与え難くすることが可能となり、それによって、遊技者に遊技をする楽しみを与えることが可能となる。
【００２３】
なお、本態様において、有利な装置条件とは、入賞可能条件と賞球払出条件のうち入賞可能条件のみが異なっている場合には、入賞可能条件が遊技者にとって有利なものをいい、入賞可能条件と賞球払出条件のうち賞球払出条件のみが異なっている場合には、賞球払出条件が遊技者にとって有利なものをいい、入賞可能条件と賞球払出条件の何れもが異なっている場合には、賞球払出条件が遊技者にとって有利なものをいう。
【００２４】
本発明の第三の態様は、前記第一又は第二の態様に係るパチンコ機において、前記初回入賞可能報知手段および前記次回入賞可能報知手段のそれぞれが前記抽選結果報知装置を含んで構成されており、前記可変入賞装置制御手段によって次に入賞可能状態とされる前記可変入賞装置が該抽選結果報知装置を通じて遊技者に報知されるようにしたことを、特徴とする。
【発明の効果】
【００２５】
上述の説明から明らかなように、本発明に従う構造とされたパチンコ機においては、次に入賞可能状態とされる可変入賞装置の報知に対して、十分な時間を確保することが可能となり、それによって、次に入賞可能状態とされる可変入賞装置が報知されるまでの過程において、様々な工夫を施すことが可能となり、その結果、特典遊技中においても、パチンコ遊技の醍醐味を遊技者が味わうことが出来るようになり、遊技者に遊技をする楽しみを与えることが可能となる。
【発明を実施するための最良の形態】
【００２６】
以下、本発明を更に具体的に明らかにするために、本発明の実施形態について、図面を参照しつつ、詳細に説明する。
【００２７】
図１には、本発明の第一の実施形態としてのパチンコ機１０が示されている。パチンコ機１０において機体の外郭をなす外枠１２の開口前面側には、縦長方形の中枠１４が開閉および着脱自在に組み付けられている。中枠１４の前面には、中枠１４に対して着脱自在に組み付けられた遊技盤１６を透視保護するためのガラス板が保持されたガラス枠１８と、上皿２０を備えた皿板２２が、何れも、開閉可能な状態で組み付けられている。また、上皿２０の下方には、下皿２４が設けられており、かかる下皿２４の右方には、発射ハンドル２６が設けられている。そして、遊技者が発射ハンドル２６に対して回動操作可能に装着された発射レバー２８を回動操作することにより、上皿２０に貯留された遊技球が球送り機構（図示せず）を介して発射装置（図示せず）に送られた後、遊技盤１６に形成された遊技領域３２（後述する）に向けて発射されるようになっている。
【００２８】
続いて、パチンコ機１０の遊技盤１６の構造について説明する。遊技盤１６には、ガイドレール３０で囲まれた略円形の遊技領域３２が形成されている。なお、図面上では明示されていないが、かかる遊技領域３２には、従来から良く知られているように、遊技釘や風車等が設けられている。また、遊技領域３２の略中央には、抽選結果報知装置としての液晶表示器３４が取り付けられている。この液晶表示器３４の表示画面には、左特別図柄３６，中特別図柄３８および右特別図柄４０がそれぞれ変動表示および停止表示されるようになっている。そこにおいて、本実施形態では、これら三つの特別図柄３６，３８，４０は、何れも、「０」〜「９」までの数字図柄によって構成されており、液晶表示器３４の表示画面の上側から下側にスクロール表示されるようになっていると共に、「９」が表示された後は、「０」が表示されるようになっている。また、本実施形態では、これら三つの特別図柄３６，３８，４０は、一斉に変動表示が開始されるようになっている一方、左特別図柄３６，右特別図柄４０，中特別図柄３８の順番で停止表示されるようになっている。なお、本実施形態における変動表示とは、特別図柄３６，３８，４０の停止図柄が確定していないように認識される表示状態をいい、例えば、特別図柄３６，３８，４０がスクロール表示されている状態等をいう。また、本実施形態における停止表示とは、特別図柄３６，３８，４０の停止図柄が確定したように認識される表示状態をいい、例えば、特別図柄３６，３８，４０のスクロール表示が終了して、停止図柄で止まっている状態等をいう。
【００２９】
そして、液晶表示器３４において、特別図柄３６，３８，４０の変動表示が一斉に開始されて、左特別図柄３６，右特別図柄４０，中特別図柄３８の順番で停止表示されていった後、左特別図柄３６，中特別図柄３８および右特別図柄４０の停止図柄が互いに同じとなっている等、特別図柄３６，３８，４０が予め定められた停止表示態様で停止表示されることにより、遊技者に対して後述する特典遊技としての大当たり遊技が可能になったことが報知されるようになっている。特に、本実施形態では、左特別図柄３６，中特別図柄３８および右特別図柄４０の停止図柄が全て同じである場合が、大当たり遊技が可能になったことを遊技者に報知する大当たり図柄組み合わせとなっている一方、左特別図柄３６と中特別図柄３８の停止図柄が同じでない場合が、大当たり遊技が可能とならないことを遊技者に報知するハズレ図柄組み合わせとなっている。そこにおいて、ハズレ図柄組み合わせのうち左特別図柄３６と右特別図柄４０の停止図柄が同じとされているものをリーチハズレ図柄組み合わせといい、左特別図柄３６と右特別図柄４０の停止図柄が異なっているものを完全ハズレ図柄組み合わせという。なお、以下の説明において、「大当たりの場合」とは、特別図柄３６，３８，４０が大当たり図柄組み合わせで停止表示される場合をいい、「リーチハズレの場合」とは、特別図柄３６，３８，４０がリーチハズレ図柄組み合わせで停止表示される場合といい、「完全ハズレの場合」とは、特別図柄３６，３８，４０が完全ハズレ図柄組み合わせで停止表示される場合をいうものとする。
【００３０】
また、液晶表示器３４の下方には、始動入賞装置４２が設けられており、かかる始動入賞装置４２内には、入賞した遊技球を遊技盤１６の裏側に排出するための球通路上において近接スイッチによって構成された始動入賞スイッチ４４（図５参照）が配設されている。そして、始動入賞装置４２に遊技球が入賞すると、始動入賞スイッチ４４が遊技球の通過を検出して電気信号（検出信号）を出力するようになっている。
【００３１】
更にまた、本実施形態では、始動入賞スイッチ４４が遊技球の通過を検出する毎に５個の賞球が払い出されるようになっている。
【００３２】
さらに、特別図柄３６，３８，４０が変動表示されている最中等において、遊技球が始動入賞装置４２に入賞した場合には、特別図柄３６，３８，４０の変動表示が最高４回まで保留されるようになっており、この保留された変動表示の回数が液晶表示器３４の上方に設けられた保留ＬＥＤ４６の発光を通じて遊技者に報知されるようになっている。
【００３３】
更にまた、遊技領域３２には、可変入賞装置としての特別可変入賞装置４８が二つ設けられている。そこにおいて、本実施形態では、これら二つの特別可変入賞装置４８，４８は、互いに同じ構造とされている。具体的には、本実施形態の特別可変入賞装置４８は、図２乃至４に示されているように、液晶表示器３４において特別図柄３６，３８，４０が大当たり図柄組み合わせで停止表示された場合において、ソレノイド５０への通電に基づいて開閉作動せしめられる扉５２を備えた構造とされており、扉５２が開いた状態でのみ遊技球の入賞が可能とされている。このことから明らかなように、本実施形態では、「可変入賞装置を遊技球が入賞可能な入賞可能状態にする」とは、特別可変入賞装置４８を扉５２が開いた状態にすることをいう。
【００３４】
なお、以下の説明において、「特別可変入賞装置４８を開放する」とは、特別可変入賞装置４８の扉５２を開いた状態にして、遊技球の入賞を可能にすることをいうものとし、「特別可変入賞装置４８を閉鎖する」とは、特別可変入賞装置４８の扉５２を閉じた状態にして、遊技球の入賞を不可能にすることをいうものとする。
【００３５】
また、特別可変入賞装置４８内には、入賞した遊技球を遊技盤１６の裏側に排出するための球通路が一つ形成されており、かかる球通路上において、従来から公知の近接スイッチによって構成されたカウントスイッチ５４が配設されている。そして、カウントスイッチ５４は、入賞した遊技球の通過を検出すると、電気信号（検出信号）を出力するようになっている。
【００３６】
このような構造とされた特別可変入賞装置４８は、始動入賞装置４２の下方と液晶表示器３４の右斜め下方に位置せしめられるようにして、それぞれ、遊技領域３２に設けられている。
【００３７】
そこにおいて、本実施形態では、始動入賞装置４２の下方に位置せしめられた特別可変入賞装置４８（以下、第一の特別可変入賞装置５６と称する）に設定されている、遊技球が入賞可能な状態を規定する入賞可能条件と、液晶表示器３４の右斜め下方に位置せしめられた特別可変入賞装置４８（以下、第二の特別可変入賞装置５８と称する）に設定されている入賞可能条件が、互いに異なるように設定されている。この入賞可能条件とは、本実施形態では、扉５２が一回開作動せしめられた際の最大開作動時間、即ち、特別可変入賞装置４８の一回の開放状態が維持される最大開放維持時間と、扉５２の一回の開作動を最大開作動時間が経過するまでに終了せしめるために必要なカウントスイッチ５４が検出する遊技球の数、即ち、特別可変入賞装置４８の一回の開放状態を最大開放維持時間が経過するまでに終了せしめるために必要なカウントスイッチ５４が検出する遊技球の数によって規定されている。
【００３８】
具体的には、本実施形態では、第一の特別可変入賞装置５６において、第一の特別可変入賞装置５６に組み付けられた扉５２（以下、第一の扉６０と称する）の一回の最大開作動時間が３０秒，第一の扉６０の一回の開作動を最大開作動時間が経過するまでに終了せしめるために必要な第一の可変入賞装置５６内に形成された球通路上に設けられたカウントスイッチ５４（以下、第一のカウントスイッチ６２と称する）が検出する遊技球の数が１５個に設定されている一方、第二の特別可変入賞装置５８において、第二の特別可変入賞装置５８に組み付けられた扉５２（以下、第二の扉６４と称する）の一回の最大開作動時間が３０秒，第二の扉６４の一回の開作動を最大開作動時間が経過するまでに終了せしめるために必要な第二の可変入賞装置５８内に形成された球通路上に設けられたカウントスイッチ５４（以下、第二のカウントスイッチ６６と称する）が検出する遊技球の数が８個に設定されている。
【００３９】
また、本実施形態では、第一のカウントスイッチ６２が遊技球の通過を検出する毎に賞球が払い出されるようになっており、その数は１５個に設定されている。更にまた、本実施形態では、第二のカウントスイッチ６６が遊技球の通過を検出する毎に賞球が払い出されるようになっており、その数は１５個に設定されている。即ち、本実施形態では、第一の特別可変入賞装置５６および第二の特別可変入賞装置５８のそれぞれに対して、カウントスイッチ５４が遊技球を検出する毎に１５個の賞球を払い出すという賞球払出条件が設定されているのである。
【００４０】
そして、本実施形態では、上述の入賞可能条件と賞球払出条件によって装置条件が構成されており、入賞可能条件が異なっていることによって、装置条件が異なっている。そこにおいて、本実施形態では、第一の特別可変入賞装置５６に設定されている装置条件のほうが、一回の開放において入賞可能な遊技球の数の上限が大きく設定されていることにより、第二の特別可変入賞装置５８に設定されている装置条件よりも遊技者にとって有利に設定されている。
【００４１】
次に、パチンコ機１０の遊技動作を制御する主制御回路６８の構成について、図５に基づいて説明する。図５に示すように、主制御回路６８には、主制御回路６８の全体を制御する主制御ＣＰＵ７０と、制御プログラムや各種制御処理に必要なデータ等が記憶された主制御ＲＯＭ７２と、各種処理データ等を記憶する主制御ＲＡＭ７４と、入力回路７６と、出力回路７８が設けられており、これらはバス線８０によって相互に接続されている。また、主制御ＣＰＵ７０には、主制御ＣＰＵ７０に後述する主制御側の遊技処理を実行させるための契機となるクロック信号を所定周期（例えば、４ｍｓ）で出力するクロック回路８２が接続されている。なお、主制御回路６８は、一つの基板上に形成されるようになっており、かかる主制御回路６８が形成された基板は、基板収容ケースに収容せしめられるようになっている。そして、主制御回路６８が形成された基板が収容せしめられている基板収容ケースは、パチンコ機１０の裏側の適当な位置に配設されるようになっている。
【００４２】
さらに、入力回路７６には、始動入賞スイッチ４４，第一のカウントスイッチ６２，第二のカウントスイッチ６６等が接続されている。更にまた、出力回路７８には、主制御ＣＰＵ７０からの制御信号に基づいて液晶表示器３４における特別図柄３６，３８，４０の変動および停止表示等を行う表示制御回路８４，第一の特別可変入賞装置５６に設けられたソレノイド５０（以下、第一のソレノイド８６と称する）を駆動するための第一のソレノイド駆動回路８８，第二の特別可変入賞装置５８に設けられたソレノイド５０（以下、第二のソレノイド９０と称する）を駆動するための第二のソレノイド駆動回路９２，保留ＬＥＤ４６を発光制御するための保留ＬＥＤ制御回路９４，パチンコ機１０の裏側に設けられた賞球払出モータ９３を駆動するための賞球払出制御回路９５等が接続されており、表示制御回路８４に対して液晶表示器３４が、第一のソレノイド駆動回路８８に対して第一のソレノイド８６が、第二のソレノイド駆動回路９２に対して第二のソレノイド９０が、保留ＬＥＤ制御回路９４に対して保留ＬＥＤ４６が、賞球払出制御回路９５に対して賞球払出モータ９３が、それぞれ、接続されている。そこにおいて、賞球払出モータ９３は、パチンコ機１０の裏側に設けられた賞球タンクと上皿２０を連通する球誘導路上に設けられており、賞球払出モータ９３に電源が供給されて、その回転軸が所定角度回転する毎に、賞球払出モータ９３の回転軸に固定されたスクリューによって遊技球（賞球）を一個ずつ払い出すものである。このようにして払い出された賞球は、上皿２０に貯留されるようになっている。なお、上皿２０が満杯の場合には、払い出された賞球は下皿２４に貯留されるようになっている。
【００４３】
そして、主制御ＣＰＵ７０は、クロック回路８２からクロック信号が入力された場合に、主制御ＲＯＭ７２に記憶されているパラメータや制御プログラムに従って、後述する主制御側の遊技処理を実行するようになっており、それによって、入力回路７６を通って入力される入力信号等に基づいて各種制御信号を生成し、それら各種制御信号を出力回路７８を通して表示制御回路８４や第一のソレノイド駆動回路８８，第二のソレノイド駆動回路９２，保留ＬＥＤ制御回路９４，賞球払出制御回路９５等に出力するようになっている。なお、入力回路７６は、外部から入力されたアナログ信号等をデジタル信号に変換して出力する回路である。また、出力回路７８は、主制御ＣＰＵ７０によって生成された各種制御信号を他の制御回路８４，８８，９２，９４，９５に向けて出力するための回路である。
【００４４】
主制御ＲＡＭ７４には、クロック回路８２から入力されるクロック信号に基づいて「０」〜「２９９」まで繰り返し１ずつ加算した数値（最大値「２９９」の次は、「０」に戻る）が格納される大当たり判定カウンタ９６，クロック回路８２から入力されるクロック信号に基づいて「０」〜「９」まで繰り返し１ずつ加算した数値（最大値「９」の次は、「０」に戻る）が格納されるリーチハズレ判定カウンタ９８，クロック回路８２から入力されるクロック信号に基づいて「０」〜「１６」まで繰り返し１ずつ加算した数値（最大値「１６」の次は、「０」に戻る）が格納される装置選択カウンタ１００，クロック回路８２から入力されるクロック信号に基づいて「０」〜「９」まで繰り返し１ずつ加算した数値（最大値「９」の次は、「０」に戻る）が格納される大当たり図柄カウンタ１０２，クロック回路８２から入力されるクロック信号に基づいて「０」〜「９」まで繰り返し１ずつ加算した数値（最大値「９」の次は、「０」に戻る）が格納される左図柄カウンタ１０４，左図柄カウンタ１０４が一周する毎に「０」〜「９」まで繰り返し１ずつ加算した数値（最大値「９」の次は、「０」に戻る）が格納される中図柄カウンタ１０６，中図柄カウンタ１０６が一周する毎に「０」〜「９」まで繰り返し１ずつ加算した数値（最大値「９」の次は、「０」に戻る）が格納される右図柄カウンタ１０８，クロック回路８２から入力されるクロック信号に基づいて「０」〜「９」まで繰り返し１ずつ加算した数値（最大値「９」の次は、「０」に戻る）が格納される変動パターンカウンタ１１０が設けられている。
【００４５】
また、主制御ＲＡＭ７４には、後述するカウンタ値記憶エリア１４２のうち、一組のカウンタ値（大当たり判定カウンタ９６のカウンタ値，リーチハズレ判定カウンタ９８のカウンタ値，装置選択カウンタ１００のカウンタ値，大当たり図柄カウンタ１０２のカウンタ値によって構成される）が記憶されているカウンタ値記憶エリア１４２の数に対応した数値が格納される記憶カウンタ１１２が設けられている。そして、記憶カウンタ１１２のカウンタ値は、第一のカウンタ値記憶エリア１４２ａ側の空いている記憶エリアに一組のカウンタ値が記憶されていく毎に１ずつ加算されていく一方、第一のカウンタ値記憶エリア１４２ａに記憶された一組のカウンタ値が消去される毎に１ずつ減算されていく。また、本実施形態では、記憶カウンタ１１２のカウンタ値から１減算した数だけ保留ＬＥＤ４６が点灯されるようになっている。
【００４６】
更にまた、主制御ＲＡＭ７４には、大当たり遊技中において、第一および第二の特別可変入賞装置５６，５８の何れかが一回開放される毎に１ずつ加算されていく一方、大当たり遊技が終了すると、初期値（本実施形態では、「０」）に戻される開放回数カウンタ１１４が設けられている。
【００４７】
また、主制御ＲＡＭ７４には、第一および第二の特別可変入賞装置５６，５８の何れかが一回開放された際に、開放された特別可変入賞装置４８に入賞した遊技球の数をカウントするための入賞数カウンタ１１６が設けられている。
【００４８】
さらに、主制御ＲＡＭ７４には、選択された変動パターンに応じた変動表示時間を計測するために用いられる変動用タイマカウンタ１１８，第一および第二の特別可変入賞装置５６，５８の何れかが開放されている時間を計測するために用いられる扉用タイマカウンタ１２０，次に何れの特別可変入賞装置５６，５８が開放されるかを報知する際の時間等を計測する際に用いられる報知用タイマカウンタ１２２が設けられている。
【００４９】
更にまた、主制御ＲＡＭ７４には、特別図柄３６，３８，４０が変動表示中であるか否かを示す変動処理フラグ１２４が設けられており、この変動処理フラグ１２４には、「０」又は「１」の何れかの数値が格納されるようになっている。そして、変動処理フラグ１２４に格納されている数値が「０」である場合には、特別図柄３６，３８，４０の変動表示が行われていないことを示す一方、変動処理フラグ１２４に格納されている数値が「１」である場合には、特別図柄３６，３８，４０の変動表示が行われていることを示すようになっている。なお、以下の説明において、「変動処理フラグ１２４をＯＮにする」とは、変動処理フラグ１２４に格納されている数値を「０」から「１」に変更することをいい、「変動処理フラグ１２４をＯＦＦにする」とは、変動処理フラグ１２４に格納されている数値を「１」から「０」に変更することをいう。
【００５０】
更にまた、主制御ＲＡＭ７４には、大当たりであることを示す大当たりフラグ１２６が設けられており、この大当たりフラグ１２６には、「０」又は「１」の何れかの数値が格納されるようになっている。そして、大当たりフラグ１２６に格納されている数値が「０」である場合には、大当たりでないことを示す一方、大当たりフラグ１２６に格納されている数値が「１」である場合には、大当たりであることを示すようになっている。なお、以下の説明において、「大当たりフラグ１２６をＯＮにする」とは、大当たりフラグ１２６に格納されている数値を「０」から「１」に変更することをいい、「大当たりフラグ１２６をＯＦＦにする」とは、大当たりフラグ１２６に格納されている数値を「１」から「０」に変更することをいう。
【００５１】
更にまた、主制御ＲＡＭ７４には、開放される特別可変入賞装置４８を示す開放装置フラグ１２８が設けられており、この開放装置フラグ１２８には、「０」又は「１」の何れかの数値が格納されるようになっている。そして、開放装置フラグ１２８に格納されている数値が「０」である場合には、第一の特別可変入賞装置５６が開放されることを示す一方、開放装置フラグ１２８に格納されている数値が「１」である場合には、第二の特別可変入賞装置５８が開放されることを示すようになっている。なお、以下の説明において、「開放装置フラグ１２８をＯＮにする」とは、開放装置フラグ１２８に格納されている数値を「０」から「１」に変更することをいい、「開放装置フラグ１２８をＯＦＦにする」とは、開放装置フラグ１２８に格納されている数値を「１」から「０」に変更することをいう。
【００５２】
また、主制御ＲＡＭ７４には、第一の特別可変入賞装置５６が開放されていることを示す第一の開放フラグ１３０が設けられており、この第一の開放フラグ１３０には、「０」又は「１」の何れかの数値が格納されるようになっている。そして、第一の開放フラグ１３０に格納されている数値が「０」である場合には、第一の特別可変入賞装置５６が開放されていないことを示す一方、第一の開放フラグ１３０に格納されている数値が「１」である場合には、第一の特別可変入賞装置５６が開放されていることを示すようになっている。なお、以下の説明において、「第一の開放フラグ１３０をＯＮにする」とは、第一の開放フラグ１３０に格納されている数値を「０」から「１」に変更することをいい、「第一の開放フラグ１３０をＯＦＦにする」とは、第一の開放フラグ１３０に格納されている数値を「１」から「０」に変更することをいう。
【００５３】
また、主制御ＲＡＭ７４には、第二の特別可変入賞装置５８が開放されていることを示す第二の開放フラグ１３２が設けられており、この第二の開放フラグ１３２には、「０」又は「１」の何れかの数値が格納されるようになっている。そして、第二の開放フラグ１３２に格納されている数値が「０」である場合には、第二の特別可変入賞装置５８が開放されていないことを示す一方、第二の開放フラグ１３２に格納されている数値が「１」である場合には、第二の特別可変入賞装置５８が開放されていることを示すようになっている。なお、以下の説明において、「第二の開放フラグ１３２をＯＮにする」とは、第二の開放フラグ１３２に格納されている数値を「０」から「１」に変更することをいい、「第二の開放フラグ１３２をＯＦＦにする」とは、第二の開放フラグ１３２に格納されている数値を「１」から「０」に変更することをいう。
【００５４】
また、主制御ＲＡＭ７４には、大当たり遊技が開始される旨の報知が行われていることを示す開始報知フラグ１３４が設けられており、この開始報知フラグ１３４には、「０」又は「１」の何れかの数値が格納されるようになっている。そして、開始報知フラグ１３４に格納されている数値が「０」である場合には、大当たり遊技が開始される旨の報知が行われていないことを示す一方、開始報知フラグ１３４に格納されている数値が「１」である場合には、大当たり遊技が開始される旨の報知が行われていることを示すようになっている。なお、以下の説明において、「開始報知フラグ１３４をＯＮにする」とは、開始報知フラグ１３４に格納されている数値を「０」から「１」に変更することをいい、「開始報知フラグ１３４をＯＦＦにする」とは、開始報知フラグ１３４に格納されている数値を「１」から「０」に変更することをいう。
【００５５】
更にまた、主制御ＲＡＭ７４には、大当たり遊技中において先に開放されていた特別可変入賞装置４８が閉鎖されてから次に特別可変入賞装置４８が開放されるまでの期間（以下、インターバル期間と称する）である旨の報知が行われていることを示す中間報知フラグ１３６が設けられており、この中間報知フラグ１３６には、「０」又は「１」の何れかの数値が格納されるようになっている。そして、中間報知フラグ１３６に格納されている数値が「０」である場合には、インターバル期間中である旨の報知が行われていないことを示す一方、中間報知フラグ１３６に格納されている数値が「１」である場合には、インターバル期間中である旨の報知が行われていることを示すようになっている。なお、以下の説明において、「中間報知フラグ１３６をＯＮにする」とは、中間報知フラグ１３６に格納されている数値を「０」から「１」に変更することをいい、「中間報知フラグ１３６をＯＦＦにする」とは、中間報知フラグ１３６に格納されている数値を「１」から「０」に変更することをいう。
【００５６】
また、主制御ＲＡＭ７４には、次に開放される特別可変入賞装置４８の報知が行われていることを示す事前報知フラグ１３８が設けられており、この事前報知フラグ１３８には、「０」又は「１」の何れかの数値が格納されるようになっている。そして、事前報知フラグ１３８に格納されている数値が「０」である場合には、次に開放される特別可変入賞装置４８の報知が行われていないことを示す一方、事前報知フラグ１３８に格納されている数値が「１」である場合には、次に開放される特別可変入賞装置４８の報知が行われていることを示すようになっている。なお、以下の説明において、「事前報知フラグ１３８をＯＮにする」とは、事前報知フラグ１３８に格納されている数値を「０」から「１」に変更することをいい、「事前報知フラグ１３８をＯＦＦにする」とは、事前報知フラグ１３８に格納されている数値を「１」から「０」に変更することをいう。
【００５７】
さらに、主制御ＲＡＭ７４には、次に開放される特別可変入賞装置４８の報知が特別可変入賞装置４８が開放されている間に終了しなかったことを示す報知待ちフラグ１３９が設けられており、この報知待ちフラグ１３９には、「０」又は「１」の何れかの数値が格納されるようになっている。そして、報知待ちフラグ１３９に格納されている数値が「０」の場合には、次に開放される特別可変入賞装置４８の報知が特別可変入賞装置４８が開放されている間に終了したことを示す一方、報知待ちフラグ１３９に格納されている数値が「１」である場合には、次に開放される特別可変入賞装置４８の報知が特別可変入賞装置４８が開放されている間に終了していないことを示すようになっている。なお、以下の説明において、「報知待ちフラグ１３９をＯＮにする」とは、報知待ちフラグ１３９に格納されている数値を「０」から「１」に変更することをいい、「報知待ちフラグ１３９をＯＦＦにする」とは、報知待ちフラグ１３９に格納されている数値を「１」から「０」に変更することをいう。
【００５８】
また、主制御ＲＡＭ７４には、大当たり遊技が終了する旨の報知が行われていることを示す終了報知フラグ１４０が設けられており、この終了報知フラグ１４０には、「０」又は「１」の何れかの数値が格納されるようになっている。そして、終了報知フラグ１４０に格納されている数値が「０」である場合には、大当たり遊技が終了する旨の報知が行われていないことを示す一方、終了報知フラグ１４０に格納されている数値が「１」である場合には、大当たり遊技が終了する旨の報知が行われていることを示すようになっている。なお、以下の説明において、「終了報知フラグ１４０をＯＮにする」とは、終了報知フラグ１４０に格納されている数値を「０」から「１」に変更することをいい、「終了報知フラグ１４０をＯＦＦにする」とは、終了報知フラグ１４０に格納されている数値を「１」から「０」に変更することをいう。
【００５９】
また、主制御ＲＡＭ７４には、遊技球が始動入賞装置４２に入賞した際の、即ち、始動入賞スイッチ４４によって遊技球の通過が検出された際の大当たり判定カウンタ９６，リーチハズレ判定カウンタ９８，装置選択カウンタ１００，大当たり図柄カウンタ１０２の各カウンタ値が記憶される第一乃至第五のカウンタ値記憶エリア１４２ａ〜ｅ，選択された変動パターンのデータが記憶される変動パターン記憶エリア１４４，選択された特別図柄３６，３８，４０の各停止図柄のデータが記憶される停止図柄記憶エリア１４６が設けられている。なお、主制御ＲＡＭ７４に設けられている各種カウンタおよび各種フラグは、何れも、起動時に「０」にセットされるようになっている。
【００６０】
また、主制御ＲＯＭ７２には、大当たり判定の際に用いられる大当たり判定テーブルが記憶された大当たり判定テーブル記憶エリア１４８，リーチハズレ判定の際に用いられるリーチハズレ判定テーブルが記憶されたリーチハズレ判定テーブル記憶エリア１５０，特別図柄３６，３８，４０の大当たり図柄組み合わせの選択に用いられる大当たり図柄選択テーブルが記憶された大当たり図柄選択テーブル記憶エリア１５２，左特別図柄３６の停止図柄の選択に用いられる左図柄選択テーブルが記憶された左図柄選択テーブル記憶エリア１５４，中特別図柄３８の停止図柄の選択に用いられる中図柄選択テーブルが記憶された中図柄選択テーブル記憶エリア１５６，右特別図柄４０の停止図柄の選択に用いられる右図柄選択テーブルが記憶された右図柄選択テーブル記憶エリア１５８，大当たりの場合の変動パターンを選択する際に用いられる第一の変動パターン選択テーブルが記憶された第一の変動パターン選択テーブル記憶エリア１６０，リーチハズレの場合の変動パターンを選択する際に用いられる第二の変動パターン選択テーブルが記憶された第二の変動パターン選択テーブル記憶エリア１６２，完全ハズレの場合の変動パターンを選択する際に用いられる第三の変動パターン選択テーブルが記憶された第三の変動パターン選択テーブル記憶エリア１６４が設けられている。
【００６１】
さらに、主制御ＲＯＭ７２には、大当たり遊技において第一および第二の特別可変入賞装置５６，５８をどのような順番で開放してゆくかを選択する際に用いられる開放順序選択テーブルが記憶された開放順序選択テーブル記憶エリア１６６，第一の開放順序テーブルが記憶された第一の開放順序テーブル記憶エリア１６８ａ，第二の開放順序テーブルが記憶された第二の開放順序テーブル記憶エリア１６８ｂ，第三の開放順序テーブルが記憶された第三の開放順序テーブル記憶エリア１６８ｃ，第四の開放順序テーブルが記憶された第四の開放順序テーブル記憶エリア１６８ｄ，第五の開放順序テーブルが記憶された第五の開放順序テーブル記憶エリア１６８ｅ，第六の開放順序テーブルが記憶された第六の開放順序テーブル記憶エリア１６８ｆ，第七の開放順序テーブルが記憶された第七の開放順序テーブル記憶エリア１６８ｇ，第八の開放順序テーブルが記憶された第八の開放順序テーブル記憶エリア１６８ｈ，第九の開放順序テーブルが記憶された第九の開放順序テーブル記憶エリア１６８ｉ，第十の開放順序テーブルが記憶された第十の開放順序テーブル記憶エリア１６８ｊ，第十一の開放順序テーブルが記憶された第一の開放順序テーブル記憶エリア１６８ｋ，第十二の開放順序テーブルが記憶された第十二の開放順序テーブル記憶エリア１６８ｌ，第十三の開放順序テーブルが記憶された第十三の開放順序テーブル記憶エリア１６８ｍ，第十四の開放順序テーブルが記憶された第十四の開放順序テーブル記憶エリア１６８ｎ，第十五の開放順序テーブルが記憶された第十五の開放順序テーブル記憶エリア１６８ｏ，第十六の開放順序テーブルが記憶された第十六の開放順序テーブル記憶エリア１６８ｐ，第十七の開放順序テーブルが記憶された第十七の開放順序テーブル記憶エリア１６８ｑが設けられている。
【００６２】
更にまた、本実施形態では、大当たり遊技の開始を報知すると共に、大当たり遊技において最初に第一の特別可変入賞装置５６が開放されることを報知する際に用いられる開始演出パターン（以下、開始演出パターンＡと称する）が記憶された第一の開始演出パターン記憶エリア１７０ａ，大当たり遊技の開始を報知すると共に、大当たり遊技において最初に第二の特別可変入賞装置５８が開放されることを報知する際に用いられる開始演出パターン（以下、開始演出パターンＢと称する）が記憶された第二の開始演出パターン記憶エリア１７０ｂ，特別可変入賞装置４８が開放されている際の演出パターン（以下、開放演出パターンと称する）が記憶された開放演出パターン記憶エリア１７２，大当たり遊技終了時の演出パターン（以下、終了演出パターンと称する）が記憶された終了演出パターン記憶エリア１７６，インターバル期間であることを報知する際に用いられる中間演出パターンが記憶された中間演出パターン記憶エリア１７５，第一の特別可変入賞装置５６が開放されることを報知する際に用いられる事前演出パターン（以下、事前演出パターンＡと称する）が記憶された第一の事前演出パターン記憶エリア１７４ａ，第二の特別可変入賞装置５８が開放されることを報知する際に用いられる事前演出パターン（以下、事前演出パターンＢと称する）が記憶された第二の事前演出パターン記憶エリア１７４ｂ，５個の賞球を払い出す際に用いられる賞球払出パターン（以下、賞球払出パターンＡと称する）が記憶された第一の賞球払出パターン記憶エリア１７１，１５個の賞球を払い出す際に用いられる賞球払出パターン（以下、賞球払出パターンＢと称する）が記憶された第二の賞球払出パターン記憶エリア１７３等が設けられている。
【００６３】
続いて、主制御ＲＯＭ７２に設けられた各種のテーブル記憶エリアに記憶されているテーブルについて説明する。
【００６４】
【表１】
2005334507.tif 000003
【００６５】
表１には、大当たり判定テーブルが示されている。この大当たり判定テーブルは、大当たり判定カウンタ９６のカウンタ値を示す「カウンタ値」と、このカウンタ値に対応する「大当たり判定」から構成されており、大当たり判定テーブルと大当たり判定カウンタ９６のカウンタ値に基づいて大当たりであるか否かを判定するようになっている。そして、本実施形態では、取得した大当たり判定カウンタ９６のカウンタ値が「７」の場合に「大当たり」と判定される一方、それ以外の場合には「ハズレ」と判定されるようになっている。
【００６６】
【表２】
2005334507.tif 000004
【００６７】
表２には、リーチハズレ判定テーブルが示されている。このリーチハズレ判定テーブルは、リーチハズレ判定カウンタ９８のカウンタ値を示す「カウンタ値」と、このカウンタ値に対応する「リーチハズレ判定」から構成されており、リーチハズレ判定テーブルとリーチハズレ判定カウンタ９８のカウンタ値に基づいてリーチハズレであるか否かを判定するようになっている。そして、本実施形態では、取得したリーチハズレ判定カウンタ９８のカウンタ値が「３」の場合に「リーチハズレ」と判定される一方、それ以外の場合には「完全ハズレ」と判定されるようになっている。
【００６８】
【表３】
2005334507.tif 000005
【００６９】
表３には、大当たり図柄選択テーブルが示されている。この大当たり図柄選択テーブルは、大当たり図柄カウンタ１０２のカウンタ値を示す「カウンタ値」と、このカウンタ値に対応する「大当たり図柄組み合わせ」から構成されており、大当たり図柄選択テーブルと大当たり図柄カウンタ１０２のカウンタ値に基づいて特別図柄３６，３８，４０の大当たり図柄組み合わせを選択するようになっている。そして、本実施形態では、大当たり図柄カウンタ１０２のカウンタ値が「０」の場合に「０００」が、「１」の場合に「１１１」が、「２」の場合に「２２２」が、「３」の場合に「３３３」が、「４」の場合に「４４４」が、「５」の場合に「５５５」が、「６」の場合に「６６６」が、「７」の場合に「７７７」が、「８」の場合に「８８８」が、「９」の場合に「９９９」が、それぞれ、特別図柄３６，３８，４０の大当たり図柄組み合わせとして選択されるようになっている。なお、本実施形態では、このようにして選択された特別図柄３６，３８，４０の大当たり図柄組み合わせは、特別図柄３６，３８，４０のそれぞれの停止図柄のデータとして、停止図柄記憶エリア１４６に記憶されるようになっている。
【００７０】
【表４】
2005334507.tif 000006
【００７１】
表４には、左図柄選択テーブルが示されている。この左図柄選択テーブルは、左図柄カウンタ１０４のカウンタ値を示す「カウンタ値」と、このカウンタ値に対応する「左特別図柄」から構成されており、左図柄選択テーブルと左図柄カウンタ１０４のカウンタ値に基づいて左特別図柄３６の停止図柄を選択するようになっている。そして、本実施形態では、左図柄カウンタ１０４のカウンタ値が「０」の場合に「０」が、「１」の場合に「１」が、「２」の場合に「２」が、「３」の場合に「３」が、「４」の場合に「４」が、「５」の場合に「５」が、「６」の場合に「６」が、「７」の場合に「７」が、「８」の場合に「８」が、「９」の場合に「９」が、それぞれ、左特別図柄３６の停止図柄として選択されるようになっている。
【００７２】
【表５】
2005334507.tif 000007
【００７３】
表５には、中図柄選択テーブルが示されている。この中図柄選択テーブルは、中図柄カウンタ１０６のカウンタ値を示す「カウンタ値」と、このカウンタ値に対応する「中特別図柄」から構成されており、中図柄選択テーブルと中図柄カウンタ１０６のカウンタ値に基づいて中特別図柄３８の停止図柄を選択するようになっている。そして、本実施形態では、中図柄カウンタ１０６のカウンタ値が「０」の場合に「０」が、「１」の場合に「１」が、「２」の場合に「２」が、「３」の場合に「３」が、「４」の場合に「４」が、「５」の場合に「５」が、「６」の場合に「６」が、「７」の場合に「７」が、「８」の場合に「８」が、「９」の場合に「９」が、それぞれ、中特別図柄３８の停止図柄として選択されるようになっている。
【００７４】
【表６】
2005334507.tif 000008
【００７５】
表６には、右図柄選択テーブルが示されている。この右図柄選択テーブルは、右図柄カウンタ１０８のカウンタ値を示す「カウンタ値」と、このカウンタ値に対応する「右特別図柄」から構成されており、右図柄選択テーブルと右図柄カウンタ１０８のカウンタ値に基づいて右特別図柄４０の停止図柄を選択するようになっている。そして、本実施形態では、右図柄カウンタ１０８のカウンタ値が「０」の場合に「０」が、「１」の場合に「１」が、「２」の場合に「２」が、「３」の場合に「３」が、「４」の場合に「４」が、「５」の場合に「５」が、「６」の場合に「６」が、「７」の場合に「７」が、「８」の場合に「８」が、「９」の場合に「９」が、それぞれ、右特別図柄４０の停止図柄として選択されるようになっている。
【００７６】
【表７】
2005334507.tif 000009
【００７７】
表７には、第一の変動パターン選択テーブルが示されている。この第一の変動パターン選択テーブルは、変動パターンカウンタ１１０のカウンタ値を示す「カウンタ値」と、このカウンタ値に対応する「変動パターン」から構成されており、第一の変動パターン選択テーブルと変動パターンカウンタ１１０のカウンタ値に基づいて大当たりの場合の変動パターンを選択するようになっている。そして、本実施形態では、変動パターンカウンタ１１０のカウンタ値が「０」〜「９」の場合に「変動パターンＡ」が、大当たりの場合の変動パターンとして選択されるようになっている。
【００７８】
【表８】
2005334507.tif 000010
【００７９】
表８には、第二の変動パターン選択テーブルが示されている。この第二の変動パターン選択テーブルは、変動パターンカウンタ１１０のカウンタ値を示す「カウンタ値」と、このカウンタ値に対応する「変動パターン」から構成されており、第二の変動パターン選択テーブルと変動パターンカウンタ１１０のカウンタ値に基づいてリーチハズレの場合の変動パターンを選択するようになっている。そして、本実施形態では、変動パターンカウンタ１１０のカウンタ値が「０」〜「４」の場合に「変動パターンＢ」が、「５」〜「９」の場合に「変動パターンＣ」が、それぞれ、リーチハズレの場合の変動パターンとして選択されるようになっている。
【００８０】
【表９】
2005334507.tif 000011
【００８１】
表９には、第三の変動パターン選択テーブルが示されている。この第三の変動パターン選択テーブルは、変動パターンカウンタ１１０のカウンタ値を示す「カウンタ値」と、このカウンタ値に対応する「変動パターン」から構成されており、第三の変動パターン選択テーブルと変動パターンカウンタ１１０のカウンタ値に基づいて完全ハズレの場合の変動パターンを選択するようになっている。そして、本実施形態では、変動パターンカウンタ１１０のカウンタ値が「０」〜「９」の場合に「変動パターンＤ」が、完全ハズレの場合の変動パターンとして選択されるようになっている。
【００８２】
そこにおいて、本実施形態では、これらの変動パターンＡ，変動パターンＢ，変動パターンＣ，変動パターンＤは、それぞれ、特別図柄３６，３８，４０が変動表示されている時間、即ち、三つの特別図柄３６，３８，４０の変動表示が一斉に開始されてから、それら三つの特別図柄３６，３８，４０の全てが停止表示されるまでの時間（変動表示時間）とかかる変動表示時間内での演出内容を規定するものであり、変動パターンＡ，変動パターンＢ，変動パターンＣ，変動パターンＤの順番で変動表示時間が短くなるように設定されている。
【００８３】
【表１０】
2005334507.tif 000012
【００８４】
表１０には、開放順序選択テーブルが示されている。この開放順序選択テーブルは、装置選択カウンタ１００のカウンタ値を示す「カウンタ値」と、「カウンタ値」に対応する「開放順序テーブル」から構成されており、開放順序選択テーブルと装置選択カウンタ１００のカウンタ値に基づいて、大当たり遊技において二つの特別可変入賞装置５６，５８の開放順序を規定する開放順序テーブルを選択するようになっている。そして、本実施形態では、装置選択カウンタ１００のカウンタ値が「０」の場合に「第一の開放順序テーブル」が、「１」の場合に「第二の開放順序テーブル」が、「２」の場合に「第三の開放順序テーブル」が、「３」の場合に「第四の開放順序テーブル」が、「４」の場合に「第五の開放順序テーブル」が、「５」の場合に「第六の開放順序テーブル」が、「６」の場合に「第七の開放順序テーブル」が、「７」の場合に「第八の開放順序テーブル」が、「８」の場合に「第九の開放順序テーブル」が、「９」の場合に「第十の開放順序テーブル」が、「１０」の場合に「第十一の開放順序テーブル」が、「１１」の場合に「第十二の開放順序テーブル」が、「１２」の場合に「第十三の開放順序テーブル」が、「１３」の場合に「第十四の開放順序テーブル」が、「１４」の場合に「第十五の開放順序テーブル」が、「１５」の場合に「第十六の開放順序テーブル」が、「１６」の場合に「第十七の開放順序テーブル」が、それぞれ、開放順序テーブルとして選択されるようになっている。
【００８５】
【表１１】
2005334507.tif 000013
【００８６】
表１１には、第一の開放順序テーブルが示されている。この第一の開放順序テーブルは、開放回数カウンタ１１４のカウンタ値を示す「カウンタ値」と、かかる「カウンタ値」に対応する「特別可変入賞装置」から構成されており、開放順序テーブルと開放回数カウンタ１１４のカウンタ値に基づいて、開放される特別可変入賞装置４８を選択するようになっている。そして、本実施形態では、開放回数カウンタ１１４のカウンタ値が「０」の場合に「第二の特別可変入賞装置」が、「１」の場合に「第二の特別可変入賞装置」が、「２」の場合に「第二の特別可変入賞装置」が、「３」の場合に「第二の特別可変入賞装置」が、「４」の場合に「第二の特別可変入賞装置」が、「５」の場合に「第二の特別可変入賞装置」が、「６」の場合に「第二の特別可変入賞装置」が、「７」の場合に「第二の特別可変入賞装置」が、「８」の場合に「第二の特別可変入賞装置」が、「９」の場合に「第二の特別可変入賞装置」が、「１０」の場合に「第二の特別可変入賞装置」が、「１１」の場合に「第二の特別可変入賞装置」が、「１２」の場合に「第二の特別可変入賞装置」が、「１３」の場合に「第二の特別可変入賞装置」が、「１４」の場合に「第二の特別可変入賞装置」が、「１５」の場合に「第二の特別可変入賞装置」が、それぞれ、開放される特別可変入賞装置として選択されるようになっている。このことから明らかなように、本実施形態では、第一の開放順序テーブルに基づいて大当たり遊技において開放される特別可変入賞装置４８が選択される場合は、その全てが第二の特別可変入賞装置５８となっている。なお、表１１においては、「第二の特別可変入賞装置」を「２」と記している。
【００８７】
【表１２】
2005334507.tif 000014
【００８８】
表１２には、第二の開放順序テーブルが示されている。この第二の開放順序テーブルは、開放回数カウンタ１１４のカウンタ値を示す「カウンタ値」と、かかる「カウンタ値」に対応する「特別可変入賞装置」から構成されており、開放順序テーブルと開放回数カウンタ１１４のカウンタ値に基づいて、開放される特別可変入賞装置４８を選択するようになっている。そして、本実施形態では、開放回数カウンタ１１４のカウンタ値が「０」の場合に「第二の特別可変入賞装置」が、「１」の場合に「第二の特別可変入賞装置」が、「２」の場合に「第二の特別可変入賞装置」が、「３」の場合に「第二の特別可変入賞装置」が、「４」の場合に「第二の特別可変入賞装置」が、「５」の場合に「第二の特別可変入賞装置」が、「６」の場合に「第二の特別可変入賞装置」が、「７」の場合に「第二の特別可変入賞装置」が、「８」の場合に「第二の特別可変入賞装置」が、「９」の場合に「第二の特別可変入賞装置」が、「１０」の場合に「第二の特別可変入賞装置」が、「１１」の場合に「第二の特別可変入賞装置」が、「１２」の場合に「第二の特別可変入賞装置」が、「１３」の場合に「第二の特別可変入賞装置」が、「１４」の場合に「第二の特別可変入賞装置」が、「１５」の場合に「第一の特別可変入賞装置」が、それぞれ、開放される特別可変入賞装置として選択されるようになっている。このことから明らかなように、本実施形態では、第二の開放順序テーブルに基づいて大当たり遊技において開放される特別可変入賞装置４８が選択される場合には、１回目から１５回目において第二の特別可変入賞装置５８が開放されるようになっている一方、１６回目において第一の特別可変入賞装置５６が開放されるようになっている。なお、表１２においては、「第一の特別可変入賞装置」を「１」と、「第二の特別可変入賞装置」を「２」と記している。
【００８９】
【表１３】
2005334507.tif 000015
【００９０】
表１３には、第三の開放順序テーブルが示されている。この第三の開放順序テーブルは、開放回数カウンタ１１４のカウンタ値を示す「カウンタ値」と、かかる「カウンタ値」に対応する「特別可変入賞装置」から構成されており、開放順序テーブルと開放回数カウンタ１１４のカウンタ値に基づいて、開放される特別可変入賞装置４８を選択するようになっている。そして、本実施形態では、開放回数カウンタ１１４のカウンタ値が「０」の場合に「第二の特別可変入賞装置」が、「１」の場合に「第二の特別可変入賞装置」が、「２」の場合に「第二の特別可変入賞装置」が、「３」の場合に「第二の特別可変入賞装置」が、「４」の場合に「第二の特別可変入賞装置」が、「５」の場合に「第二の特別可変入賞装置」が、「６」の場合に「第二の特別可変入賞装置」が、「７」の場合に「第二の特別可変入賞装置」が、「８」の場合に「第二の特別可変入賞装置」が、「９」の場合に「第二の特別可変入賞装置」が、「１０」の場合に「第二の特別可変入賞装置」が、「１１」の場合に「第二の特別可変入賞装置」が、「１２」の場合に「第二の特別可変入賞装置」が、「１３」の場合に「第二の特別可変入賞装置」が、「１４」の場合に「第一の特別可変入賞装置」が、「１５」の場合に「第一の特別可変入賞装置」が、それぞれ、開放される特別可変入賞装置４８として選択されるようになっている。このことから明らかなように、本実施形態では、第三の開放順序テーブルに基づいて大当たり遊技において開放される特別可変入賞装置４８が選択される場合には、１回目から１４回目において第二の特別可変入賞装置５８が開放されるようになっている一方、１５回目および１６回目において第一の特別可変入賞装置５６が開放されるようになっている。なお、表１３においては、「第一の特別可変入賞装置」を「１」と、「第二の特別可変入賞装置」を「２」と記している。
【００９１】
【表１４】
2005334507.tif 000016
【００９２】
表１４には、第四の開放順序テーブルが示されている。この第四の開放順序テーブルは、開放回数カウンタ１１４のカウンタ値を示す「カウンタ値」と、かかる「カウンタ値」に対応する「特別可変入賞装置」から構成されており、第四の開放順序テーブルと開放回数カウンタ１１４のカウンタ値に基づいて、開放される特別可変入賞装置４８を選択するようになっている。そして、本実施形態では、開放回数カウンタ１１４のカウンタ値が「０」の場合に「第二の特別可変入賞装置」が、「１」の場合に「第二の特別可変入賞装置」が、「２」の場合に「第二の特別可変入賞装置」が、「３」の場合に「第二の特別可変入賞装置」が、「４」の場合に「第二の特別可変入賞装置」が、「５」の場合に「第二の特別可変入賞装置」が、「６」の場合に「第二の特別可変入賞装置」が、「７」の場合に「第二の特別可変入賞装置」が、「８」の場合に「第二の特別可変入賞装置」が、「９」の場合に「第二の特別可変入賞装置」が、「１０」の場合に「第二の特別可変入賞装置」が、「１１」の場合に「第二の特別可変入賞装置」が、「１２」の場合に「第二の特別可変入賞装置」が、「１３」の場合に「第一の特別可変入賞装置」が、「１４」の場合に「第一の特別可変入賞装置」が、「１５」の場合に「第一の特別可変入賞装置」が、それぞれ、開放される特別可変入賞装置４８として選択されるようになっている。このことから明らかなように、本実施形態では、第四の開放順序テーブルに基づいて大当たり遊技において開放される特別可変入賞装置４８が選択される場合には、１回目から１３回目において第二の特別可変入賞装置５８が開放されるようになっている一方、１４回目から１６回目において第一の特別可変入賞装置５６が開放されるようになっている。なお、表１４においては、「第一の特別可変入賞装置」を「１」と、「第二の特別可変入賞装置」を「２」と記している。
【００９３】
【表１５】
2005334507.tif 000017
【００９４】
表１５には、第五の開放順序テーブルが示されている。この第五の開放順序テーブルは、開放回数カウンタ１１４のカウンタ値を示す「カウンタ値」と、かかる「カウンタ値」に対応する「特別可変入賞装置」から構成されており、第五の開放順序テーブルと開放回数カウンタ１１４のカウンタ値に基づいて、開放される特別可変入賞装置４８を選択するようになっている。そして、本実施形態では、開放回数カウンタ１１４のカウンタ値が「０」の場合に「第二の特別可変入賞装置」が、「１」の場合に「第二の特別可変入賞装置」が、「２」の場合に「第二の特別可変入賞装置」が、「３」の場合に「第二の特別可変入賞装置」が、「４」の場合に「第二の特別可変入賞装置」が、「５」の場合に「第二の特別可変入賞装置」が、「６」の場合に「第二の特別可変入賞装置」が、「７」の場合に「第二の特別可変入賞装置」が、「８」の場合に「第二の特別可変入賞装置」が、「９」の場合に「第二の特別可変入賞装置」が、「１０」の場合に「第二の特別可変入賞装置」が、「１１」の場合に「第二の特別可変入賞装置」が、「１２」の場合に「第一の特別可変入賞装置」が、「１３」の場合に「第一の特別可変入賞装置」が、「１４」の場合に「第一の特別可変入賞装置」が、「１５」の場合に「第一の特別可変入賞装置」が、それぞれ、開放される特別可変入賞装置４８として選択されるようになっている。このことから明らかなように、本実施形態では、第四の開放順序テーブルに基づいて大当たり遊技において開放される特別可変入賞装置４８が選択される場合には、１回目から１２回目において第二の特別可変入賞装置５８が開放されるようになっている一方、１３回目から１６回目において第一の特別可変入賞装置５６が開放されるようになっている。なお、表１５においては、「第一の特別可変入賞装置」を「１」と、「第二の特別可変入賞装置」を「２」と記している。
【００９５】
【表１６】
2005334507.tif 000018
【００９６】
表１６には、第六の開放順序テーブルが示されている。この第六の開放順序テーブルは、開放回数カウンタ１１４のカウンタ値を示す「カウンタ値」と、かかる「カウンタ値」に対応する「特別可変入賞装置」から構成されており、第六の開放順序テーブルと開放回数カウンタ１１４のカウンタ値に基づいて、開放される特別可変入賞装置４８を選択するようになっている。そして、本実施形態では、開放回数カウンタ１１４のカウンタ値が「０」の場合に「第二の特別可変入賞装置」が、「１」の場合に「第二の特別可変入賞装置」が、「２」の場合に「第二の特別可変入賞装置」が、「３」の場合に「第二の特別可変入賞装置」が、「４」の場合に「第二の特別可変入賞装置」が、「５」の場合に「第二の特別可変入賞装置」が、「６」の場合に「第二の特別可変入賞装置」が、「７」の場合に「第二の特別可変入賞装置」が、「８」の場合に「第二の特別可変入賞装置」が、「９」の場合に「第二の特別可変入賞装置」が、「１０」の場合に「第二の特別可変入賞装置」が、「１１」の場合に「第一の特別可変入賞装置」が、「１２」の場合に「第一の特別可変入賞装置」が、「１３」の場合に「第一の特別可変入賞装置」が、「１４」の場合に「第一の特別可変入賞装置」が、「１５」の場合に「第一の特別可変入賞装置」が、それぞれ、開放される特別可変入賞装置４８として選択されるようになっている。このことから明らかなように、本実施形態では、第六の開放順序テーブルに基づいて大当たり遊技において開放される特別可変入賞装置４８が選択される場合には、１回目から１１回目において第二の特別可変入賞装置５８が開放されるようになっている一方、１２回目から１６回目において第一の特別可変入賞装置５６が開放されるようになっている。なお、表１６においては、「第一の特別可変入賞装置」を「１」と、「第二の特別可変入賞装置」を「２」と記している。
【００９７】
【表１７】
2005334507.tif 000019
【００９８】
表１７には、第七の開放順序テーブルが示されている。この第七の開放順序テーブルは、開放回数カウンタ１１４のカウンタ値を示す「カウンタ値」と、かかる「カウンタ値」に対応する「特別可変入賞装置」から構成されており、第七の開放順序テーブルと開放回数カウンタ１１４のカウンタ値に基づいて、開放される特別可変入賞装置４８を選択するようになっている。そして、本実施形態では、開放回数カウンタ１１４のカウンタ値が「０」の場合に「第二の特別可変入賞装置」が、「１」の場合に「第二の特別可変入賞装置」が、「２」の場合に「第二の特別可変入賞装置」が、「３」の場合に「第二の特別可変入賞装置」が、「４」の場合に「第二の特別可変入賞装置」が、「５」の場合に「第二の特別可変入賞装置」が、「６」の場合に「第二の特別可変入賞装置」が、「７」の場合に「第二の特別可変入賞装置」が、「８」の場合に「第二の特別可変入賞装置」が、「９」の場合に「第二の特別可変入賞装置」が、「１０」の場合に「第一の特別可変入賞装置」が、「１１」の場合に「第一の特別可変入賞装置」が、「１２」の場合に「第一の特別可変入賞装置」が、「１３」の場合に「第一の特別可変入賞装置」が、「１４」の場合に「第一の特別可変入賞装置」が、「１５」の場合に「第一の特別可変入賞装置」が、それぞれ、開放される特別可変入賞装置４８として選択されるようになっている。このことから明らかなように、本実施形態では、第七の開放順序テーブルに基づいて大当たり遊技において開放される特別可変入賞装置４８が選択される場合には、１回目から１０回目において第二の特別可変入賞装置５８が開放されるようになっている一方、１１回目から１６回目において第一の特別可変入賞装置５６が開放されるようになっている。なお、表１７においては、「第一の特別可変入賞装置」を「１」と、「第二の特別可変入賞装置」を「２」と記している。
【００９９】
【表１８】
2005334507.tif 000020
【０１００】
表１８には、第八の開放順序テーブルが示されている。この第八の開放順序テーブルは、開放回数カウンタ１１４のカウンタ値を示す「カウンタ値」と、かかる「カウンタ値」に対応する「特別可変入賞装置」から構成されており、第八の開放順序テーブルと開放回数カウンタ１１４のカウンタ値に基づいて、開放される特別可変入賞装置４８を選択するようになっている。そして、本実施形態では、開放回数カウンタ１１４のカウンタ値が「０」の場合に「第二の特別可変入賞装置」が、「１」の場合に「第二の特別可変入賞装置」が、「２」の場合に「第二の特別可変入賞装置」が、「３」の場合に「第二の特別可変入賞装置」が、「４」の場合に「第二の特別可変入賞装置」が、「５」の場合に「第二の特別可変入賞装置」が、「６」の場合に「第二の特別可変入賞装置」が、「７」の場合に「第二の特別可変入賞装置」が、「８」の場合に「第二の特別可変入賞装置」が、「９」の場合に「第一の特別可変入賞装置」が、「１０」の場合に「第一の特別可変入賞装置」が、「１１」の場合に「第一の特別可変入賞装置」が、「１２」の場合に「第一の特別可変入賞装置」が、「１３」の場合に「第一の特別可変入賞装置」が、「１４」の場合に「第一の特別可変入賞装置」が、「１５」の場合に「第一の特別可変入賞装置」が、それぞれ、開放される特別可変入賞装置４８として選択されるようになっている。このことから明らかなように、本実施形態では、第八の開放順序テーブルに基づいて大当たり遊技において開放される特別可変入賞装置４８が選択される場合には、１回目から９回目において第二の特別可変入賞装置５８が開放されるようになっている一方、１０回目から１６回目において第一の特別可変入賞装置５６が開放されるようになっている。なお、表１８おいては、「第一の特別可変入賞装置」を「１」と、「第二の特別可変入賞装置」を「２」と記している。
【０１０１】
【表１９】
2005334507.tif 000021
【０１０２】
表１９には、第九の開放順序テーブルが示されている。この第九の開放順序テーブルは、開放回数カウンタ１１４のカウンタ値を示す「カウンタ値」と、かかる「カウンタ値」に対応する「特別可変入賞装置」から構成されており、第九の開放順序テーブルと開放回数カウンタ１１４のカウンタ値に基づいて、開放される特別可変入賞装置４８を選択するようになっている。そして、本実施形態では、開放回数カウンタ１１４のカウンタ値が「０」の場合に「第二の特別可変入賞装置」が、「１」の場合に「第二の特別可変入賞装置」が、「２」の場合に「第二の特別可変入賞装置」が、「３」の場合に「第二の特別可変入賞装置」が、「４」の場合に「第二の特別可変入賞装置」が、「５」の場合に「第二の特別可変入賞装置」が、「６」の場合に「第二の特別可変入賞装置」が、「７」の場合に「第二の特別可変入賞装置」が、「８」の場合に「第一の特別可変入賞装置」が、「９」の場合に「第一の特別可変入賞装置」が、「１０」の場合に「第一の特別可変入賞装置」が、「１１」の場合に「第一の特別可変入賞装置」が、「１２」の場合に「第一の特別可変入賞装置」が、「１３」の場合に「第一の特別可変入賞装置」が、「１４」の場合に「第一の特別可変入賞装置」が、「１５」の場合に「第一の特別可変入賞装置」が、それぞれ、開放される特別可変入賞装置４８として選択されるようになっている。このことから明らかなように、本実施形態では、第八の開放順序テーブルに基づいて大当たり遊技において開放される特別可変入賞装置４８が選択される場合には、１回目から８回目において第二の特別可変入賞装置５８が開放されるようになっている一方、９回目から１６回目において第一の特別可変入賞装置５６が開放されるようになっている。なお、表１９においては、「第一の特別可変入賞装置」を「１」と、「第二の特別可変入賞装置」を「２」と記している。
【０１０３】
【表２０】
2005334507.tif 000022
【０１０４】
表２０には、第十の開放順序テーブルが示されている。この第十の開放順序テーブルは、開放回数カウンタ１１４のカウンタ値を示す「カウンタ値」と、かかる「カウンタ値」に対応する「特別可変入賞装置」から構成されており、第十の開放順序テーブルと開放回数カウンタ１１４のカウンタ値に基づいて、開放される特別可変入賞装置４８を選択するようになっている。そして、本実施形態では、開放回数カウンタ１１４のカウンタ値が「０」の場合に「第二の特別可変入賞装置」が、「１」の場合に「第二の特別可変入賞装置」が、「２」の場合に「第二の特別可変入賞装置」が、「３」の場合に「第二の特別可変入賞装置」が、「４」の場合に「第二の特別可変入賞装置」が、「５」の場合に「第二の特別可変入賞装置」が、「６」の場合に「第二の特別可変入賞装置」が、「７」の場合に「第一の特別可変入賞装置」が、「８」の場合に「第一の特別可変入賞装置」が、「９」の場合に「第一の特別可変入賞装置」が、「１０」の場合に「第一の特別可変入賞装置」が、「１１」の場合に「第一の特別可変入賞装置」が、「１２」の場合に「第一の特別可変入賞装置」が、「１３」の場合に「第一の特別可変入賞装置」が、「１４」の場合に「第一の特別可変入賞装置」が、「１５」の場合に「第一の特別可変入賞装置」が、それぞれ、開放される特別可変入賞装置４８として選択されるようになっている。このことから明らかなように、本実施形態では、第十の開放順序テーブルに基づいて大当たり遊技において開放される特別可変入賞装置４８が選択される場合には、１回目から７回目において第二の特別可変入賞装置５８が開放されるようになっている一方、８回目から１６回目において第一の特別可変入賞装置５６が開放されるようになっている。なお、表２０においては、「第一の特別可変入賞装置」を「１」と、「第二の特別可変入賞装置」を「２」と記している。
【０１０５】
【表２１】
2005334507.tif 000023
【０１０６】
表２１には、第十一の開放順序テーブルが示されている。この第十一の開放順序テーブルは、開放回数カウンタ１１４のカウンタ値を示す「カウンタ値」と、かかる「カウンタ値」に対応する「特別可変入賞装置」から構成されており、第十一の開放順序テーブルと開放回数カウンタ１１４のカウンタ値に基づいて、開放される特別可変入賞装置４８を選択するようになっている。そして、本実施形態では、開放回数カウンタ１１４のカウンタ値が「０」の場合に「第二の特別可変入賞装置」が、「１」の場合に「第二の特別可変入賞装置」が、「２」の場合に「第二の特別可変入賞装置」が、「３」の場合に「第二の特別可変入賞装置」が、「４」の場合に「第二の特別可変入賞装置」が、「５」の場合に「第二の特別可変入賞装置」が、「６」の場合に「第一の特別可変入賞装置」が、「７」の場合に「第一の特別可変入賞装置」が、「８」の場合に「第一の特別可変入賞装置」が、「９」の場合に「第一の特別可変入賞装置」が、「１０」の場合に「第一の特別可変入賞装置」が、「１１」の場合に「第一の特別可変入賞装置」が、「１２」の場合に「第一の特別可変入賞装置」が、「１３」の場合に「第一の特別可変入賞装置」が、「１４」の場合に「第一の特別可変入賞装置」が、「１５」の場合に「第一の特別可変入賞装置」が、それぞれ、開放される特別可変入賞装置４８として選択されるようになっている。このことから明らかなように、本実施形態では、第十の開放順序テーブルに基づいて大当たり遊技において開放される特別可変入賞装置４８が選択される場合には、１回目から６回目において第二の特別可変入賞装置５８が開放されるようになっている一方、７回目から１６回目において第一の特別可変入賞装置５６が開放されるようになっている。なお、表２１においては、「第一の特別可変入賞装置」を「１」と、「第二の特別可変入賞装置」を「２」と記している。
【０１０７】
【表２２】
2005334507.tif 000024
【０１０８】
表２２には、第十二の開放順序テーブルが示されている。この第十二の開放順序テーブルは、開放回数カウンタ１１４のカウンタ値を示す「カウンタ値」と、かかる「カウンタ値」に対応する「特別可変入賞装置」から構成されており、第十二の開放順序テーブルと開放回数カウンタ１１４のカウンタ値に基づいて、開放される特別可変入賞装置４８を選択するようになっている。そして、本実施形態では、開放回数カウンタ１１４のカウンタ値が「０」の場合に「第二の特別可変入賞装置」が、「１」の場合に「第二の特別可変入賞装置」が、「２」の場合に「第二の特別可変入賞装置」が、「３」の場合に「第二の特別可変入賞装置」が、「４」の場合に「第二の特別可変入賞装置」が、「５」の場合に「第一の特別可変入賞装置」が、「６」の場合に「第一の特別可変入賞装置」が、「７」の場合に「第一の特別可変入賞装置」が、「８」の場合に「第一の特別可変入賞装置」が、「９」の場合に「第一の特別可変入賞装置」が、「１０」の場合に「第一の特別可変入賞装置」が、「１１」の場合に「第一の特別可変入賞装置」が、「１２」の場合に「第一の特別可変入賞装置」が、「１３」の場合に「第一の特別可変入賞装置」が、「１４」の場合に「第一の特別可変入賞装置」が、「１５」の場合に「第一の特別可変入賞装置」が、それぞれ、開放される特別可変入賞装置４８として選択されるようになっている。このことから明らかなように、本実施形態では、第十二の開放順序テーブルに基づいて大当たり遊技において開放される特別可変入賞装置４８が選択される場合には、１回目から５回目において第二の特別可変入賞装置５８が開放されるようになっている一方、６回目から１６回目において第一の特別可変入賞装置５６が開放されるようになっている。なお、表２２においては、「第一の特別可変入賞装置」を「１」と、「第二の特別可変入賞装置」を「２」と記している。
【０１０９】
【表２３】
2005334507.tif 000025
【０１１０】
表２３には、第十三の開放順序テーブルが示されている。この第十三の開放順序テーブルは、開放回数カウンタ１１４のカウンタ値を示す「カウンタ値」と、かかる「カウンタ値」に対応する「特別可変入賞装置」から構成されており、第十三の開放順序テーブルと開放回数カウンタ１１４のカウンタ値に基づいて、開放される特別可変入賞装置４８を選択するようになっている。そして、本実施形態では、開放回数カウンタ１１４のカウンタ値が「０」の場合に「第二の特別可変入賞装置」が、「１」の場合に「第二の特別可変入賞装置」が、「２」の場合に「第二の特別可変入賞装置」が、「３」の場合に「第二の特別可変入賞装置」が、「４」の場合に「第一の特別可変入賞装置」が、「５」の場合に「第一の特別可変入賞装置」が、「６」の場合に「第一の特別可変入賞装置」が、「７」の場合に「第一の特別可変入賞装置」が、「８」の場合に「第一の特別可変入賞装置」が、「９」の場合に「第一の特別可変入賞装置」が、「１０」の場合に「第一の特別可変入賞装置」が、「１１」の場合に「第一の特別可変入賞装置」が、「１２」の場合に「第一の特別可変入賞装置」が、「１３」の場合に「第一の特別可変入賞装置」が、「１４」の場合に「第一の特別可変入賞装置」が、「１５」の場合に「第一の特別可変入賞装置」が、それぞれ、開放される特別可変入賞装置４８として選択されるようになっている。このことから明らかなように、本実施形態では、第十三の開放順序テーブルに基づいて大当たり遊技において開放される特別可変入賞装置４８が選択される場合には、１回目から４回目において第二の特別可変入賞装置５８が開放されるようになっている一方、５回目から１６回目において第一の特別可変入賞装置５６が開放されるようになっている。なお、表２３においては、「第一の特別可変入賞装置」を「１」と、「第二の特別可変入賞装置」を「２」と記している。
【０１１１】
【表２４】
2005334507.tif 000026
【０１１２】
表２４には、第十四の開放順序テーブルが示されている。この第十四の開放順序テーブルは、開放回数カウンタ１１４のカウンタ値を示す「カウンタ値」と、かかる「カウンタ値」に対応する「特別可変入賞装置」から構成されており、第十四の開放順序テーブルと開放回数カウンタ１１４のカウンタ値に基づいて、開放される特別可変入賞装置４８を選択するようになっている。そして、本実施形態では、開放回数カウンタ１１４のカウンタ値が「０」の場合に「第二の特別可変入賞装置」が、「１」の場合に「第二の特別可変入賞装置」が、「２」の場合に「第二の特別可変入賞装置」が、「３」の場合に「第一の特別可変入賞装置」が、「４」の場合に「第一の特別可変入賞装置」が、「５」の場合に「第一の特別可変入賞装置」が、「６」の場合に「第一の特別可変入賞装置」が、「７」の場合に「第一の特別可変入賞装置」が、「８」の場合に「第一の特別可変入賞装置」が、「９」の場合に「第一の特別可変入賞装置」が、「１０」の場合に「第一の特別可変入賞装置」が、「１１」の場合に「第一の特別可変入賞装置」が、「１２」の場合に「第一の特別可変入賞装置」が、「１３」の場合に「第一の特別可変入賞装置」が、「１４」の場合に「第一の特別可変入賞装置」が、「１５」の場合に「第一の特別可変入賞装置」が、それぞれ、開放される特別可変入賞装置４８として選択されるようになっている。このことから明らかなように、本実施形態では、第十四の開放順序テーブルに基づいて大当たり遊技において開放される特別可変入賞装置４８が選択される場合には、１回目から３回目において第二の特別可変入賞装置５８が開放されるようになっている一方、４回目から１６回目において第一の特別可変入賞装置５６が開放されるようになっている。なお、表２４においては、「第一の特別可変入賞装置」を「１」と、「第二の特別可変入賞装置」を「２」と記している。
【０１１３】
【表２５】
2005334507.tif 000027
【０１１４】
表２５には、第十五の開放順序テーブルが示されている。この第十五の開放順序テーブルは、開放回数カウンタ１１４のカウンタ値を示す「カウンタ値」と、かかる「カウンタ値」に対応する「特別可変入賞装置」から構成されており、第十五の開放順序テーブルと開放回数カウンタ１１４のカウンタ値に基づいて、開放される特別可変入賞装置４８を選択するようになっている。そして、本実施形態では、開放回数カウンタ１１４のカウンタ値が「０」の場合に「第二の特別可変入賞装置」が、「１」の場合に「第二の特別可変入賞装置」が、「２」の場合に「第一の特別可変入賞装置」が、「３」の場合に「第一の特別可変入賞装置」が、「４」の場合に「第一の特別可変入賞装置」が、「５」の場合に「第一の特別可変入賞装置」が、「６」の場合に「第一の特別可変入賞装置」が、「７」の場合に「第一の特別可変入賞装置」が、「８」の場合に「第一の特別可変入賞装置」が、「９」の場合に「第一の特別可変入賞装置」が、「１０」の場合に「第一の特別可変入賞装置」が、「１１」の場合に「第一の特別可変入賞装置」が、「１２」の場合に「第一の特別可変入賞装置」が、「１３」の場合に「第一の特別可変入賞装置」が、「１４」の場合に「第一の特別可変入賞装置」が、「１５」の場合に「第一の特別可変入賞装置」が、それぞれ、開放される特別可変入賞装置４８として選択されるようになっている。このことから明らかなように、本実施形態では、第十五の開放順序テーブルに基づいて大当たり遊技において開放される特別可変入賞装置４８が選択される場合には、１回目および２回目において第二の特別可変入賞装置５８が開放されるようになっている一方、３回目から１６回目において第一の特別可変入賞装置５６が開放されるようになっている。なお、表２５においては、「第一の特別可変入賞装置」を「１」と、「第二の特別可変入賞装置」を「２」と記している。
【０１１５】
【表２６】
2005334507.tif 000028
【０１１６】
表２６には、第十六の開放順序テーブルが示されている。この第十六の開放順序テーブルは、開放回数カウンタ１１４のカウンタ値を示す「カウンタ値」と、かかる「カウンタ値」に対応する「特別可変入賞装置」から構成されており、第十六の開放順序テーブルと開放回数カウンタ１１４のカウンタ値に基づいて、開放される特別可変入賞装置４８を選択するようになっている。そして、本実施形態では、開放回数カウンタ１１４のカウンタ値が「０」の場合に「第二の特別可変入賞装置」が、「１」の場合に「第一の特別可変入賞装置」が、「２」の場合に「第一の特別可変入賞装置」が、「３」の場合に「第一の特別可変入賞装置」が、「４」の場合に「第一の特別可変入賞装置」が、「５」の場合に「第一の特別可変入賞装置」が、「６」の場合に「第一の特別可変入賞装置」が、「７」の場合に「第一の特別可変入賞装置」が、「８」の場合に「第一の特別可変入賞装置」が、「９」の場合に「第一の特別可変入賞装置」が、「１０」の場合に「第一の特別可変入賞装置」が、「１１」の場合に「第一の特別可変入賞装置」が、「１２」の場合に「第一の特別可変入賞装置」が、「１３」の場合に「第一の特別可変入賞装置」が、「１４」の場合に「第一の特別可変入賞装置」が、「１５」の場合に「第一の特別可変入賞装置」が、それぞれ、開放される特別可変入賞装置４８として選択されるようになっている。このことから明らかなように、本実施形態では、第十六の開放順序テーブルに基づいて大当たり遊技において開放される特別可変入賞装置４８が選択される場合には、１回目において第二の特別可変入賞装置５８が開放されるようになっている一方、２回目から１６回目において第一の特別可変入賞装置５６が開放されるようになっている。なお、表２６においては、「第一の特別可変入賞装置」を「１」と、「第二の特別可変入賞装置」を「２」と記している。
【０１１７】
【表２７】
2005334507.tif 000029
【０１１８】
表２７には、第十七の開放順序テーブルが示されている。この第十七の開放順序テーブルは、開放回数カウンタ１１４のカウンタ値を示す「カウンタ値」と、かかる「カウンタ値」に対応する「特別可変入賞装置」から構成されており、第十七の開放順序テーブルと開放回数カウンタ１１４のカウンタ値に基づいて、開放される特別可変入賞装置４８を選択するようになっている。そして、本実施形態では、開放回数カウンタ１１４のカウンタ値が「０」の場合に「第一の特別可変入賞装置」が、「１」の場合に「第一の特別可変入賞装置」が、「２」の場合に「第一の特別可変入賞装置」が、「３」の場合に「第一の特別可変入賞装置」が、「４」の場合に「第一の特別可変入賞装置」が、「５」の場合に「第一の特別可変入賞装置」が、「６」の場合に「第一の特別可変入賞装置」が、「７」の場合に「第一の特別可変入賞装置」が、「８」の場合に「第一の特別可変入賞装置」が、「９」の場合に「第一の特別可変入賞装置」が、「１０」の場合に「第一の特別可変入賞装置」が、「１１」の場合に「第一の特別可変入賞装置」が、「１２」の場合に「第一の特別可変入賞装置」が、「１３」の場合に「第一の特別可変入賞装置」が、「１４」の場合に「第一の特別可変入賞装置」が、「１５」の場合に「第一の特別可変入賞装置」が、それぞれ、開放される特別可変入賞装置４８として選択されるようになっている。このことから明らかなように、本実施形態では、第十七の開放順序テーブルに基づいて大当たり遊技において開放される特別可変入賞装置４８が選択される場合には、全てにおいて第一の特別可変入賞装置５６が開放されるようになっている。なお、表２７においては、「第一の特別可変入賞装置」を「１」と記している。
【０１１９】
続いて、表示制御回路８４の構成について、図６に基づいて説明する。図６に示されているように、表示制御回路８４は、表示制御ＣＰＵ１７８，入力回路１８０，表示制御ＲＡＭ１８２，プログラムＲＯＭ１８４，ＶＤＰ１８６，キャラクタＲＯＭ１８８，作業ＲＡＭ１９０および出力回路１９２を含んで構成されている。そして、表示制御ＣＰＵ１７８には、入力回路１８０，表示制御ＲＡＭ１８２，プログラムＲＯＭ１８４およびＶＤＰ１８６が接続されており、ＶＤＰ１８６には、キャラクタＲＯＭ１８８，作業ＲＡＭ１９０および出力回路１９２が接続されている。また、表示制御ＣＰＵ１７８には、所定周期（例えば、４ｍｓ）毎にクロック信号を出力するクロック回路１９４が接続されている。更にまた、入力回路１８０は、主制御回路に接続されている一方、出力回路１９２は、液晶表示器３４に接続されている。なお、本実施形態では、液晶表示器３４は、ドライブ回路を含んで構成されている。また、このような表示制御回路８４は、一つの基板上に形成されており、かかる表示制御回路８４が形成された基板は、基板ケースに収容されて、パチンコ機１０の裏側の適当な位置に固定されるようになっている。
【０１２０】
そして、表示制御ＣＰＵ１７８は、クロック回路１９４からクロック信号が入力された場合には、プログラムＲＯＭ１８４に記憶されている制御プログラム等に従って、後述する表示側の遊技処理を実行するようになっており、それによって、主制御回路６８からの制御信号に基づいて画像の編集内容を示す制御信号を生成し、ＶＤＰ１８６との間で制御信号のやり取りを行うようになっている。また、ＶＤＰ１８６は、表示制御ＣＰＵ１７８からの制御信号に基づいて、キャラクタＲＯＭ１８８から特別図柄３６，３８，４０の画像データ等を読み出して、作業ＲＡＭ１９０を作業エリアとして編集し、編集した画像データを出力回路１９２を通して液晶表示器３４に出力するようになっている。
【０１２１】
また、表示制御ＲＡＭ１８２には、今回の大当たり遊技中において何れかの特別可変入賞装置４８が開放される毎に１ずつ加算されていき、今回の大当たり遊技が終了する際に初期値（本実施形態では、「０」）に戻される開放回数カウンタ１９６が設けられている。
【０１２２】
更にまた、表示制御ＲＡＭ１８２には、特別図柄３６，３８，４０の変動表示が行われているか否かを示す表示処理フラグ１９８が設けられており、この表示処理フラグ１９８には、「０」又は「１」の何れかの数値が格納されるようになっている。そして、表示処理フラグ１９８に格納されている数値が「０」である場合には、特別図柄３６，３８，４０の変動表示が行われていないことを示す一方、表示処理フラグ１９８に格納されている数値が「１」である場合には、特別図柄３６，３８，４０の変動表示が行われていることを示すようになっている。なお、以下の説明において、「表示処理フラグ１９８をＯＮにする」とは、表示処理フラグ１９８に格納されている数値を「０」から「１」に変更することをいい、「表示処理フラグ１９８をＯＦＦにする」とは、表示処理フラグ１９８に格納されている数値を「１」から「０」に変更することをいう。
【０１２３】
更にまた、表示制御ＲＡＭ１８２には、大当たりであるか否かを示す大当たりフラグ２００が設けられており、この大当たりフラグ２００には、「０」又は「１」の何れかの数値が格納されるようになっている。そして、大当たりフラグ２００に格納されている数値が「０」である場合には、大当たりでないことを示す一方、大当たりフラグ２００に格納されている数値が「１」である場合には、大当たりであることを示すようになっている。なお、以下の説明において、「大当たりフラグ２００をＯＮにする」とは、大当たりフラグ２００に格納されている数値を「０」から「１」に変更することをいい、「大当たりフラグ２００をＯＦＦにする」とは、大当たりフラグ２００に格納されている数値を「１」から「０」に変更することをいう。
【０１２４】
更にまた、表示制御ＲＡＭ１８２には、大当たり遊技が開始される旨の報知が行われているか否かを示す開始報知フラグ２０２が設けられており、この開始報知フラグ２０２には、「０」又は「１」の何れかの数値が格納されるようになっている。そして、開始報知フラグ２０２に格納されている数値が「０」である場合には、大当たり遊技が開始される旨の報知が行われていないことを示す一方、開始報知フラグ２０２に格納されている数値が「１」である場合には、大当たり遊技が開始される旨の報知が行われていることを示すようになっている。なお、以下の説明において、「開始報知フラグ２０２をＯＮにする」とは、開始報知フラグ２０２に格納されている数値を「０」から「１」に変更することをいい、「開始報知フラグ２０２をＯＦＦにする」とは、開始報知フラグ２０２に格納されている数値を「１」から「０」に変更することをいう。
【０１２５】
更にまた、表示制御ＲＡＭ１８２には、特別可変入賞装置４８が開放されている旨の報知が行われているか否かを示す開放報知フラグ２０４が設けられており、この開放報知フラグ２０４には、「０」又は「１」の何れかの数値が格納されるようになっている。そして、開放報知フラグ２０４に格納されている数値が「０」である場合には、特別可変入賞装置４８が開放されている旨の報知が行われていないことを示す一方、開放報知フラグ２０４に格納されている数値が「１」である場合には、特別可変入賞装置４８が開放されている旨の報知が行われていることを示すようになっている。なお、以下の説明において、「開放報知フラグ２０４をＯＮにする」とは、開放報知フラグ２０４に格納されている数値を「０」から「１」に変更することをいい、「開放報知フラグ２０４をＯＦＦにする」とは、開放報知フラグ２０４に格納されている数値を「１」から「０」に変更することをいう。
【０１２６】
更にまた、表示制御ＲＡＭ１８２には、次に開放される特別可変入賞装置４８の報知が行われているか否かを示す事前報知フラグ２０６が設けられており、この事前報知フラグ２０６には、「０」又は「１」の何れかの数値が格納されるようになっている。そして、事前報知フラグ２０６に格納されている数値が「０」である場合には、次に開放される特別可変入賞装置４８の報知が行われていないことを示す一方、事前報知フラグ２０６に格納されている数値が「１」である場合には、次に開放される特別可変入賞装置４８の報知が行われていることを示すようになっている。なお、以下の説明において、「事前報知フラグ２０６をＯＮにする」とは、事前報知フラグ２０６に格納されている数値を「０」から「１」に変更することをいい、「事前報知フラグ２０６をＯＦＦにする」とは、事前報知フラグ２０６に格納されている数値を「１」から「０」に変更することをいう。
【０１２７】
更にまた、表示制御ＲＡＭ１８２には、インターバル期間中であることの報知が行われているか否かを示す中間報知フラグ２０８が設けられており、この中間報知フラグ２０８には、「０」又は「１」の何れかの数値が格納されるようになっている。そして、中間報知フラグ２０８に格納されている数値が「０」である場合には、インターバル期間であることの報知が行われていないことを示す一方、中間報知フラグ２０８に格納されている数値が「１」である場合には、インターバル期間であることの報知が行われていることを示すようになっている。なお、以下の説明において、「中間報知フラグ２０８をＯＮにする」とは、中間報知フラグ２０８に格納されている数値を「０」から「１」に変更することをいい、「中間報知フラグ２０８をＯＦＦにする」とは、中間報知フラグ２０８に格納されている数値を「１」から「０」に変更することをいう。
【０１２８】
更にまた、表示制御ＲＡＭ１８２には、大当たり遊技が終了する旨の報知が行われているか否かを示す終了報知フラグ２１０が設けられており、この終了報知フラグ２１０には、「０」又は「１」の何れかの数値が格納されるようになっている。そして、終了報知フラグ２１０に格納されている数値が「０」である場合には、大当たり遊技が終了する旨の報知が行われていないことを示す一方、終了報知フラグ２１０に格納されている数値が「１」である場合には、大当たり遊技が終了する旨の報知が行われていることを示すようになっている。なお、以下の説明において、「終了報知フラグ２１０をＯＮにする」とは、終了報知フラグ２１０に格納されている数値を「０」から「１」に変更することをいい、「終了報知フラグ２１０をＯＦＦにする」とは、終了報知フラグ２１０に格納されている数値を「１」から「０」に変更することをいう。
【０１２９】
また、表示制御ＲＡＭ１８２には、受信した変動パターンのデータを記憶するための変動パターン記憶エリア２１２，受信した特別図柄３６，３８，４０のデータを記憶するための特別図柄記憶エリア２１４，受信した開始演出パターンが記憶される開始演出パターン記憶エリア２１６，受信した開放演出パターンが記憶される開放演出パターン記憶エリア２１８，受信した事前演出パターンが記憶される事前演出パターン記憶エリア２２０，受信した中間演出パターンが記憶される中間演出パターン記憶エリア２２２，受信した終了演出パターンが記憶される終了演出パターン記憶エリア２２４，選択した中間報知パターンが記憶される中間報知パターン記憶エリア２２６が設けられている。
【０１３０】
なお、本実施形態では、表示制御ＲＡＭ１８２に設けられているカウンタおよびフラグは、何れも、起動時に「０」にセットされるようになっている。
【０１３１】
また、プログラムＲＯＭ１８４には、中間報知パターンが記憶された中間報知パターン記憶エリア２２８が設けられている。
【０１３２】
【表２８】
2005334507.tif 000030
【０１３３】
表２８には、中間報知パターン選択テーブルが示されている。この中間報知パターン選択テーブルは、開放回数カウンタ１９６のカウンタ値を示す「カウンタ値」と、このカウンタ値に対応する「中間報知パターン」から構成されており、中間報知パターン選択テーブルと開放回数カウンタ１９６のカウンタ値に基づいてインターバル期間であることおよび次の特別可変入賞装置４８の開放が何ラウンド目かを報知する際の内容が規定された中間報知パターンが選択されるようになっている。そして、本実施形態では、開放回数カウンタ１９６のカウンタ値が「１」の場合に「中間報知パターンＡ」が、「２」の場合に「中間報知パターンＢ」が、「３」の場合に「中間報知パターンＣ」が、「４」の場合に「中間報知パターンＤ」が、「５」の場合に「中間報知パターンＥ」が、「６」の場合に「中間報知パターンＦ」が、「７」の場合に「中間報知パターンＧ」が、「８」の場合に「中間報知パターンＨ」が、「９」の場合に「中間報知パターンＩ」が、「１０」の場合に「中間報知パターンＪ」が、「１１」の場合に「中間報知パターンＫ」が、「１２」の場合に「中間報知パターンＬ」が、「１３」の場合に「中間報知パターンＭ」が、「１４」の場合に「中間報知パターンＮ」が、「１５」の場合に「中間報知パターンＯ」が、それぞれ、開放報知パターンとして選択されるようになっている。
【０１３４】
そこにおいて、本実施形態では、これらの中間報知パターンＡ〜Ｏの何れかが選択された場合には、今回の大当たり遊技において次に特別可変入賞装置４８が開放されるのが何回目であるかを報知するラウンド表示が液晶表示器３４の表示画面に表示されるようになっている。
【０１３５】
続いて、賞球払出制御回路９５の構成について、図７に基づいて説明する。図７に示されているように、賞球払出制御回路９５は、払出制御ＣＰＵ２３０，入力回路２３２，払出制御ＲＡＭ２３４，払出制御ＲＯＭ２３６，出力回路２３８を含んで構成されており、払出制御ＣＰＵ２３０に対して、入力回路２３２，払出制御ＲＡＭ２３４，払出制御ＲＯＭ２３６，出力回路２３８が、それぞれ、接続されている。また、払出制御ＣＰＵ２３０には、所定周期（例えば、４ｍｓ）毎にクロック信号を出力するクロック回路２４０が接続されている。なお、入力回路２３２には、主制御回路６８と賞球スイッチ２４８が接続されている。そこにおいて、賞球スイッチ２４８は、賞球モータ９３が駆動せしめられることによって払い出される賞球を検出するためのものである。また、出力回路２３８には、賞球払出モータ９３が接続されている。このような賞球払出制御回路９５は、一つの基板上に形成されており、かかる賞球払出制御回路９５が形成された基板は、基板ケースに収容されて、パチンコ機１０の裏側の適当な位置に固定されるようになっている。
【０１３６】
そして、払出制御ＣＰＵ２３０は、クロック回路２４０からクロック信号が入力された場合には、払出制御ＲＯＭ２３６に記憶されている制御プログラム等に従って、後述する払出制御側の遊技処理を実行するようになっており、それによって、入力回路２３２を通って入力される入力信号に基づいて賞球払出モータ９３を駆動するようになっている。
【０１３７】
また、払出制御ＲＡＭ２３４には、受信した賞球払出パターンＡが記憶される第一の賞球払出パターン記憶エリア２４２ａ，受信した賞球払出パターンＢが記憶される第二の賞球払出パターン記憶エリア２４２ｂが設けられている。
【０１３８】
更にまた、払出制御ＲＡＭ２３４には、賞球の払出が行われているか否かを示す賞球払出フラグ２４４が設けられており、この賞球払出フラグ２４４には、「０」又は「１」の何れかの数値が格納されるようになっている。そして、賞球払出フラグ２４４に格納されている数値が「０」である場合には、賞球の払出が行われていないことを示す一方、賞球払出フラグ２４４に格納されている数値が「１」である場合には、賞球の払出が行われていることを示すようになっている。なお、以下の説明において、「賞球払出フラグ２４４をＯＮにする」とは、賞球払出フラグ２４４に格納されている数値を「０」から「１」に変更することをいい、「賞球払出フラグ２４４をＯＦＦにする」とは、賞球払出フラグ２４４に格納されている数値を「１」から「０」に変更することをいう。
【０１３９】
また、払出制御ＲＡＭ２３４には、払出賞球カウンタ２４６が設けられている。この払出賞球カウンタ２４６は、受信した賞球払出パターンに基づいて所定数ずつ加算される一方、賞球スイッチ２４８が遊技球を検出する毎に１ずつ減算されていくものである。
【０１４０】
次に、主制御ＣＰＵ７０が実行する主制御側の遊技処理について、図８に基づいて説明する。先ず、主制御ＣＰＵ７０は、ステップ（以下、Ｓとする）１において、カウンタ値更新処理を実行する。このカウンタ値更新処理は、大当たり判定カウンタ９６，リーチハズレ判定カウンタ９８，装置選択カウンタ１００，大当たり図柄カウンタ１０２，左図柄カウンタ１０４，変動パターンカウンタ１１０の各カウンタ値を、それぞれ、１ずつ加算することによって行われる。そこにおいて、本実施形態では、左図柄カウンタ１０４のカウンタ値を１加算することによって左図柄カウンタ１０４のカウンタ値が一周した場合には、中図柄カウンタ１０６のカウンタ値を１加算する。また、中図柄カウンタ１０６のカウンタ値が一周した場合には、右図柄カウンタ１０８のカウンタ値を１加算する。
【０１４１】
続いて、主制御ＣＰＵ７０は、Ｓ２において、始動入賞処理を実行する。この始動入賞処理について、図９に基づいて説明する。先ず、主制御ＣＰＵ７０は、Ｓ２１において、始動入賞装置４２に遊技球が入賞したか否か、即ち、始動入賞スイッチ４４が遊技球の通過を検出したか否かを判定し、遊技球が始動入賞装置４２に入賞していない場合（Ｓ２１：ＮＯ）には、始動入賞処理を終了する一方、遊技球が始動入賞装置４２に入賞した場合には、Ｓ２２において、第一の賞球払出パターン記憶エリア１７１に記憶されている賞球払出パターンＡを賞球払出制御回路９５に向けて送信する賞球払出処理を実行した後、Ｓ２３において、記憶カウンタ１１２のカウンタ値が「５」であるか否か、即ち、記憶が上限であるか否かを判定する。
【０１４２】
記憶が上限である場合（Ｓ２３：ＹＥＳ）には、主制御ＣＰＵ７０は、始動入賞処理を終了する。一方、記憶が上限でない場合（Ｓ２３：ＮＯ）には、主制御ＣＰＵ７０は、Ｓ２４において、現在の大当たり判定カウンタ９６，リーチハズレ判定カウンタ９８，装置選択カウンタ１００，大当たり図柄カウンタ１０２の各カウンタ値を取得して、第一乃至第五のカウンタ値記憶エリア１４２ａ〜ｅのうち第一のカウンタ値記憶エリア１４２ａ側の空いている記憶エリアに記憶する。
【０１４３】
具体的には、第一のカウンタ値記憶エリア１４２ａにカウンタ値が記憶されていない、即ち、第一のカウンタ値記憶エリア１４２ａが空いている場合には第一のカウンタ値記憶エリア１４２ａに、第一のカウンタ値記憶エリア１４２ａが空いていない場合には第二のカウンタ値記憶エリア１４２ｂに、第一および第二のカウンタ値記憶エリア１４２ａ，ｂが空いていない場合には第三のカウンタ値記憶エリア１４２ｃに、第一乃至第三のカウンタ値記憶エリア１４２ａ〜ｃが空いていない場合には第四のカウンタ値記憶エリア１４２ｄに、第一乃至第四のカウンタ値記憶エリア１４２ａ〜ｄが空いていない場合には第五のカウンタ値記憶エリア１４２ｅに、取得した各カウンタ値が記憶されるようになっている。
【０１４４】
その後、主制御ＣＰＵ７０は、Ｓ２５において、記憶カウンタ１１２のカウンタ値を１加算して始動入賞処理を終了する。
【０１４５】
このような始動入賞処理を終了した主制御ＣＰＵ７０は、次に、特図変動開始処理（Ｓ３）を実行する。この特図変動開始処理について、図１０に基づいて説明する。先ず、主制御ＣＰＵ７０は、Ｓ３１において、大当たりフラグ１２６がＯＮになっているか否かを判定し、大当たりフラグ１２６がＯＮになっている場合（Ｓ３１：ＹＥＳ）には、特図変動開始処理を終了する。
【０１４６】
大当たりフラグ１２６がＯＦＦになっている場合（Ｓ３１：ＮＯ）には、主制御ＣＰＵ７０は、Ｓ３２において、記憶カウンタ１１２のカウンタ値が「１」以上であるか否かを判定し、記憶カウンタ１１２のカウンタ値が「０」である場合（Ｓ３２：ＮＯ）には、特図変動開始処理を終了する一方、記憶カウンタ１１２のカウンタ値が「１」以上である場合（Ｓ３２：ＹＥＳ）には、Ｓ３３において、変動処理フラグ１２４がＯＮであるか否かを判定し、変動処理フラグ１２４がＯＮになっている場合（Ｓ３３：ＹＥＳ）には、特図変動開始処理を終了する。
【０１４７】
変動処理フラグ１２４がＯＦＦである場合（Ｓ３３：ＮＯ）には、主制御ＣＰＵ７０は、Ｓ３４において、変動処理フラグ１２４をＯＮにした後、Ｓ３５において、第一のカウンタ値記憶エリア１４２ａに記憶された大当たり判定カウンタ９６のカウンタ値と大当たり判定テーブルに基づいて大当たり判定カウンタ９６のカウンタ値が大当たり数値（本実施形態では、「７」）であるか否かを判定する。
【０１４８】
大当たり数値である場合（Ｓ３５：ＹＥＳ）には、主制御ＣＰＵ７０は、Ｓ３６において、第一のカウンタ値記憶エリア１４２ａに記憶されている大当たり図柄カウンタ１０２のカウンタ値と大当たり図柄選択テーブルに基づいて特別図柄３６，３８，４０の大当たり図柄組み合わせを選択し、選択した特別図柄３６，３８，４０の大当たり図柄組み合わせのデータを停止図柄記憶エリア１４６に記憶する。次に、主制御ＣＰＵ７０は、Ｓ３７において、現在の変動パターンカウンタ１１０のカウンタ値と第一の変動パターン選択テーブルに基づいて変動パターンを選択し、選択した変動パターンのデータを変動パターン記憶エリア１４４に記憶した後、Ｓ４３以降の処理を実行する。
【０１４９】
大当たり数値でない場合（Ｓ３５：ＮＯ）には、主制御ＣＰＵ７０は、Ｓ３８において、第一のカウンタ値記憶エリア１４２ａに記憶されているリーチハズレ判定カウンタ９８のカウンタ値とリーチハズレ判定テーブルに基づいてリーチハズレであるか否かを判定する。
【０１５０】
リーチハズレである場合（Ｓ３８：ＹＥＳ）には、主制御ＣＰＵ７０は、Ｓ３９において、現在の左図柄カウンタ１０４のカウンタ値と左図柄選択テーブルに基づいて左特別図柄３６の停止図柄を選択し、現在の中図柄カウンタ１０６のカウンタ値と中図柄選択テーブルに基づいて中特別図柄３８の停止図柄を選択し、更に、右特別図柄４０の停止図柄として左特別図柄３６の停止図柄と同じものを選択した後、このように選択した特別図柄３６，３８，４０の図柄組み合わせを停止図柄記憶エリア１４６に記憶する。そこにおいて、左特別図柄３６の停止図柄と右特別図柄４０の停止図柄が同じものになってしまった場合には、中特別図柄３８の停止図柄を左特別図柄３６の停止図柄と異なるものに変更する。具体的には、例えば、中特別図柄３８の停止図柄を左特別図柄３６の停止図柄よりも１大きなものに変更したりする。次に、主制御ＣＰＵ７０は、Ｓ４０において、現在の変動パターンカウンタ１１０のカウンタ値と第二の変動パターン選択テーブルに基づいて変動パターンを選択し、選択した変動パターンのデータを変動パターン記憶エリア１４４に記憶した後、Ｓ４３以降の処理を実行する。
【０１５１】
リーチハズレでない場合（Ｓ３８：ＮＯ）には、主制御ＣＰＵ７０は、Ｓ４１において、現在の左図柄カウンタ１０４のカウンタ値と左図柄選択テーブルに基づいて左特別図柄３６の停止図柄を選択し、現在の中図柄カウンタ１０６のカウンタ値と中図柄選択テーブルに基づいて中特別図柄３８の停止図柄を選択し、更に、現在の右図柄カウンタ１０８のカウンタ値と右図柄選択テーブルに基づいて右特別図柄４０の停止図柄を選択した後、このように選択した特別図柄３６，３８，４０の図柄組み合わせを停止図柄記憶エリア１４６に記憶する。そこにおいて、左特別図柄３６の停止図柄と右特別図柄４０の停止図柄が同じものになってしまった場合には、右特別図柄４０の停止図柄を左特別図柄３６の停止図柄と異なるものに変更する。具体的には、例えば、右特別図柄４０の停止図柄を左特別図柄３６の停止図柄よりも１大きなものに変更したりする。次に、主制御ＣＰＵ７０は、Ｓ４２において、現在の変動パターンカウンタ１１０のカウンタ値と第三の変動パターン選択テーブルに基づいて変動パターンを選択し、選択した変動パターンのデータを変動パターン記憶エリア１４４に記憶した後、Ｓ４３以降の処理を実行する。
【０１５２】
そして、主制御ＣＰＵ７０は、Ｓ４３において、変動用タイマカウンタ１１８のカウンタ値を変動パターン記憶エリア１４４に記憶されている変動パターンに対応した初期値にセットした後、Ｓ４４において、変動パターン記憶エリア１４４に記憶されている変動パターンのデータを表示制御回路８４に向けて送信する。次に、主制御ＣＰＵ７０は、Ｓ４５において、停止図柄記憶エリア１４６に記憶されている特別図柄３６，３８，４０のデータを表示制御回路８４に送信した後、特図変動開始処理を終了する。
【０１５３】
このような特図変動開始処理を実行した主制御ＣＰＵ７０は、続いて、特図変動監視処理（Ｓ４）を実行する。この特図変動監視処理について、図１１に基づいて説明する。先ず、主制御ＣＰＵ７０は、Ｓ５１において、大当たりフラグ１２６がＯＮになっているか否かを判定し、大当たりフラグ１２６がＯＮになっている場合（Ｓ５１：ＹＥＳ）には、特図変動監視処理を終了する。
【０１５４】
大当たりフラグ１２６がＯＦＦになっている場合（Ｓ５１：ＮＯ）には、主制御ＣＰＵ７０は、Ｓ５２において、変動処理フラグ１２４がＯＮになっているか否かを判定し、変動処理フラグ１２４がＯＦＦになっている場合（Ｓ５２：ＮＯ）には、特図変動監視処理を終了する一方、変動処理フラグ１２４がＯＮになっている場合（Ｓ５２：ＹＥＳ）には、Ｓ５３において、変動用タイマカウンタ１１８のカウンタ値が「０」であるか否か、即ち、変動表示時間が終了したか否かを判定する。
【０１５５】
変動表示時間が終了していない場合（Ｓ５３：ＮＯ）には、主制御ＣＰＵ７０は、Ｓ５４において、変動用タイマカウンタ１１８のカウンタ値を１減算した後、特図変動監視処理を終了する一方、変動表示時間が終了している場合（Ｓ５３：ＹＥＳ）には、Ｓ５５において、全ての特別図柄３６，３８，４０を停止表示させるための制御信号（停止コマンド）を表示制御回路８４に送信する停止表示処理を実行する。
【０１５６】
続いて、主制御ＣＰＵ７０は、Ｓ５６において、変動パターン記憶エリア１４４に記憶されている変動パターンのデータが大当たりの場合における変動パターンのデータであるか否かを判定する。
【０１５７】
大当たりの場合における変動パターンのデータでない場合（Ｓ５６：ＮＯ）には、主制御ＣＰＵ７０は、後述するＳ６５以降の制御処理を実行する一方、大当たりの場合における変動パターンのデータである場合（Ｓ５６：ＹＥＳ）には、主制御ＣＰＵ７０は、Ｓ５７において、大当たりフラグ１２６をＯＮにした後、Ｓ５８において、第一のカウンタ値記憶エリア１４２ａに記憶されている装置選択カウンタ１００のカウンタ値と開放順序選択テーブルに基づいて開放順序選択テーブルを選択してセットする。
【０１５８】
続いて、主制御ＣＰＵ７０は、Ｓ５９において、現在の開放回数カウンタのカウンタ値とＳ５８においてセットした開放順序テーブルに基づいて今回の大当たり遊技において最初に開放される特別可変入賞装置４８を選択し、選択した特別可変入賞装置４８が第一の特別可変入賞装置５６である場合には開放装置フラグ１２８をＯＦＦにする一方、選択した特別可変入賞装置４８が第二の特別可変入賞装置５８である場合には開放装置フラグ１２８をＯＮにする開放装置決定処理を実行する。
【０１５９】
次に、主制御ＣＰＵ７０は、Ｓ６０において、開放装置フラグ１２８がＯＮであるか否かを判定し、開放装置フラグ１２８がＯＦＦである場合（Ｓ６０：ＮＯ）には、Ｓ６１において、第一の開始演出パターン記憶エリア１７４ａに記憶されている開始演出パターンＡを表示制御回路８４に向けて送信した後、Ｓ６３以降の処理を実行する。
【０１６０】
開放装置フラグ１２８がＯＮである場合（Ｓ６０：ＹＥＳ）には、主制御ＣＰＵ７０は、Ｓ６２において、第二の開始演出パターン記憶エリア１７４ｂに記憶されている開始演出パターンＢを表示制御回路８４に向けて送信した後、Ｓ６３以降の処理を実行する。
【０１６１】
Ｓ６３において、主制御ＣＰＵ７０は、報知用タイマカウンタ１２２のカウンタ値を初期値にセットし、Ｓ６４において、開始報知フラグ１３４をＯＮにする。そこにおいて、本実施形態では、Ｓ６３においてセットされる報知用タイマカウンタ１２２のカウンタ値は、後述する「１」又は「２」の数字図柄が停止表示されるまでの時間に相当するものである。
【０１６２】
次に、主制御ＣＰＵ７０は、Ｓ６５において、変動表示終了処理を実行する。この変動表示終了処理は、変動処理フラグ１２４をＯＦＦにすると共に、第一のカウンタ値記憶エリア１４２ａに記憶されている各種カウンタ値を消去するものである。
【０１６３】
続いて、主制御ＣＰＵ７０は、Ｓ６６において、記憶カウンタ１１２のカウンタ値が「２」以上であるか否かを判定し、記憶カウンタ１１２のカウンタ値が「２」以上でない場合（Ｓ６６：ＮＯ）には、Ｓ６８以降の処理を実行する。
【０１６４】
記憶カウンタ１１２のカウンタ値が「２」以上である場合（Ｓ６６：ＹＥＳ）には、主制御ＣＰＵ７０は、Ｓ６７において、第二乃至第五のカウンタ値記憶エリア１４２ｂ〜ｅに記憶されている各種カウンタ値を第一のカウンタ値記憶エリア１４２ａの側のカウンタ値記憶エリア１４２に一つシフトして記憶する。
【０１６５】
具体的には、第二のカウンタ値記憶エリア１４２ｂに記憶されている各種カウンタ値は第一のカウンタ値記憶エリア１４２ａに、第三のカウンタ値記憶エリア１４２ｃに記憶されている各種カウンタ値は第二のカウンタ値記憶エリア１４２ｂに、第四のカウンタ値記憶エリア１４２ｄに記憶されている各種カウンタ値は第三のカウンタ値記憶エリア１４２ｃに、第五のカウンタ値記憶エリア１４２ｅに記憶されている各種カウンタ値は第四のカウンタ値記憶エリア１４２ｄに記憶されるようになっている。
【０１６６】
その後、主制御ＣＰＵ７０は、Ｓ６８において、記憶カウンタ１１２のカウンタ値を１減算して、特図変動監視処理を終了する。
【０１６７】
特図変動監視処理を終了した主制御ＣＰＵ７０は、次に、開始報知監視処理（Ｓ５）を実行する。この開始報知監視処理について、図１２に基づいて説明する。先ず、主制御ＣＰＵ７０は、Ｓ７１において、大当たりフラグ１２６がＯＮであるか否かを判定する。大当たりフラグ１２６がＯＦＦである場合（Ｓ７１：ＮＯ）には、主制御ＣＰＵ７０は、開始報知監視処理を終了する。
【０１６８】
一方、大当たりフラグ１２６がＯＮである場合（Ｓ７１：ＹＥＳ）には、主制御ＣＰＵ７０は、Ｓ７２において、開始報知フラグ１３４がＯＮになっているか否かを判定し、開始報知フラグ１３４がＯＦＦである場合（Ｓ７２：ＮＯ）には、開始報知監視処理を終了する一方、開始報知フラグ１３４がＯＮである場合（Ｓ７２：ＹＥＳ）には、Ｓ７３において、報知時間が終了しているか否かを判定する。具体的には、報知用タイマカウンタ１２２のカウンタ値が「０」になっているか否かを判定する。
【０１６９】
報知時間が終了していない場合（Ｓ７３：ＮＯ）には、主制御ＣＰＵ７０は、Ｓ７４において、報知用タイマカウンタ１２２のカウンタ値を１減算した後、開始報知監視処理を終了する一方、報知時間が終了している場合（Ｓ７３：ＹＥＳ）には、主制御ＣＰＵ７０は、Ｓ７５において、開始報知フラグ１３４をＯＦＦにした後、Ｓ７６において、開放演出パターン記憶エリア１７５に記憶されている開放演出パターンを表示制御回路８４に向けて送信する。
【０１７０】
続いて、主制御ＣＰＵ７０は、Ｓ７７において、開放装置フラグ１２８がＯＮになっているか否かを判定し、開放装置フラグ１２８がＯＮになっている場合（Ｓ７７：ＹＥＳ）には、Ｓ７８において、第二の特別可変入賞装置５８を開放した後、Ｓ７９において、扉用タイマカウンタ１２０のカウンタ値を予め定められた初期値にセットする。そこにおいて、本実施形態では、Ｓ７９においてセットされる扉用タイマカウンタ１２０のカウンタ値は、第二の特別可変入賞装置５８の開放時間に相当するものである。
【０１７１】
そして、主制御ＣＰＵ７０は、Ｓ８０において、第二の開放フラグ１３２をＯＮにし、Ｓ８１において、開放回数カウンタ１１４のカウンタ値を１加算した後、開始報知監視処理を終了する。
【０１７２】
開放装置フラグ１２８がＯＦＦになっている場合（Ｓ７７：ＮＯ）には、主制御ＣＰＵ７０は、Ｓ８２において、第一の特別可変入賞装置５６を開放した後、Ｓ８３において、扉用タイマカウンタ１２０のカウンタ値を予め定められた初期値にセットする。そこにおいて、本実施形態では、Ｓ８３においてセットされる扉用タイマカウンタ１２０のカウンタ値は、第一の特別可変入賞装置５６の開放時間に相当するものである。
【０１７３】
そして、主制御ＣＰＵ７０は、Ｓ８４において、第一の開放フラグ１３０をＯＮにした後、Ｓ８１以降の処理を実行する。
【０１７４】
このような開始報知監視処理を実行した主制御ＣＰＵ７０は、次に、第一の装置開放処理（Ｓ６）を実行する。この第一の装置開放処理について、図１３に基づいて説明する。先ず、主制御ＣＰＵ７０は、Ｓ９１において、大当たりフラグ１２６がＯＮになっているか否かを判定し、大当たりフラグ１２６がＯＦＦになっている場合（Ｓ９１：ＮＯ）には、第一の装置開放処理を終了する。
【０１７５】
大当たりフラグ１２６がＯＮになっている場合（Ｓ９１：ＹＥＳ）には、主制御ＣＰＵ７０は、Ｓ９２において、第一の開放フラグ１３０がＯＮになっているか否かを判定し、第一の開放フラグ１３０がＯＦＦになっている場合（Ｓ９２：ＮＯ）には、第一の装置開放処理を終了する一方、第一の開放フラグ１３０がＯＮになっている場合（Ｓ９２：ＹＥＳ）には、Ｓ９３において、第一のカウントスイッチ６２が遊技球を検出したか否かを判定する。
【０１７６】
第一のカウントスイッチ６２が遊技球の通過を検出していない場合（Ｓ９３：ＮＯ）には、主制御ＣＰＵ７０は、Ｓ９４において、扉用タイマカウンタ１２０のカウンタ値を１減算した後、Ｓ９５において、事前報知フラグ１３８がＯＮになっているか否かを判定する。
【０１７７】
事前報知フラグ１３８がＯＮになっている場合（Ｓ９５：ＹＥＳ）には、主制御ＣＰＵ７０は、Ｓ９６において、報知時間が終了したか否か、即ち、報知用タイマカウンタ１２２のカウンタ値が「０」になっているか否かを判定する。
【０１７８】
報知時間が終了していない場合（Ｓ９６：ＮＯ）には、主制御ＣＰＵ７０は、Ｓ９７において、報知用タイマカウンタ１２２のカウンタ値を１減算した後、Ｓ９８において、入賞数カウンタ１１６のカウンタ値が「１５」以上であるか否かを判定する。
【０１７９】
なお、事前報知フラグ１３８がＯＦＦになっている場合（Ｓ９５：ＮＯ）および報知時間が終了している場合（Ｓ９６：ＹＥＳ）には、主制御ＣＰＵ７０は、Ｓ９８以降の処理を実行するようになっている。
【０１８０】
入賞数カウンタ１１６のカウンタ値が「１５」以上である場合（Ｓ９８：ＹＥＳ）には、主制御ＣＰＵ７０は、Ｓ９９において、第一の特別可変入賞装置５６を閉鎖した後、Ｓ１００において、第一の開放フラグ１３０をＯＦＦにする。
【０１８１】
続いて、主制御ＣＰＵ７０は、Ｓ１０１において、入賞数カウンタ１１６のカウンタ値を「０」にし、Ｓ１０２において、開放回数カウンタ１１４のカウンタ値が「１６」であるか否かを判定する。
【０１８２】
開放回数カウンタ１１４のカウンタ値が１６である場合（Ｓ１０２：ＹＥＳ）には、主制御ＣＰＵ７０は、Ｓ１０３において、終了演出パターン記憶エリア１７６に記憶されている終了演出パターンを表示制御回路８４に向けて送信し、Ｓ１０４において、報知用タイマカウンタ１２２のカウンタ値を予め定められた初期値にセットする。そこにおいて、本実施形態では、Ｓ１０４においてセットされる報知用タイマカウンタ１２２のカウンタ値は、終了演出パターンに基づく大当たり遊技の終了の報知に要する時間に相当するものである。
【０１８３】
そして、主制御ＣＰＵ７０は、Ｓ１０５において、終了報知フラグ１４０をＯＮにするフラグ変更処理を実行した後、第一の装置開放処理を終了する。
【０１８４】
開放回数カウンタ１１４のカウンタ値が「１６」でない場合（Ｓ１０２：ＮＯ）には、主制御ＣＰＵ７０は、Ｓ１０６において、開放回数カウンタ１１４のカウンタ値を１加算した後、Ｓ１０７において、事前報知フラグ１３８がＯＮになっているか否かを判定し、事前報知フラグ１３８がＯＦＦになっている場合（Ｓ１０７：ＮＯ）には、Ｓ１０３以降の処理を実行する一方、事前報知フラグ１３８がＯＮになっている場合（Ｓ１０７：ＹＥＳ）には、Ｓ１０８において、報知用タイマカウンタ１２２のカウンタ値が「０」になっているか否か、即ち、報知時間が終了したか否かを判定する。
【０１８５】
報知時間が終了している場合（Ｓ１０８：ＹＥＳ）には、主制御ＣＰＵ７０は、Ｓ１０９において、中間演出パターン記憶エリア１７４に記憶されている中間演出パターンを表示制御回路８４に向けて送信した後、Ｓ１１０において、報知用タイマカウンタ１２２のカウンタ値を予め定められた初期値にセットする。そこにおいて、本実施形態では、Ｓ１１０においてセットされる報知用タイマカウンタ１２２のカウンタ値は、インターバル期間に相当するものである。
【０１８６】
そして、主制御ＣＰＵ７０は、Ｓ１１１において、中間報知フラグ１３６をＯＮすると共に、事前報知フラグ１３８をＯＦＦにするフラグ変更処理を実行した後、第一の装置開放処理を終了する。
【０１８７】
報知時間が終了していない場合（Ｓ１０８：ＮＯ）には、主制御ＣＰＵ７０は、Ｓ１１２において、報知待ちフラグ１３９をＯＮにした後、第一の装置開放処理を終了する。
【０１８８】
第一のカウントスイッチ６２が遊技球の入賞を検出した場合（Ｓ９３：ＹＥＳ）には、主制御ＣＰＵ７０は、Ｓ１１３において、入賞数カウンタ１１６のカウンタ値を１加算し、Ｓ１１４において、第二の賞球払出パターン記憶エリア１７３に記憶されている賞球払出パターンＢを賞球払出制御回路９５に向けて送信する賞球払出処理を実行した後、Ｓ１１５において、入賞数カウンタ１１６のカウンタ値が「１」であるか否かを判定する。
【０１８９】
入賞数カウンタ１１６のカウンタ値が「１」でない場合（Ｓ１１５：ＮＯ）には、主制御ＣＰＵ７０は、Ｓ９４以降の処理を実行する一方、入賞数カウンタ１１６のカウンタ値が「１」である場合（Ｓ１１５：ＹＥＳ）には、主制御ＣＰＵ７０は、Ｓ１１６において、開放回数カウンタ１１４のカウンタ値が「１６」であるか否かを判定し、開放回数カウンタ１１４のカウンタ値が「１６」である場合（Ｓ１１６：ＹＥＳ）には、Ｓ９４以降の処理を実行する。
【０１９０】
一方、開放回数カウンタ１１４のカウンタ値が「１６」でない場合（Ｓ１１６：ＮＯ）には、主制御ＣＰＵ７０は、Ｓ１１７において、予めセットしてある開放順序テーブルと現在の開放回数カウンタ１１４のカウンタ値に基づいて次に開放される特別可変入賞装置４８を決定し、次に開放される特別可変入賞装置４８が第一の特別可変入賞装置５６である場合には開放装置フラグ１２８をＯＦＦにする一方、次に開放される特別可変入賞装置４８が第二の特別可変入賞装置５８である場合には開放装置フラグ１２８をＯＮにする開放装置決定処理を実行する。
【０１９１】
続いて、主制御ＣＰＵ７０は、Ｓ１１８において、開放装置フラグ１２８がＯＮになっているか否かを判定し、開放装置フラグ１２８がＯＮになっている場合（Ｓ１１８：ＹＥＳ）には、Ｓ１１９において、第二の事前演出パターン記憶エリア１７７ｂに記憶されている事前演出パターンＢを表示制御回路８４に向けて送信した後、Ｓ１２０において、事前報知フラグ１３８をＯＮにする。
【０１９２】
そして、主制御ＣＰＵ７０は、Ｓ１２１において、報知用タイマカウンタ１２２のカウンタ値を初期値にセットした後、Ｓ９４以降の処理を実行する。そこにおいて、本実施形態では、Ｓ１２１においてセットされる報知用タイマカウンタ１２２のカウンタ値は、後述する「１」又は「２」の数字図柄が液晶表示器３４の表示画面に停止表示されるまでの時間に相当するものである。
【０１９３】
開放装置フラグ１２８がＯＦＦになっている場合（Ｓ１１８：ＮＯ）には、主制御ＣＰＵ７０は、Ｓ１２２において、第一の事前演出パターン記憶エリア１７７ａに記憶されている事前演出パターンＡを表示制御回路８４に向けて送信した後、Ｓ１２０以降の処理を実行する。
【０１９４】
入賞数カウンタのカウンタ値が「１５」以上でない場合（Ｓ９８：ＮＯ）には、主制御ＣＰＵ７０は、Ｓ１２３において、第一の特別可変入賞装置５６の開放時間が経過したか否かを判定する。具体的には、扉用タイマカウンタ１２０のカウンタ値が「０」になっているか否かを判定する。
【０１９５】
開放時間が経過している場合（Ｓ１２３：ＹＥＳ）には、主制御ＣＰＵ７０は、Ｓ９９以降の処理を実行する一方、開放時間が経過していない場合（Ｓ１２３：ＮＯ）には、主制御ＣＰＵ７０は、第一の装置開放処理を終了する。
【０１９６】
このような第一の装置開放処理を実行した主制御ＣＰＵ７０は、次に、第二の装置開放処理（Ｓ７）を実行する。この第二の装置開放処理について、図１４に基づいて説明する。先ず、主制御ＣＰＵ７０は、Ｓ１３１において、大当たりフラグ１２６がＯＮになっているか否かを判定し、大当たりフラグ１２６がＯＦＦになっている場合（Ｓ１３１：ＮＯ）には、第二の装置開放処理を終了する。
【０１９７】
大当たりフラグ１２６がＯＮになっている場合（Ｓ１３１：ＹＥＳ）には、主制御ＣＰＵ７０は、Ｓ１３２において、第二の開放フラグ１３２がＯＮになっているか否かを判定し、第二の開放フラグ１３２がＯＦＦになっている場合（Ｓ１３２：ＮＯ）には、第二の装置開放処理を終了する一方、第二の開放フラグ１３２がＯＮになっている場合（Ｓ１３２：ＹＥＳ）には、Ｓ１３３において、第二のカウントスイッチ６６が遊技球を検出したか否かを判定する。
【０１９８】
第二のカウントスイッチ６６が遊技球の通過を検出していない場合（Ｓ１３３：ＮＯ）には、主制御ＣＰＵ７０は、Ｓ１３４において、扉用タイマカウンタ１２０のカウンタ値を１減算した後、Ｓ１３５において、事前報知フラグ１３８がＯＮになっているか否かを判定する。
【０１９９】
事前報知フラグ１３８がＯＮになっている場合（Ｓ１３５：ＹＥＳ）には、主制御ＣＰＵ７０は、Ｓ１３６において、報知時間が終了したか否か、即ち、報知用タイマカウンタ１２２のカウンタ値が「０」になっているか否かを判定する。
【０２００】
報知時間が終了していない場合（Ｓ１３６：ＮＯ）には、主制御ＣＰＵ７０は、Ｓ１３７において、報知用タイマカウンタ１２２のカウンタ値を１減算した後、Ｓ１３８において、入賞数カウンタ１１６のカウンタ値が「８」以上であるか否かを判定する。
【０２０１】
なお、事前報知フラグ１３８がＯＦＦになっている場合（Ｓ１３５：ＮＯ）および報知時間が終了している場合（Ｓ１３６：ＹＥＳ）には、主制御ＣＰＵ７０は、Ｓ１３８以降の処理を実行するようになっている。
【０２０２】
入賞数カウンタ１１６のカウンタ値が「８」以上である場合（Ｓ１３８：ＹＥＳ）には、主制御ＣＰＵ７０は、Ｓ１３９において、第二の特別可変入賞装置５８を閉鎖した後、Ｓ１４０において、第二の開放フラグ１３２をＯＦＦにする。
【０２０３】
続いて、主制御ＣＰＵ７０は、Ｓ１４１において、入賞数カウンタ１１６のカウンタ値を「０」にし、Ｓ１４２において、開放回数カウンタ１１４のカウンタ値が「１６」であるか否かを判定する。
【０２０４】
開放回数カウンタ１１４のカウンタ値が１６である場合（Ｓ１４２：ＹＥＳ）には、主制御ＣＰＵ７０は、Ｓ１４３において、終了演出パターン記憶エリア１７６に記憶されている終了演出パターンを表示制御回路８４に向けて送信し、Ｓ１４４において、報知用タイマカウンタ１２２のカウンタ値を予め定められた初期値にセットする。そこにおいて、本実施形態では、Ｓ１４４においてセットされる報知用タイマカウンタ１２２のカウンタ値は、終了演出パターンに基づく大当たり遊技の終了の報知に要する時間に相当するものである。
【０２０５】
そして、主制御ＣＰＵ７０は、Ｓ１４５において、終了報知フラグ１４０をＯＮにするフラグ変更処理を実行した後、第二の装置開放処理を終了する。
【０２０６】
開放回数カウンタ１１４のカウンタ値が「１６」でない場合（Ｓ１４２：ＮＯ）には、主制御ＣＰＵ７０は、Ｓ１４６において、開放回数カウンタ１１４のカウンタ値を１加算した後、Ｓ１４７において、事前報知フラグ１３８がＯＮになっているか否かを判定し、事前報知フラグ１３８がＯＦＦになっている場合（Ｓ１４７：ＮＯ）には、Ｓ１４５以降の処理を実行する一方、事前報知フラグ１３８がＯＮになっている場合（Ｓ１４７：ＹＥＳ）には、Ｓ１４８において、報知用タイマカウンタ１２２のカウンタ値が「０」になっているか否か、即ち、報知時間が終了したか否かを判定する。
【０２０７】
報知時間が終了している場合（Ｓ１４８：ＹＥＳ）には、主制御ＣＰＵ７０は、Ｓ１４９において、中間演出パターン記憶エリア１７４に記憶されている中間演出パターンを表示制御回路８４に向けて送信した後、Ｓ１５０において、報知用タイマカウンタ１２２のカウンタ値を予め定められた初期値にセットする。そこにおいて、本実施形態では、Ｓ１５０においてセットされる報知用タイマカウンタ１２２のカウンタ値は、インターバル期間に相当するものである。
【０２０８】
そして、主制御ＣＰＵ７０は、Ｓ１５１において、中間報知フラグ１３６をＯＮすると共に、事前報知フラグ１３８をＯＦＦにするフラグ変更処理を実行した後、第二の装置開放処理を終了する。
【０２０９】
報知時間が終了していない場合（Ｓ１４８：ＮＯ）には、主制御ＣＰＵ７０は、Ｓ１５２において、報知待ちフラグ１３９をＯＮにした後、第二の装置開放処理を終了する。
【０２１０】
第二のカウントスイッチ６６が遊技球の入賞を検出した場合（Ｓ１３３：ＹＥＳ）には、主制御ＣＰＵ７０は、Ｓ１５３において、入賞数カウンタ１１６のカウンタ値を１加算し、Ｓ１５４において、第二の賞球払出パターン記憶エリア１７３に記憶されている賞球払出パターンＢを賞球払出制御回路９５に向けて送信する賞球払出処理を実行した後、Ｓ１５５において、入賞数カウンタ１１６のカウンタ値が「１」であるか否かを判定する。
【０２１１】
入賞数カウンタ１１６のカウンタ値が「１」でない場合（Ｓ１５５：ＮＯ）には、主制御ＣＰＵ７０は、Ｓ１３４以降の処理を実行する一方、入賞数カウンタ１１６のカウンタ値が「１」である場合（Ｓ１５５：ＹＥＳ）には、主制御ＣＰＵ７０は、Ｓ１５６において、開放回数カウンタ１１４のカウンタ値が「１６」であるか否かを判定し、開放回数カウンタ１１４のカウンタ値が「１６」である場合（Ｓ１５６：ＹＥＳ）には、Ｓ１３４以降の処理を実行する。
【０２１２】
一方、開放回数カウンタ１１４のカウンタ値が「１６」でない場合（Ｓ１５６：ＮＯ）には、主制御ＣＰＵ７０は、Ｓ１５７において、予めセットしてある開放順序テーブルと現在の開放回数カウンタ１１４のカウンタ値に基づいて次に開放される特別可変入賞装置４８を決定し、次に開放される特別可変入賞装置４８が第一の特別可変入賞装置５６である場合には開放装置フラグ１２８をＯＦＦにする一方、次に開放される特別可変入賞装置４８が第二の特別可変入賞装置５８である場合には開放装置フラグ１２８をＯＮにする開放装置決定処理を実行する。
【０２１３】
続いて、主制御ＣＰＵ７０は、Ｓ１５８において、開放装置フラグ１２８がＯＮになっているか否かを判定し、開放装置フラグ１２８がＯＮになっている場合（Ｓ１５８：ＹＥＳ）には、Ｓ１５９において、第二の事前演出パターン記憶エリア１７７ｂに記憶されている事前演出パターンＢを表示制御回路８４に向けて送信した後、Ｓ１６０において、事前報知フラグ１３８をＯＮにする。
【０２１４】
そして、主制御ＣＰＵ７０は、Ｓ１６１において、報知用タイマカウンタ１２２のカウンタ値を初期値にセットした後、Ｓ１３４以降の処理を実行する。そこにおいて、本実施形態では、Ｓ１６１においてセットされる報知用タイマカウンタ１２２のカウンタ値は、後述する「１」又は「２」の数字図柄が停止表示されるまでの時間に相当するものである。
【０２１５】
開放装置フラグ１２８がＯＦＦになっている場合（Ｓ１５８：ＮＯ）には、主制御ＣＰＵ７０は、Ｓ１６２において、第一の事前演出パターン記憶エリア１７７ａに記憶されている事前演出パターンＡを表示制御回路８４に向けて送信した後、Ｓ１６０以降の処理を実行する。
【０２１６】
入賞数カウンタのカウンタ値が「８」以上でない場合（Ｓ１３８：ＮＯ）には、主制御ＣＰＵ７０は、Ｓ１６３において、第二の特別可変入賞装置５８の開放時間が経過したか否かを判定する。具体的には、扉用タイマカウンタ１２０のカウンタ値が「０」になっているか否かを判定する。
【０２１７】
開放時間が経過している場合（Ｓ１６３：ＹＥＳ）には、主制御ＣＰＵ７０は、Ｓ１３９以降の処理を実行する一方、開放時間が経過していない場合（Ｓ１６３：ＮＯ）には、主制御ＣＰＵ７０は、第二の装置開放処理を終了する。
【０２１８】
このような第二の装置開放処理を終了した主制御ＣＰＵ７０は、続いて、報知待ち処理（Ｓ８）を実行する。この報知待ち処理について、図１５に基づいて説明する。先ず、主制御ＣＰＵ７０は、Ｓ１７１において、大当たりフラグ１２６がＯＮになっているか否かを判定し、大当たりフラグ１２６がＯＦＦになっている場合（Ｓ１７１：ＮＯ）には、報知待ち処理を終了する一方、大当たりフラグ１２６がＯＮになっている場合（Ｓ１７１：ＹＥＳ）には、Ｓ１７２において、報知待ちフラグ１３９がＯＮになっているか否かを判定する。
【０２１９】
報知待ちフラグ１３９がＯＦＦになっている場合（Ｓ１７２：ＮＯ）には、主制御ＣＰＵ７０は、報知待ち処理を終了する一方、報知待ちフラグ１３９がＯＮになっている場合（Ｓ１７２：ＹＥＳ）には、主制御ＣＰＵ７０は、Ｓ１７３において、報知用タイマカウンタ１２２のカウンタ値を１減算する。
【０２２０】
続いて、主制御ＣＰＵ７０は、Ｓ１７４において、報知時間が終了したか否か、即ち、報知用タイマカウンタ１２２のカウンタ値が「０」になっているか否かを判定し、報知時間が終了していない場合（Ｓ１７４：ＮＯ）には、報知待ち処理を終了する一方、報知時間が終了している場合（Ｓ１７４：ＹＥＳ）には、Ｓ１７５において、中間演出パターン記憶エリア１７４に記憶されている中間演出パターンを表示制御回路８４に向けて送信した後、Ｓ１７６において、報知用タイマカウンタ１２２のカウンタ値を初期値にセットする。そこにおいて、本実施形態では、Ｓ１７６においてセットされる報知用タイマカウンタ１２２のカウンタ値は、インターバル期間に相当するものである。
【０２２１】
そして、主制御ＣＰＵ７０は、Ｓ１７７において、事前報知フラグ１３８と報知待ちフラグ１３９を、それぞれ、ＯＦＦにすると共に、中間報知フラグ１３６をＯＮにするフラグ変更処理を実行した後、報知待ち処理を終了する。
【０２２２】
このような報知待ち処理を実行した主制御ＣＰＵ７０は、次に、中間報知監視処理（Ｓ９）を実行する。この中間報知監視処理について、図１６に基づいて説明する。先ず、主制御ＣＰＵ７０は、Ｓ１８１において、大当たりフラグ１２６がＯＮになっているか否かを判定し、大当たりフラグ１２６がＯＦＦになっている場合（Ｓ１８１：ＮＯ）には、中間報知監視処理を終了する一方、大当たりフラグ１２６がＯＮになっている場合（Ｓ１８１：ＹＥＳ）には、Ｓ１８２において、中間報知フラグ１３６がＯＮになっているか否かを判定する。
【０２２３】
中間報知フラグ１３６がＯＦＦになっている場合（Ｓ１８２：ＮＯ）には、主制御ＣＰＵ７０は、中間報知監視処理を終了する一方、中間報知フラグ１３６がＯＮになっている場合（Ｓ１８２：ＹＥＳ）には、主制御ＣＰＵ７０は、Ｓ１８３において、報知用タイマカウンタ１２２のカウンタ値が「０」であるか否か、即ち、報知時間が終了したか否かを判定する。
【０２２４】
報知時間が終了していない場合（Ｓ１８３：ＮＯ）には、主制御ＣＰＵ７０は、Ｓ１８４において、報知用タイマカウンタ１２２のカウンタ値を１減算した後、中間報知監視処理を終了する。
【０２２５】
報知時間が終了している場合（Ｓ１８３：ＹＥＳ）には、主制御ＣＰＵ７０は、Ｓ１８５において、中間報知フラグ１３６をＯＦＦにした後、Ｓ１８６において、開放演出パターンを表示制御回路８４に向けて送信する。
【０２２６】
続いて、主制御ＣＰＵ７０は、Ｓ１８７において、開放装置フラグ１２８がＯＮであるか否かを判定し、開放装置フラグ１２８がＯＦＦの場合（Ｓ１８７：ＮＯ）には、Ｓ１８８において、第一の開放フラグ１３０をＯＮにし、Ｓ１８９において、第一の特別可変入賞装置５６を開放し、Ｓ１９０において、扉用タイマカウンタ１２０のカウンタ値を初期値にセットした後、中間報知監視処理を終了する。そこにおいて、本実施形態では、Ｓ１９０においてセットされる扉用タイマカウンタ１２０のカウンタ値は第一の特別可変入賞装置５６の開放時間に相当するものである。一方、開放装置フラグ１２８がＯＮである場合（Ｓ１８７：ＹＥＳ）には、主制御ＣＰＵ７０は、Ｓ１９１において、第二の開放フラグ１３２をＯＮにし、Ｓ１９２において、第二の特別可変入賞装置５８を開放し、Ｓ１９３において、扉用タイマカウンタ１２０のカウンタ値を初期値にセットした後、中間報知監視処理を終了する。そこにおいて、本実施形態では、Ｓ１９３においてセットされる扉用タイマカウンタ１２０のカウンタ値は、第二の特別可変入賞装置５８の開放時間に相当するものである。
【０２２７】
このような中間報知監視処理を終了した主制御ＣＰＵ７０は、続いて、終了報知監視処理（Ｓ１０）を実行する。この終了報知監視処理について、図１７に基づいて説明する。先ず、主制御ＣＰＵ７０は、Ｓ２０１において、大当たりフラグ１２６がＯＮになっているか否かを判定し、大当たりフラグ１２６がＯＦＦになっている場合（Ｓ２０１：ＮＯ）には、終了報知監視処理を終了する一方、大当たりフラグ１２６がＯＮになっている場合（Ｓ２０１：ＹＥＳ）には、Ｓ２０２において、終了報知フラグ１４０がＯＮになっているか否かを判定する。
【０２２８】
終了報知フラグ１４０がＯＦＦになっている場合（Ｓ２０２：ＮＯ）には、主制御ＣＰＵ７０は、終了報知監視処理を終了する一方、終了報知フラグ１４０がＯＮになっている場合（Ｓ２０２：ＹＥＳ）には、主制御ＣＰＵ７０は、Ｓ２０３において、報知用タイマカウンタ１２２のカウンタ値が「０」であるか否か、即ち、報知時間が終了したか否かを判定する。
【０２２９】
報知時間が終了していない場合（Ｓ２０３：ＮＯ）には、主制御ＣＰＵ７０は、Ｓ２０４において、報知用タイマカウンタ１２２のカウンタ値を１減算した後、終了報知監視処理を終了する。
【０２３０】
報知時間が終了している場合（Ｓ２０３：ＹＥＳ）には、主制御ＣＰＵ７０は、Ｓ２０５において、終了報知フラグ１４０をＯＦＦにし、Ｓ２０６において、通常画面指定コマンドを表示制御回路８４に向けて送信する。
【０２３１】
そして、主制御ＣＰＵ７０は、Ｓ２０７において、大当たりフラグ１２６をＯＦＦにする大当たり終了処理を実行した後、終了報知監視処理を終了する。
【０２３２】
このような終了報知監視処理を終了した主制御ＣＰＵ７０は、次に、保留表示処理（Ｓ１１）を実行する。この保留表示処理は、記憶カウンタ１１２のカウンタ値から１減算した数値だけ保留ＬＥＤ４６を点灯させる制御信号を保留ＬＥＤ制御回路９４に送信することによって行われる。そして、保留ＬＥＤ制御回路９４は、受信した制御信号に基づいて保留ＬＥＤ４６を点灯する。このような保留表示処理を終了すると、主制御ＣＰＵ７０は、主制御側の遊技処理を終了する。
【０２３３】
続いて、表示制御ＣＰＵ１７８が実行する表示側の遊技処理について、図１８に基づいて説明する。先ず、表示制御ＣＰＵ１７８は、Ｓ２１１において、特図変動開始処理を実行する。この特図変動開始処理について、図１９に基づいて説明する。
【０２３４】
表示制御ＣＰＵ１７８は、先ず、Ｓ２２１において、大当たりフラグ２００がＯＮになっているか否かを判定し、大当たりフラグ２００がＯＮになっている場合（Ｓ２２１：ＹＥＳ）には、特図変動開始処理を終了する一方、大当たりフラグ２００がＯＦＦになっている場合（Ｓ２２１：ＮＯ）には、Ｓ２２２において、表示処理フラグ１９８がＯＮになっているか否かを判定する。
【０２３５】
表示処理フラグ１９８がＯＮになっている場合（Ｓ２２２：ＹＥＳ）には、表示制御ＣＰＵ１９８は、特図変動開始処理を終了する一方、表示処理フラグ１９８がＯＦＦになっている場合（Ｓ２２２：ＮＯ）には、表示制御ＣＰＵ１７８は、Ｓ２２３において、変動パターンのデータを受信したか否かを判定し、変動パターンのデータを受信していない場合（Ｓ２２３：ＮＯ）には、特図変動開始処理を終了する。
【０２３６】
変動パターンのデータを受信した場合（Ｓ２２３：ＹＥＳ）には、表示制御ＣＰＵ１７８は、Ｓ２２４において、表示処理フラグ１９８をＯＮにし、Ｓ２２５において、受信した変動パターンのデータをＶＤＰ１８６に送信し、受信した特別図柄３６，３８，４０のデータをＶＤＰ１８６に送信し、ＶＤＰ１８６に対して、送信した変動パターンに基づいて特別図柄３６，３８，４０の変動表示を行わせると共に、送信した特別図柄３６，３８，４０に基づいて特別図柄３６，３８，４０を停止表示するための準備を行わせる開始処理を実行した後、特図変動開始処理を終了する。
【０２３７】
このような特図変動開始処理を実行した表示制御ＣＰＵ１７８は、次に、特図変動監視処理（Ｓ２１２）を実行する。この特図変動監視処理について、図２０に基づいて説明する。先ず、表示制御ＣＰＵ１７８は、Ｓ２３１において、大当たりフラグ２００がＯＮになっているか否かを判定し、大当たりフラグ２００がＯＮになっている場合（Ｓ２３１：ＹＥＳ）には、特図変動監視処理を終了する一方、大当たりフラグ２００がＯＦＦになっている場合（Ｓ２３１：ＮＯ）には、Ｓ２３２において、表示処理フラグ１９８がＯＮになっているか否かを判定する。
【０２３８】
表示処理フラグ１９８がＯＦＦになっている場合（Ｓ２３２：ＮＯ）には、表示制御ＣＰＵ１９８は、特図変動監視処理を終了する一方、表示処理フラグ１９８がＯＮになっている場合（Ｓ２３２：ＹＥＳ）には、表示制御ＣＰＵ１９８は、Ｓ２３３において、停止コマンドを受信したか否かを判定し、停止コマンドを受信していない場合（Ｓ２３３：ＮＯ）には、特図変動監視処理を終了する一方、停止コマンドを受信した場合（Ｓ２３３：ＹＥＳ）には、Ｓ２３４において、ＶＤＰ１８６に対して送信した変動パターンのデータに基づく特別図柄３６，３８，４０の変動表示を終了して、送信した特別図柄３６，３８，４０のデータに基づいて特別図柄３６，３８，４０を停止表示させる停止表示処理を実行する。
【０２３９】
続いて、表示制御ＣＰＵ１７８は、Ｓ２３５において、受信した変動パターンのデータが大当たりの場合に選択されるものであるか否かを判定し、大当たりの場合に採用される変動パターンである場合（２３５：ＹＥＳ）には、Ｓ２３６において、大当たりフラグ２００をＯＮにし、Ｓ２３７において、表示処理フラグ１９８をＯＦＦにした後、特図変動監視処理を終了する。
【０２４０】
大当たりの場合に採用される変動パターンでない場合（Ｓ２３５：ＮＯ）には、表示制御ＣＰＵ１７８は、Ｓ２３８において、受信した変動パターンのデータ，受信した特別図柄３６，３８，４０のデータを消去するデータ消去処理を実行した後、Ｓ２３７以降の処理を実行する。
【０２４１】
このような特図変動監視処理を実行した表示制御ＣＰＵ１７８は、次に、開始報知処理（Ｓ２１３）を実行する。この開始報知処理について、図２１に基づいて説明する。先ず、表示制御ＣＰＵ１７８は、Ｓ２４１において、大当たりフラグ２００がＯＮであるか否かを判定し、大当たりフラグ２００がＯＦＦである場合（Ｓ２４１：ＮＯ）には、開始報知処理を終了する一方、大当たりフラグ２００がＯＮである場合（Ｓ２４１：ＹＥＳ）には、Ｓ２４２において、開始報知フラグ２０２がＯＮなっているか否かを判定する。
【０２４２】
開始報知フラグ２０２がＯＦＦになっている場合（Ｓ２４２：ＮＯ）には、表示制御ＣＰＵ１７８は、Ｓ２４３において、開始演出パターンを受信したか否かを判定する。
【０２４３】
開始演出パターンを受信している場合（Ｓ２４３：ＹＥＳ）には、表示制御ＣＰＵ１７８は、Ｓ２４４において、開始報知フラグ２０２をＯＮにし、Ｓ２４５において、受信した開始演出パターンをＶＤＰ１８６に送信し、かかる開始演出パターンに基づく大当たり遊技の開始の報知をＶＤＰ１８６に行わせる開始処理を実行した後、開始報知処理を終了する。
【０２４４】
開始報知フラグ２０２がＯＮの場合（Ｓ２４２：ＹＥＳ）および開始演出パターンを受信していない場合（Ｓ２４３：ＮＯ）には、表示制御ＣＰＵ１７８は、開始報知処理を終了する。
【０２４５】
このような開始報知処理を終了した表示制御ＣＰＵ１７８は、次に、開始報知監視処理（Ｓ２１４）を実行する。この開始報知監視処理について、図２２に基づいて説明する。先ず、表示制御ＣＰＵ１７８は、Ｓ２５１において、大当たりフラグ２００がＯＮになっているか否かを判定し、大当たりフラグ２００がＯＦＦになっている場合（Ｓ２５１：ＮＯ）には、開始報知監視処理を終了する一方、大当たりフラグ２００がＯＮの場合（Ｓ２５１：ＹＥＳ）には、Ｓ２５２において、開放報知フラグ２０４がＯＮになっているか否かを判定する。
【０２４６】
開放報知フラグ２０４がＯＦＦになっている場合（Ｓ２５２：ＮＯ）には、表示制御ＣＰＵ１７８は、Ｓ２５３において、開放演出パターンを受信したか否かを判定し、開放演出パターンを受信した場合（Ｓ２５３：ＹＥＳ）には、Ｓ２５４において、大当たり遊技の開始の報知をＶＤＰ１８６に止めさせる終了処理を実行する。
【０２４７】
続いて、表示制御ＣＰＵ１７８は、Ｓ２５５において、開始報知フラグ２０２をＯＦＦにすると共に、開放報知フラグ２０４をＯＮにするフラグ変更処理を実行した後、Ｓ２５６において、開始演出パターン記憶エリア２１６に記憶されている開始演出パターンのデータを消去するデータ消去処理を実行する。
【０２４８】
次に、表示制御ＣＰＵ１７８は、Ｓ２５７において、受信した開放演出パターンをＶＤＰ１８６に送信し、かかる開放演出パターンに基づく特別可変入賞装置４８の開放の報知をＶＤＰ１８６に行わせる開始処理を実行した後、Ｓ２５８において、開放回数カウンタ１９６のカウンタ値を１加算してから、開始報知監視処理を終了する。
【０２４９】
開放報知フラグがＯＮになっている場合（Ｓ２５２：ＹＥＳ）および開放演出パターンを受信していない場合（Ｓ２５３：ＮＯ）には、表示制御ＣＰＵ１７８は、開始報知監視処理を終了する。
【０２５０】
このような開始報知監視処理を終了した表示制御ＣＰＵ１７８は、次に、事前報知処理（Ｓ２１５）を実行する。この事前報知処理について、図２３に基づいて説明する。先ず、表示制御ＣＰＵ１７８は、Ｓ２６１において、大当たりフラグ２００がＯＮになっているか否かを判定し、大当たりフラグ２００がＯＦＦになっている場合（Ｓ２６１：ＮＯ）には、事前報知処理を終了する一方、大当たりフラグ２００がＯＮになっている場合（Ｓ２６１：ＹＥＳ）には、Ｓ２６２において、事前報知フラグ２０６がＯＮになっているか否かを判定する。
【０２５１】
事前報知フラグ２０６がＯＮになっている場合（Ｓ２６２：ＹＥＳ）には、表示制御ＣＰＵ１７８は、事前報知処理を終了する一方、事前報知フラグ２０６がＯＦＦになっている場合（Ｓ２６２：ＮＯ）には、表示制御ＣＰＵ１７８は、Ｓ２６３において、開放報知フラグ２０４がＯＮになっているか否かを判定する。
【０２５２】
開放報知フラグ２０４がＯＦＦになっている場合（Ｓ２６３：ＮＯ）には、表示制御ＣＰＵ１７８は、事前報知処理を終了する一方、開放報知フラグ２０４がＯＮの場合（Ｓ２６３：ＹＥＳ）には、表示制御ＣＰＵ１７８は、Ｓ２６４において、事前演出パターンを受信したか否かを判定し、事前演出パターンを受信した場合（Ｓ２６４：ＹＥＳ）には、Ｓ２６５において、特別可変入賞装置４８の開放の報知をＶＤＰ１８６に止めさせる終了処理を実行する。
【０２５３】
続いて、表示制御ＣＰＵ１７８は、Ｓ２６６において、事前報知フラグ２０６をＯＮにした後、Ｓ２６７において、受信した事前演出パターンをＶＤＰ１８６に送信し、かかる事前演出パターンに基づく次に開放される特別可変入賞装置４８の報知をＶＤＰ１８６に行わせる開始処理を実行した後、事前報知処理を終了する。
【０２５４】
事前演出パターンを受信していない場合（Ｓ２６４：ＮＯ）には、表示制御ＣＰＵ１７８は、事前報知処理を終了する。
【０２５５】
このような事前報知処理を終了した表示制御ＣＰＵ１７８は、続いて、開放報知監視処理（Ｓ２１６）を実行する。この開放報知監視処理について、図２４に基づいて説明する。先ず、表示制御ＣＰＵ１７８は、Ｓ２７１において、大当たりフラグ２００がＯＮになっているか否かを判定し、大当たりフラグ２００がＯＦＦになっている場合（Ｓ２７１：ＮＯ）には、開放報知監視処理を終了する一方、大当たりフラグ２００がＯＮになっている場合（Ｓ２７１：ＹＥＳ）には、Ｓ２７２において、開放報知フラグ２０４がＯＮになっているか否かを判定し、開放報知フラグ２０４がＯＦＦの場合（Ｓ２７２：ＮＯ）には、開放放置監視処理を終了する。
【０２５６】
開放報知フラグ２０４がＯＮになっている場合（Ｓ２７２：ＹＥＳ）には、表示制御ＣＰＵ１７８は、Ｓ２７３において、中間演出パターンを受信したか否かを判定する。中間演出パターンを受信した場合（Ｓ２７３：ＹＥＳ）には、表示制御ＣＰＵ１７８は、Ｓ２７４において、ＶＤＰ１８６によって行われている処理（開放報知パターンに基づく特別可変入賞装置４８の開放の報知、或いは、事前報知パターンに基づく次に開放される特別可変入賞装置４８の報知）を終了させる終了処理を実行する。
【０２５７】
次に、表示制御ＣＰＵ１７８は、Ｓ２７５において、開放報知フラグ２０４および事前報知フラグ２０６を、それぞれ、ＯＦＦにすると共に、中間報知フラグ２０８をＯＮにするフラグ変更処理を実行した後、Ｓ２７６において、現在の開放回数カウンタ１９６のカウンタ値と中間報知パターン選択テーブルに基づいて中間報知パターンを選択し、選択した中間報知パターンを中間報知パターン記憶エリア２２６に記憶する。
【０２５８】
続いて、表示制御ＣＰＵ１７８は、Ｓ２７７において、中間報知パターン記憶エリア２４２に記憶されている中間報知パターンをＶＤＰ１８６に送信し、かかる中間報知パターンに基づいてインターバル期間であることを遊技者に報知するための画像を液晶表示器３４の表示画面に表示させる処理をＶＤＰ１８６に行わせる開始処理を実行する。
【０２５９】
そして、表示制御ＣＰＵは、Ｓ２７８において、開放回数カウンタ１９６のカウンタ値を１加算してから、開放報知監視処理を終了する。
【０２６０】
中間演出パターンを受信していない場合（Ｓ２７３：ＮＯ）には、Ｓ２７９において、終了演出パターンを受信したか否かを判定する。終了演出パターンを受信していない場合（Ｓ２７９：ＮＯ）には、表示制御ＣＰＵ１７８は、開放報知監視処理を終了する一方、終了演出パターンを受信した場合（Ｓ２７９：ＹＥＳ）には、表示制御ＣＰＵ１７８は、Ｓ２８０において、ＶＤＰ１８６によって行われている処理（開放報知パターンに基づく特別可変入賞装置４８の開放の報知、或いは、事前報知パターンに基づく次に開放される特別可変入賞装置４８の報知）を終了させる終了処理を実行する。
【０２６１】
次に、表示制御ＣＰＵ１７８は、Ｓ２８１において、開放報知フラグ２０４および事前報知フラグ２０６を、それぞれ、ＯＦＦにすると共に、終了報知フラグ２１０をＯＮにするフラグ変更処理を実行した後、Ｓ２８２において、受信した終了演出パターンをＶＤＰ１８６に送信し、かかる終了演出パターンに基づいて大当たり遊技が終了することを遊技者に報知するための画像を液晶表示器３４の表示画面に表示させる処理をＶＤＰ１８６に行わせる開始処理を実行する。
【０２６２】
そして、表示制御ＣＰＵ１７８は、Ｓ２８３において、開放回数カウンタ１９６のカウンタ値を「０」にした後、開放報知監視処理を終了する。
【０２６３】
このような開放報知監視処理を終了した表示制御ＣＰＵ１７８は、続いて、中間報知監視処理（Ｓ２１７）を実行する。この中間報知監視処理について、図２５に基づいて説明する。先ず、表示制御ＣＰＵ１７８は、Ｓ２９１において、大当たりフラグ２００がＯＮになっているか否かを判定し、大当たりフラグ２００がＯＦＦになっている場合（Ｓ２９１：ＮＯ）には、中間報知監視処理を終了する一方、大当たりフラグ２００がＯＮになっている場合（Ｓ２９１：ＹＥＳ）には、Ｓ２９２において、中間報知フラグ２０８がＯＮになっているか否かを判定する。
【０２６４】
中間報知フラグ２０８がＯＮになっている場合（Ｓ２９２：ＹＥＳ）には、表示制御ＣＰＵ１７８は、Ｓ２９３において、開放演出パターンを受信したか否かを判定し、開放演出パターンを受信した場合（Ｓ２９３：ＹＥＳ）には、表示制御ＣＰＵ１７８は、Ｓ２９４において、インターバル期間である旨の報知を終了させる終了処理を実行する。
【０２６５】
次に、表示制御ＣＰＵ１７８は、Ｓ２９５において、受信した開放演出パターンをＶＤＰ１８６に送信し、かかる開放演出パターンに基づく特別可変入賞装置４８の開放の報知をＶＤＰ１８６に行わせる開始処理を実行する。
【０２６６】
次に、表示制御ＣＰＵ１７８は、Ｓ２９６において、中間報知フラグ２０８をＯＦＦにする一方、開放報知フラグ２０４をＯＮにするフラグ変更処理を実行した後、中間報知監視処理を終了する。
【０２６７】
なお、中間報知フラグ２０８がＯＦＦになっている場合（Ｓ２９２：ＮＯ）および開放演出パターンを受信していない場合（Ｓ２９３：ＮＯ）には、表示制御ＣＰＵ１７８は、中間報知監視処理を終了する。
【０２６８】
このような中間報知監視処理を終了した表示制御ＣＰＵ１７８は、続いて、終了報知監視処理（Ｓ２１８）を実行する。この終了報知監視処理について、図２６に基づいて説明する。先ず、表示制御ＣＰＵ１７８は、Ｓ３０１において、大当たりフラグ２００がＯＮになっているか否かを判定し、大当たりフラグ２００がＯＦＦになっている場合（Ｓ３０１：ＮＯ）には、終了報知監視処理を終了する一方、大当たりフラグ２００がＯＮになっている場合（Ｓ３０１：ＹＥＳ）には、Ｓ３０２において、終了報知フラグ２００がＯＮになっているか否かを判定する。
【０２６９】
終了報知フラグ２００がＯＮになっている場合（Ｓ３０２：ＹＥＳ）には、表示制御ＣＰＵ１７８は、Ｓ３０３において、通常画面指定コマンドを受信したか否かを判定し、通常画面指定コマンドを受信した場合（Ｓ３０３：ＹＥＳ）には、表示制御ＣＰＵ１７８は、Ｓ３０４において、ＶＤＰ１８６に液晶表示器３４の表示画面に特別図柄記憶エリア２１４に記憶されている特別図柄３６，３８，４０を表示させる通常画面表示処理を実行する。
【０２７０】
次に、表示制御ＣＰＵ１７８は、Ｓ３０５において、終了報知フラグ２１０および大当たりフラグ２００を、それぞれ、ＯＦＦにするフラグ変更処理を実行した後、Ｓ３０６において、中間演出パターン記憶エリア２２２に記憶されている中間演出パターンのデータ，中間報知パターン記憶エリア２２６に記憶されている中間報知パターンのデータ，終了演出パターン記憶エリア２２４に記憶されている終了演出パターンのデータ，開放演出パターン記憶エリア２１８に記憶されている開放演出パターンのデータ，事前演出パターン記憶エリア２２０に記憶されている事前演出パターンのデータ，変動パターン記憶エリア２１２に記憶されている変動パターンのデータ，特別図柄記憶エリア２１４に記憶されている特別図柄３６，３８，４０のデータを、消去するデータ消去処理を実行した後、終了報知監視処理を終了する。
【０２７１】
なお、終了報知フラグ２１０がＯＦＦになっている場合（Ｓ３０２：ＮＯ）および通常画面指定コマンドを受信していない場合（Ｓ３０３：ＮＯ）には、表示制御ＣＰＵ１７８は、終了報知監視処理を終了する。
【０２７２】
続いて、本実施形態の払出制御ＣＰＵ２３０が実行する払出制御側の遊技処理について、図２７に基づいて説明する。先ず、払出制御ＣＰＵ２３０は、Ｓ３１１において、賞球払出開始処理を実行する。この賞球払出開始処理について、図２８に基づいて説明する。先ず、払出制御ＣＰＵ２３０は、Ｓ３２１において、賞球払出パターンＡを受信したか否かを判定する。賞球払出パターンＡを受信した場合（Ｓ３２１：ＹＥＳ）には、払出制御ＣＰＵ２３０は、Ｓ３２２において、払出賞球カウンタ２５５のカウンタ値が「０」であるか否かを判定する。
【０２７３】
払出賞球カウンタ２５５のカウンタ値が「０」である場合（Ｓ３２２：ＹＥＳ）には、払出制御ＣＰＵ２３０は、Ｓ３２３において、賞球払出フラグ２４４をＯＮにし、Ｓ３２４において、払出賞球カウンタ２５５のカウンタ値を５加算する。
【０２７４】
続いて、払出制御ＣＰＵ２３０は、Ｓ３２５において、第一の賞球払出パターン記憶エリア２４２ａに記憶されている賞球払出パターンＡを消去し、Ｓ３２６において、賞球払出モータ９３に電源を供給して賞球払出モータ９３の駆動を開始した後、賞球払出開始処理を終了する。なお、払出賞球カウンタ２５５のカウンタ値が「０」でない場合（Ｓ３２２：ＮＯ）には、払出制御ＣＰＵ２３０は、Ｓ３２４以降の処理を実行する。
【０２７５】
賞球払出パターンＡを受信していない場合（Ｓ３２１：ＮＯ）には、払出制御ＣＰＵ２３０は、Ｓ３２７において、賞球払出パターンＢを受信したか否かを判定し、賞球払出パターンＢを受信していない場合（Ｓ３２７：ＮＯ）には、賞球払出開始処理を終了する一方、賞球払出パターンＢを受信している場合（Ｓ３２７：ＹＥＳ）には、Ｓ３２８において、払出賞球カウンタ２５５のカウンタ値が「０」であるか否かを判定する。
【０２７６】
払出賞球カウンタ２５５のカウンタ値が「０」である場合（Ｓ３２８：ＹＥＳ）には、払出制御ＣＰＵ２３０は、Ｓ３２９において、賞球払出フラグ２４４をＯＮにし、Ｓ３３０において、払出賞球カウンタ２５５のカウンタ値を１５加算する。
【０２７７】
次に、払出制御ＣＰＵ２３０は、Ｓ３３１において、第二の賞球払出パターン記憶エリア２４２ｂに記憶されている賞球払出パターンＢを消去し、Ｓ３３２において、賞球払出モータ９３に電源を供給して賞球払出モータ９３の駆動を開始した後、賞球払出開始処理を終了する。なお、払出賞球カウンタ２５５のカウンタ値が「０」でない場合（Ｓ３２８：ＮＯ）には、払出制御ＣＰＵ２３０は、Ｓ３３０以降の処理を実行する。
【０２７８】
このような賞球払出開始処理を終了した払出制御ＣＰＵ２３０は、続いて、賞球払出監視処理（Ｓ３１２）を実行する。この賞球払出監視処理について、図２９に基づいて説明する。先ず、払出制御ＣＰＵ２３０は、Ｓ３４１において、賞球払出フラグ２４４がＯＮになっているか否かを判定し、賞球払出フラグ２４４がＯＦＦになっている場合（Ｓ３４１：ＮＯ）には、賞球払出監視処理を終了する一方、賞球払出フラグ２４４がＯＮになっている場合（Ｓ３４１：ＹＥＳ）には、Ｓ３４２において、賞球スイッチ２４８からの検出信号が入力されたか否かを判定する。
【０２７９】
賞球スイッチ２４８からの検出信号が入力されていない場合（Ｓ３４２：ＮＯ）には、払出制御ＣＰＵ２３０は、賞球払出監視処理を終了する一方、賞球スイッチ２４８からの検出信号が入力されている場合（Ｓ３４２：ＮＯ）には、払出制御ＣＰＵ２３０は、Ｓ３４３において、払出賞球カウンタ２４６のカウンタ値を１減算した後、Ｓ３４４において、払出賞球カウンタ２４６のカウンタ値が「０」であるか否かを判定する。
【０２８０】
払出賞球カウンタ２４６のカウンタ値が「０」でない場合（Ｓ３４４：ＮＯ）には、払出制御ＣＰＵ２３０は、賞球払出監視処理を終了する一方、払出賞球カウンタ２４６のカウンタ値が「０」である場合（Ｓ３４４：ＹＥＳ）には、払出制御ＣＰＵ２３０は、Ｓ３４５において、賞球払出フラグ２４４をＯＦＦにし、Ｓ３４６において、賞球払出モータ９３への電源の供給を停止して賞球払出モータ９３の駆動を停止した後、賞球払出監視処理を終了する。
【０２８１】
上述の説明から明らかなように、本実施形態においては、主制御ＣＰＵ７０がＳ３５の制御処理を実行することによって、特典抽選手段が構成されている。また、本実施形態では、主制御ＣＰＵ７０が、Ｓ７８，Ｓ１３９，Ｓ１９２の制御処理を実行することを含んで、或いは、Ｓ８２，Ｓ９９，１８９の制御処理を実行することを含んで、可変入賞装置制御手段が構成されている。更に、本実施形態では、主制御ＣＰＵ７０が、Ｓ５８の制御処理を実行することによって、順序情報選択手段が構成されている。更にまた、本実施形態では、表示制御ＣＰＵ１７８がＳ２４５の制御処理を実行することおよび液晶表示器３４を含んで初回入賞可能報知手段が構成されている。また、本実施形態では、表示制御ＣＰＵ１７８がＳ２６７の制御処理を実行することおよび液晶表示器３４を含んで次回入賞可能報知手段が構成されている。更に、本実施形態では、装置選択カウンタ１００のカウンタ値によって情報選択用数値データが構成されている。更にまた、本実施形態では、主制御ＣＰＵ７０が、Ｓ１において、装置選択カウンタ１００のカウンタ値を１加算することによって、情報選択用数値データ変更手段が構成されている。また、主制御ＣＰＵ７０が、Ｓ２４において、装置選択カウンタ１００のカウンタ値を記憶することによって、情報選択用数値データ抽出手段が構成されている。更に、本実施形態では、払出制御ＣＰＵ２３０が払出制御側の遊技処理を実行することを含んで、賞球払出制御手段が構成されている。更にまた、本実施形態では、主制御ＣＰＵ７０が、Ｓ８の制御処理を実行することを含んで、大当たり遊技において次に開放される特別可変入賞装置４８の報知を延長する報知延長手段が構成されている。
【０２８２】
更に、本実施形態では、記憶カウンタ１１２のカウンタ値が「５」でない場合に遊技球が始動入賞装置４２に入賞することによって抽選条件が構成されている。更にまた、本実施形態では、大当たりとなることによって初回抽出条件が構成されていると共に、大当たり遊技において次に特別可変入賞装置４８が開放されることが確定することによって次回抽出条件が構成されている。また、本実施形態では、第一乃至第十七の開放順序テーブルのそれぞれによって入賞可能順序情報が構成されている。
【０２８３】
このような構造とされたパチンコ機１０においては、遊技者が発射レバー２８を回動操作して遊技球を遊技領域３２に向けて発射すると、遊技球が遊技領域３２に打ち込まれた多数の遊技釘（図示せず）に衝突しながら遊技領域３２を流下するようになっている。このように遊技領域３２を流下する遊技球が、始動入賞装置４２に入賞すると、液晶表示器３４において特別図柄３６，３８，４０の変動表示が一斉に開始される。
【０２８４】
そして、特別図柄３６，３８，４０が、例えば、「７７７」で停止表示された場合には、図３０に示されているように、「大当たり遊技開始！開くのはどっち？」という文字表示が液晶表示器３４の表示画面にスクロール表示されてから、「１」と「２」の数字図柄が液晶表示器３４の表示画面の右側から左側に向かってスクロール表示されるようになっている。
【０２８５】
そこにおいて、開始報知パターンＡに基づいて大当たり遊技の開始の報知が行われている場合には、「大当たり遊技開始」の文字のスクロール表示が行われてから所定時間経過した後、図３１に示されているように、「１」の数字図柄で停止表示されて、第一の特別可変入賞装置５６が最初に開放されることが遊技者に報知されるようになっている。また、開始報知パターンＢに基づいて大当たり遊技の開始の報知が行われている場合には、「大当たり遊技開始」の文字のスクロール表示が行われてから所定時間経過した後、図３２に示されているように、「２」の数字図柄が表示されて、第二の特別可変入賞装置５８が最初に開放されることが遊技者に報知されるようになっている。
【０２８６】
このようにして、大当たり遊技において、最初に開放される特別可変入賞装置４８が遊技者に報知された後、開放されることが報知された特別可変入賞装置４８が開放される。
【０２８７】
そして、開放された特別可変入賞装置３８に遊技球が入賞して、カウントスイッチ５４が遊技球の通過を検出すると、図３３に示されているように、「次に開くのはどっち？」という文字が液晶表示器３４の表示画面の右側から左側に向かってスクロール表示された後、「１」と「２」の数字図柄が液晶表示器３４の表示画面の右側から左側にスクロール表示されて、次に開放される特別可変入賞装置４８の報知が開始されるようになっている。
【０２８８】
そこにおいて、事前報知パターンＡに基づいて、次に開放される特別可変入賞装置４８の報知が行われている場合には、「次に開くのはどっち？」の文字のスクロール表示が開始されてから所定時間が経過した後、「１」の数字図柄が停止表示されて、次に開放される特別可変入賞装置４８が第一の特別可変入賞装置５６であることが遊技者に報知されるようになっている。また、事前報知パターンＢに基づいて、次に開放される特別可変入賞装置４８の報知が行われている場合には、「次に開くのはどっち？」の文字のスクロール表示が開始されてから所定時間経過した後、「２」の数字図柄が停止表示されて、次に開放される特別可変入賞装置４８が第二の特別可変入賞装置５８であることが遊技者に報知されるようになっている。
【０２８９】
このようにして、次に開放される特別可変入賞装置４８の報知が行われた後、開放されていた特別可変入賞装置４８が閉鎖されると、液晶表示器３４の表示画面において、遊技者に対してインターバル期間中である旨を報知する表示が為される。
【０２９０】
かかるインターバル期間中である旨の表示が為された後、先に開放されることが報知されていた特別可変入賞装置４８が開放されて、特別可変入賞装置４８への遊技球の入賞が可能となる。
【０２９１】
そして、本実施形態では、上述の如き表示および特別可変入賞装置４８の作動が、大当たり遊技中において、繰り返し行われるようになっている。
【０２９２】
また、１６ラウンド目においては、次に特別可変入賞装置４８が開放されることがないから、液晶表示器３４において、次に開放される特別可変入賞装置４８の報知が行われることはない。
【０２９３】
そして、１６回目の特別可変入賞装置４８の開放が終了すると、液晶表示器３４の表示画面において、大当たり遊技が終了したことを遊技者に報知するための表示が為されるようになっている。
【０２９４】
そこにおいて、本実施形態では、特別可変入賞装置４８が開放されている間に、カウントスイッチ５４が遊技球の通過を一回も検出しなかった場合には、特別可変入賞装置４８が閉鎖された後、インターバル表示ではなく、大当たり遊技の終了表示が為されるようになっている。
【０２９５】
また、本実施形態では、次に開く特別可変入賞装置４８の報知が終了するまでの間において、特別可変入賞装置４８が閉鎖されてしまった場合には、次に開く特別可変入賞装置４８の報知が為されてから、液晶表示器３４の表示画面においてインターバル期間である旨の表示が為されるようになっているのである。
【０２９６】
従って、本実施形態のパチンコ機においては、大当たり遊技中において開放される特別可変入賞装置４８に対する遊技者の興味を十分に惹きつけて、遊技者にパチンコ遊技の醍醐味を味わってもらえるようにすることが可能となる。
【０２９７】
また、本実施形態では、次に開放される特別可変入賞装置４８の報知が途中で終了することがないようになっていることから、遊技者は、次に開放される特別可変入賞装置４８を特別可変入賞装置４８が開放されるまでに認識することが可能となり、次のラウンドに向けての準備をすることが可能となる。
【０２９８】
さらに、本実施形態では、第一の特別可変入賞装置５６に対して設定されている入賞可能条件のうち、最大開放時間が経過するまでに第一の特別可変入賞装置５６を閉鎖するための遊技球の数が、第二の特別可変入賞装置５８に対して設定されている入賞可能条件のうち、最大開放時間が経過するまでに第二の特別可変入賞装置５８を閉鎖するための遊技球の数よりも少なく設定されており、しかも、第一のカウントスイッチ６２が遊技球を検出する毎に払い出される賞球の数と第二のカウントスイッチ６６が遊技球を検出する毎に払い出される賞球の数が互いに同じとされていることから、大当たり遊技が終了するまで、払い出される賞球の総数が遊技者に予測できないようになっており、それによって、遊技者に遊技をする楽しみを与えることが可能となる。
【０２９９】
更にまた、本実施形態では、一度でも第一の特別可変入賞装置５６が開放された場合には、今回の大当たり遊技において、それ以降、第二の特別可変入賞装置５８が開放されることがないことから、遊技者に損をしたという印象を与え難くすることが可能となり、それによって、遊技者に遊技をする楽しみを与えることが可能となる。
【０３００】
また、本実施形態では、大当たり遊技において開放される特別可変入賞装置４８の順番が予め決定されているにも拘わらず、液晶表示器３４の表示画面において、「１」と「２」の数字図柄がスクロール表示されることによって、恰も、今現在、抽選が行われたかの如き印象を遊技者に与えることが可能となり、それによって、遊技者に楽しみを与えることが可能となる。従って、本実施形態では、表示制御ＣＰＵ１７８がＳ２４５の制御処理を実行することおよび液晶表示器３４を含んで初回擬似抽選結果報知手段が構成されており、また、表示制御ＣＰＵ１７８がＳ２６７の制御処理を実行することおよび液晶表示器３４を含んで次回擬似抽選結果報知手段が構成されている。
【０３０１】
続いて、本発明の第二の実施形態のパチンコ機について、図３４等を参照しつつ、説明する。なお、以下の説明において、第一の実施形態と同様な構造とされた部材および部位，カウンタ，フラグ，テーブル等については、図中に、第一の実施形態と同一の符号を付すことにより、それらの詳細な説明を省略する。
【０３０２】
図３５および３６には、第二の実施形態のパチンコ機に採用される特別可変入賞装置２５０が示されている。この特別可変入賞装置２５０は、ソレノイド２５２への通電に基づいて開作動せしめられる扉２５４を備えた構造とされている。また、特別可変入賞装置２５０には、入賞した遊技球を遊技盤１６の裏側に排出するための球排出路が二つ形成されている。そして、一方の球排出路には、遊技球の通過を検出するカウントスイッチ２５６が配設されており、他方の球排出路には、遊技球の通過を検出するＶスイッチ２５８が配設されている。なお、本実施形態では、カウントスイッチ２５６およびＶスイッチ２５８は、何れも、従来から公知の近接スイッチによって構成されている。そして、本実施形態のパチンコ機は、このような構造の特別可変入賞装置２５０を二つ備えている。
【０３０３】
なお、以下の説明において、液晶表示器３４の下方に位置せしめられた特別可変入賞装置２５０を第一の特別可変入賞装置２６０と称することにし、かかる第一の特別可変入賞装置２６０に設けられたカウントスイッチ２５６およびＶスイッチ２５８を、それぞれ、第一のカウントスイッチ２６２および第一のＶスイッチ２６４と称することにする。また、第一の特別可変入賞装置２６０に設けられたソレノイド２５２を第一のソレノイド２６６と称することにする。更にまた、液晶表示器３４の右斜め下方に位置せしめられた特別可変入賞装置２５０を第二の特別可変入賞装置２６８と称することにし、かかる第二の特別可変入賞装置２６８に設けられたカウントスイッチ２５６およびＶスイッチ２５８を、それぞれ、第二のカウントスイッチ２７０および第二のＶスイッチ２７２と称することにする。また、第二の特別可変入賞装置２６８に設けられたソレノイド２５２を第二のソレノイド２７４と称することにする。
【０３０４】
さらに、本実施形態では、第一の特別可変入賞装置２６０に設定されている入賞可能条件は、第一の実施形態で第一の特別可変入賞装置（５６）に設定されていた入賞可能条件と同じものが設定されており、第二の特別可変入賞装置２６８に設定されている入賞可能条件は、第一の実施形態で第二の特別可変入賞装置（５８）に設定されている入賞可能条件と同じものが設定されている。
【０３０５】
更にまた、本実施形態では、第一のカウントスイッチ２６２又は第一のＶスイッチ２６４が遊技球を検出する毎に賞球の払出が行われるようになっている。そして、本実施形態では、第一のカウントスイッチ２６２又は第一のＶスイッチ２６４が遊技球を検出する毎に払い出される賞球の数は１５個とされている。さらに、本実施形態では、第二のカウントスイッチ２７０又は第二のＶスイッチ２７２が遊技球を検出する毎に賞球の払出が行われるようになっている。そして、本実施形態では、第二のカウントスイッチ２７０又は第二のＶスイッチ２７２が遊技球を検出する毎に払い出される賞球の数は１５個とされている。このことから明らかなように、本実施形態では、第一の特別可変入賞装置２６０に設定されている賞球払出条件および第二の特別可変入賞装置２６８に設定されている賞球払出条件は、互いに同じとされている。
【０３０６】
そして、本実施形態では、上述の入賞可能条件および賞球払出条件によって装置条件が構成されており、入賞可能条件が異なっていることによって、装置条件が異なっている。そこにおいて、本実施形態では、第一の特別可変入賞装置２６０に設定されている装置条件のほうが、一回の開放において入賞可能な遊技球の数の上限が大きく設定されていることから、第二の特別可変入賞装置２６８に設定されている装置条件よりも遊技者にとって有利なものになっている。
【０３０７】
また、図３７には、本実施形態のパチンコ機に採用される主制御回路２７６の構成が示されている。本実施形態では、入力回路７６に対して、第一のカウントスイッチ（６２）および第二のカウントスイッチ（６６）が接続されている代わりに、第一のカウントスイッチ２６２，第一のＶスイッチ２６４，第二のカウントスイッチ２７０，第二のＶスイッチ２７２が、それぞれ、接続されている。更にまた、本実施形態では、主制御ＲＡＭ７４に対して、報知待ちフラグ（１３９）が設けられていない。
【０３０８】
また、本実施形態では、主制御ＲＯＭ７２に設けられた第一乃至第十七の開放順序テーブル記憶エリア１６８ａ〜ｑに記憶されている各開放順序テーブルが第一の実施形態のものと異なっている。以下、本実施形態の開放順序テーブルについて、説明する。
【０３０９】
【表２９】
2005334507.tif 000031
【０３１０】
表２９には、第一の開放順序テーブルが示されている。この第一の開放順序テーブルは、開放回数カウンタ１１４のカウンタ値を示す「カウンタ値」と、かかる「カウンタ値」に対応する「特別可変入賞装置」から構成されており、開放順序テーブルと開放回数カウンタ１１４のカウンタ値に基づいて、開放される特別可変入賞装置２５０を選択するようになっている。そして、本実施形態では、開放回数カウンタ１１４のカウンタ値が「０」の場合に「第二の特別可変入賞装置」が、「１」の場合に「第二の特別可変入賞装置」が、「２」の場合に「第二の特別可変入賞装置」が、「３」の場合に「第二の特別可変入賞装置」が、「４」の場合に「第二の特別可変入賞装置」が、「５」の場合に「第二の特別可変入賞装置」が、「６」の場合に「第二の特別可変入賞装置」が、「７」の場合に「第二の特別可変入賞装置」が、「８」の場合に「第二の特別可変入賞装置」が、「９」の場合に「第二の特別可変入賞装置」が、それぞれ、開放される特別可変入賞装置２５０として選択されるようになっている。このことから明らかなように、本実施形態では、第一の開放順序テーブルに基づいて大当たり遊技において開放される特別可変入賞装置２５０が選択される場合は、その全てが第二の特別可変入賞装置２６８となっている。なお、表２９においては、「第二の特別可変入賞装置」を「２」と記している。
【０３１１】
【表３０】
2005334507.tif 000032
【０３１２】
表３０には、第二の開放順序テーブルが示されている。この第二の開放順序テーブルは、開放回数カウンタ１１４のカウンタ値を示す「カウンタ値」と、かかる「カウンタ値」に対応する「特別可変入賞装置」から構成されており、開放順序テーブルと開放回数カウンタ１１４のカウンタ値に基づいて、開放される特別可変入賞装置２５０を選択するようになっている。そして、本実施形態では、開放回数カウンタ１１４のカウンタ値が「０」の場合に「第二の特別可変入賞装置」が、「１」の場合に「第二の特別可変入賞装置」が、「２」の場合に「第二の特別可変入賞装置」が、「３」の場合に「第二の特別可変入賞装置」が、「４」の場合に「第二の特別可変入賞装置」が、「５」の場合に「第二の特別可変入賞装置」が、「６」の場合に「第二の特別可変入賞装置」が、「７」の場合に「第二の特別可変入賞装置」が、「８」の場合に「第二の特別可変入賞装置」が、「９」の場合に「第一の特別可変入賞装置」が、それぞれ、開放される特別可変入賞装置２５０として選択されるようになっている。このことから明らかなように、本実施形態では、第二の開放順序テーブルに基づいて大当たり遊技において開放される特別可変入賞装置２５０が選択される場合には、１回目から９回目において第二の特別可変入賞装置２６８が開放されるようになっている一方、１０回目において第一の特別可変入賞装置２６０が開放されるようになっている。なお、表３０においては、「第一の特別可変入賞装置」を「１」と、「第二の特別可変入賞装置」を「２」と記している。
【０３１３】
【表３１】
2005334507.tif 000033
【０３１４】
表３１には、第三の開放順序テーブルが示されている。この第三の開放順序テーブルは、開放回数カウンタ１１４のカウンタ値を示す「カウンタ値」と、かかる「カウンタ値」に対応する「特別可変入賞装置」から構成されており、開放順序テーブルと開放回数カウンタ１１４のカウンタ値に基づいて、開放される特別可変入賞装置２５０を選択するようになっている。そして、本実施形態では、開放回数カウンタ１１４のカウンタ値が「０」の場合に「第二の特別可変入賞装置」が、「１」の場合に「第二の特別可変入賞装置」が、「２」の場合に「第二の特別可変入賞装置」が、「３」の場合に「第二の特別可変入賞装置」が、「４」の場合に「第二の特別可変入賞装置」が、「５」の場合に「第二の特別可変入賞装置」が、「６」の場合に「第二の特別可変入賞装置」が、「７」の場合に「第二の特別可変入賞装置」が、「８」の場合に「第一の特別可変入賞装置」が、「９」の場合に「第一の特別可変入賞装置」が、それぞれ、開放される特別可変入賞装置２５０として選択されるようになっている。このことから明らかなように、本実施形態では、第三の開放順序テーブルに基づいて大当たり遊技において開放される特別可変入賞装置２５０が選択される場合には、１回目から８回目において第二の特別可変入賞装置２６８が開放されるようになっている一方、９回目および１０回目において第一の特別可変入賞装置２６０が開放されるようになっている。なお、表３１においては、「第一の特別可変入賞装置」を「１」と、「第二の特別可変入賞装置」を「２」と記している。
【０３１５】
【表３２】
2005334507.tif 000034
【０３１６】
表３２には、第四の開放順序テーブルが示されている。この第四の開放順序テーブルは、開放回数カウンタ１１４のカウンタ値を示す「カウンタ値」と、かかる「カウンタ値」に対応する「特別可変入賞装置」から構成されており、第四の開放順序テーブルと開放回数カウンタ１１４のカウンタ値に基づいて、開放される特別可変入賞装置２５０を選択するようになっている。そして、本実施形態では、開放回数カウンタ１１４のカウンタ値が「０」の場合に「第二の特別可変入賞装置」が、「１」の場合に「第二の特別可変入賞装置」が、「２」の場合に「第二の特別可変入賞装置」が、「３」の場合に「第二の特別可変入賞装置」が、「４」の場合に「第二の特別可変入賞装置」が、「５」の場合に「第二の特別可変入賞装置」が、「６」の場合に「第二の特別可変入賞装置」が、「７」の場合に「第一の特別可変入賞装置」が、「８」の場合に「第一の特別可変入賞装置」が、「９」の場合に「第一の特別可変入賞装置」が、それぞれ、開放される特別可変入賞装置２５０として選択されるようになっている。このことから明らかなように、本実施形態では、第四の開放順序テーブルに基づいて大当たり遊技において開放される特別可変入賞装置２５０が選択される場合には、１回目から７回目において第二の特別可変入賞装置２６８が開放されるようになっている一方、８回目から１０回目において第一の特別可変入賞装置２６０が開放されるようになっている。なお、表３２においては、「第一の特別可変入賞装置」を「１」と、「第二の特別可変入賞装置」を「２」と記している。
【０３１７】
【表３３】
2005334507.tif 000035
【０３１８】
表３３には、第五の開放順序テーブルが示されている。この第五の開放順序テーブルは、開放回数カウンタ１１４のカウンタ値を示す「カウンタ値」と、かかる「カウンタ値」に対応する「特別可変入賞装置」から構成されており、第五の開放順序テーブルと開放回数カウンタ１１４のカウンタ値に基づいて、開放される特別可変入賞装置２５０を選択するようになっている。そして、本実施形態では、開放回数カウンタ１１４のカウンタ値が「０」の場合に「第二の特別可変入賞装置」が、「１」の場合に「第二の特別可変入賞装置」が、「２」の場合に「第二の特別可変入賞装置」が、「３」の場合に「第二の特別可変入賞装置」が、「４」の場合に「第二の特別可変入賞装置」が、「５」の場合に「第二の特別可変入賞装置」が、「６」の場合に「第一の特別可変入賞装置」が、「７」の場合に「第一の特別可変入賞装置」が、「８」の場合に「第一の特別可変入賞装置」が、「９」の場合に「第一の特別可変入賞装置」が、それぞれ、開放される特別可変入賞装置２５０として選択されるようになっている。このことから明らかなように、本実施形態では、第四の開放順序テーブルに基づいて大当たり遊技において開放される特別可変入賞装置２５０が選択される場合には、１回目から６回目において第二の特別可変入賞装置２６８が開放されるようになっている一方、７回目から１０回目において第一の特別可変入賞装置２６０が開放されるようになっている。なお、表３３においては、「第一の特別可変入賞装置」を「１」と、「第二の特別可変入賞装置」を「２」と記している。
【０３１９】
【表３４】
2005334507.tif 000036
【０３２０】
表３４には、第六の開放順序テーブルが示されている。この第六の開放順序テーブルは、開放回数カウンタ１１４のカウンタ値を示す「カウンタ値」と、かかる「カウンタ値」に対応する「特別可変入賞装置」から構成されており、第六の開放順序テーブルと開放回数カウンタ１１４のカウンタ値に基づいて、開放される特別可変入賞装置２５０を選択するようになっている。そして、本実施形態では、開放回数カウンタ１１４のカウンタ値が「０」の場合に「第二の特別可変入賞装置」が、「１」の場合に「第二の特別可変入賞装置」が、「２」の場合に「第二の特別可変入賞装置」が、「３」の場合に「第二の特別可変入賞装置」が、「４」の場合に「第二の特別可変入賞装置」が、「５」の場合に「第一の特別可変入賞装置」が、「６」の場合に「第一の特別可変入賞装置」が、「７」の場合に「第一の特別可変入賞装置」が、「８」の場合に「第一の特別可変入賞装置」が、「９」の場合に「第一の特別可変入賞装置」が、それぞれ、開放される特別可変入賞装置２５０として選択されるようになっている。このことから明らかなように、本実施形態では、第六の開放順序テーブルに基づいて大当たり遊技において開放される特別可変入賞装置２５０が選択される場合には、１回目から５回目において第二の特別可変入賞装置２６８が開放されるようになっている一方、６回目から１０回目において第一の特別可変入賞装置２６０が開放されるようになっている。なお、表３４においては、「第一の特別可変入賞装置」を「１」と、「第二の特別可変入賞装置」を「２」と記している。
【０３２１】
【表３５】
2005334507.tif 000037
【０３２２】
表３５には、第七の開放順序テーブルが示されている。この第七の開放順序テーブルは、開放回数カウンタ１１４のカウンタ値を示す「カウンタ値」と、かかる「カウンタ値」に対応する「特別可変入賞装置」から構成されており、第七の開放順序テーブルと開放回数カウンタ１１４のカウンタ値に基づいて、開放される特別可変入賞装置２５０を選択するようになっている。そして、本実施形態では、開放回数カウンタ１１４のカウンタ値が「０」の場合に「第二の特別可変入賞装置」が、「１」の場合に「第二の特別可変入賞装置」が、「２」の場合に「第二の特別可変入賞装置」が、「３」の場合に「第二の特別可変入賞装置」が、「４」の場合に「第一の特別可変入賞装置」が、「５」の場合に「第一の特別可変入賞装置」が、「６」の場合に「第一の特別可変入賞装置」が、「７」の場合に「第一の特別可変入賞装置」が、「８」の場合に「第一の特別可変入賞装置」が、「９」の場合に「第一の特別可変入賞装置」が、それぞれ、開放される特別可変入賞装置２５０として選択されるようになっている。このことから明らかなように、本実施形態では、第七の開放順序テーブルに基づいて大当たり遊技において開放される特別可変入賞装置２５０が選択される場合には、１回目から４回目において第二の特別可変入賞装置２６８が開放されるようになっている一方、５回目から１０回目において第一の特別可変入賞装置２６０が開放されるようになっている。なお、表３５においては、「第一の特別可変入賞装置」を「１」と、「第二の特別可変入賞装置」を「２」と記している。
【０３２３】
【表３６】
2005334507.tif 000038
【０３２４】
表３６には、第八の開放順序テーブルが示されている。この第八の開放順序テーブルは、開放回数カウンタ１１４のカウンタ値を示す「カウンタ値」と、かかる「カウンタ値」に対応する「特別可変入賞装置」から構成されており、第八の開放順序テーブルと開放回数カウンタ１１４のカウンタ値に基づいて、開放される特別可変入賞装置２５０を選択するようになっている。そして、本実施形態では、開放回数カウンタ１１４のカウンタ値が「０」の場合に「第二の特別可変入賞装置」が、「１」の場合に「第二の特別可変入賞装置」が、「２」の場合に「第二の特別可変入賞装置」が、「３」の場合に「第一の特別可変入賞装置」が、「４」の場合に「第一の特別可変入賞装置」が、「５」の場合に「第一の特別可変入賞装置」が、「６」の場合に「第一の特別可変入賞装置」が、「７」の場合に「第一の特別可変入賞装置」が、「８」の場合に「第一の特別可変入賞装置」が、「９」の場合に「第一の特別可変入賞装置」が、それぞれ、開放される特別可変入賞装置２５０として選択されるようになっている。このことから明らかなように、本実施形態では、第八の開放順序テーブルに基づいて大当たり遊技において開放される特別可変入賞装置２５０が選択される場合には、１回目から３回目において第二の特別可変入賞装置２６８が開放されるようになっている一方、４回目から１０回目において第一の特別可変入賞装置２６０が開放されるようになっている。なお、表３６おいては、「第一の特別可変入賞装置」を「１」と、「第二の特別可変入賞装置」を「２」と記している。
【０３２５】
【表３７】
2005334507.tif 000039
【０３２６】
表３７には、第九の開放順序テーブルが示されている。この第九の開放順序テーブルは、開放回数カウンタ１１４のカウンタ値を示す「カウンタ値」と、かかる「カウンタ値」に対応する「特別可変入賞装置」から構成されており、第九の開放順序テーブルと開放回数カウンタ１１４のカウンタ値に基づいて、開放される特別可変入賞装置２５０を選択するようになっている。そして、本実施形態では、開放回数カウンタ１１４のカウンタ値が「０」の場合に「第二の特別可変入賞装置」が、「１」の場合に「第二の特別可変入賞装置」が、「２」の場合に「第一の特別可変入賞装置」が、「３」の場合に「第一の特別可変入賞装置」が、「４」の場合に「第一の特別可変入賞装置」が、「５」の場合に「第一の特別可変入賞装置」が、「６」の場合に「第一の特別可変入賞装置」が、「７」の場合に「第一の特別可変入賞装置」が、「８」の場合に「第一の特別可変入賞装置」が、「９」の場合に「第一の特別可変入賞装置」が、それぞれ、開放される特別可変入賞装置２５０として選択されるようになっている。このことから明らかなように、本実施形態では、第八の開放順序テーブルに基づいて大当たり遊技において開放される特別可変入賞装置２５０が選択される場合には、１回目および２回目において第二の特別可変入賞装置２６８が開放されるようになっている一方、３回目から１０回目において第一の特別可変入賞装置２６０が開放されるようになっている。なお、表３７においては、「第一の特別可変入賞装置」を「１」と、「第二の特別可変入賞装置」を「２」と記している。
【０３２７】
【表３８】
2005334507.tif 000040
【０３２８】
表３８には、第十の開放順序テーブルが示されている。この第十の開放順序テーブルは、開放回数カウンタ１１４のカウンタ値を示す「カウンタ値」と、かかる「カウンタ値」に対応する「特別可変入賞装置」から構成されており、第十の開放順序テーブルと開放回数カウンタ１１４のカウンタ値に基づいて、開放される特別可変入賞装置２５０を選択するようになっている。そして、本実施形態では、開放回数カウンタ１１４のカウンタ値が「０」の場合に「第二の特別可変入賞装置」が、「１」の場合に「第一の特別可変入賞装置」が、「２」の場合に「第一の特別可変入賞装置」が、「３」の場合に「第一の特別可変入賞装置」が、「４」の場合に「第一の特別可変入賞装置」が、「５」の場合に「第一の特別可変入賞装置」が、「６」の場合に「第一の特別可変入賞装置」が、「７」の場合に「第一の特別可変入賞装置」が、「８」の場合に「第一の特別可変入賞装置」が、「９」の場合に「第一の特別可変入賞装置」が、それぞれ、開放される特別可変入賞装置２５０として選択されるようになっている。このことから明らかなように、本実施形態では、第十の開放順序テーブルに基づいて大当たり遊技において開放される特別可変入賞装置２５０が選択される場合には、１回目において第二の特別可変入賞装置２６８が開放されるようになっている一方、２回目から１０回目において第一の特別可変入賞装置２６０が開放されるようになっている。なお、表３８においては、「第一の特別可変入賞装置」を「１」と、「第二の特別可変入賞装置」を「２」と記している。
【０３２９】
【表３９】
2005334507.tif 000041
【０３３０】
表３９には、第十一の開放順序テーブルが示されている。この第十一の開放順序テーブルは、開放回数カウンタ１１４のカウンタ値を示す「カウンタ値」と、かかる「カウンタ値」に対応する「特別可変入賞装置」から構成されており、第十一の開放順序テーブルと開放回数カウンタ１１４のカウンタ値に基づいて、開放される特別可変入賞装置２５０を選択するようになっている。そして、本実施形態では、開放回数カウンタ１１４のカウンタ値が「０」の場合に「第一の特別可変入賞装置」が、「１」の場合に「第一の特別可変入賞装置」が、「２」の場合に「第一の特別可変入賞装置」が、「３」の場合に「第一の特別可変入賞装置」が、「４」の場合に「第一の特別可変入賞装置」が、「５」の場合に「第一の特別可変入賞装置」が、「６」の場合に「第一の特別可変入賞装置」が、「７」の場合に「第一の特別可変入賞装置」が、「８」の場合に「第一の特別可変入賞装置」が、「９」の場合に「第一の特別可変入賞装置」が、それぞれ、開放される特別可変入賞装置２５０として選択されるようになっている。このことから明らかなように、本実施形態では、第十の開放順序テーブルに基づいて大当たり遊技において開放される特別可変入賞装置２５０が選択される場合には、１回目から１０回目の全てにおいて第一の特別可変入賞装置２６０が開放されるようになっている。なお、表３９においては、「第一の特別可変入賞装置」を「１」と記している。
【０３３１】
【表４０】
2005334507.tif 000042
【０３３２】
表４０には、第十二の開放順序テーブルが示されている。この第十二の開放順序テーブルは、開放回数カウンタ１１４のカウンタ値を示す「カウンタ値」と、かかる「カウンタ値」に対応する「特別可変入賞装置」から構成されており、第十二の開放順序テーブルと開放回数カウンタ１１４のカウンタ値に基づいて、開放される特別可変入賞装置２５０を選択するようになっている。そして、本実施形態では、開放回数カウンタ１１４のカウンタ値が「０」の場合に「第二の特別可変入賞装置」が、「１」の場合に「第一の特別可変入賞装置」が、「２」の場合に「第二の特別可変入賞装置」が、「３」の場合に「第一の特別可変入賞装置」が、「４」の場合に「第二の特別可変入賞装置」が、「５」の場合に「第一の特別可変入賞装置」が、「６」の場合に「第二の特別可変入賞装置」が、「７」の場合に「第一の特別可変入賞装置」が、「８」の場合に「第二の特別可変入賞装置」が、「９」の場合に「第一の特別可変入賞装置」が、それぞれ、開放される特別可変入賞装置２５０として選択されるようになっている。このことから明らかなように、本実施形態では、第十二の開放順序テーブルに基づいて大当たり遊技において開放される特別可変入賞装置４８が選択される場合には、１回目，３回目，５回目，７回目，９回目において、第二の特別可変入賞装置２６８が開放されるようになっている一方、２回目，４回目，６回目，８回目，１０回目において、第一の特別可変入賞装置２６０が開放されるようになっている。なお、表４０においては、「第一の特別可変入賞装置」を「１」と、「第二の特別可変入賞装置」を「２」と記している。
【０３３３】
【表４１】
2005334507.tif 000043
【０３３４】
表４１には、第十三の開放順序テーブルが示されている。この第十三の開放順序テーブルは、開放回数カウンタ１１４のカウンタ値を示す「カウンタ値」と、かかる「カウンタ値」に対応する「特別可変入賞装置」から構成されており、第十三の開放順序テーブルと開放回数カウンタ１１４のカウンタ値に基づいて、開放される特別可変入賞装置２５０を選択するようになっている。そして、本実施形態では、開放回数カウンタ１１４のカウンタ値が「０」の場合に「第一の特別可変入賞装置」が、「１」の場合に「第二の特別可変入賞装置」が、「２」の場合に「第一の特別可変入賞装置」が、「３」の場合に「第二の特別可変入賞装置」が、「４」の場合に「第一の特別可変入賞装置」が、「５」の場合に「第二の特別可変入賞装置」が、「６」の場合に「第一の特別可変入賞装置」が、「７」の場合に「第二の特別可変入賞装置」が、「８」の場合に「第一の特別可変入賞装置」が、「９」の場合に「第二の特別可変入賞装置」が、それぞれ、開放される特別可変入賞装置２５０として選択されるようになっている。このことから明らかなように、本実施形態では、第十三の開放順序テーブルに基づいて大当たり遊技において開放される特別可変入賞装置２５０が選択される場合には、１回目，３回目，５回目，７回目，９回目において、第一の特別可変入賞装置２６０が開放されるようになっている一方、２回目，４回目，６回目，８回目，１０回目において、第二の特別可変入賞装置２６８が開放されるようになっている。なお、表４１においては、「第一の特別可変入賞装置」を「１」と、「第二の特別可変入賞装置」を「２」と記している。
【０３３５】
【表４２】
2005334507.tif 000044
【０３３６】
表４２には、第十四の開放順序テーブルが示されている。この第十四の開放順序テーブルは、開放回数カウンタ１１４のカウンタ値を示す「カウンタ値」と、かかる「カウンタ値」に対応する「特別可変入賞装置」から構成されており、第十四の開放順序テーブルと開放回数カウンタ１１４のカウンタ値に基づいて、開放される特別可変入賞装置２５０を選択するようになっている。そして、本実施形態では、開放回数カウンタ１１４のカウンタ値が「０」の場合に「第一の特別可変入賞装置」が、「１」の場合に「第一の特別可変入賞装置」が、「２」の場合に「第二の特別可変入賞装置」が、「３」の場合に「第二の特別可変入賞装置」が、「４」の場合に「第一の特別可変入賞装置」が、「５」の場合に「第一の特別可変入賞装置」が、「６」の場合に「第二の特別可変入賞装置」が、「７」の場合に「第二の特別可変入賞装置」が、「８」の場合に「第一の特別可変入賞装置」が、「９」の場合に「第一の特別可変入賞装置」が、それぞれ、開放される特別可変入賞装置２５０として選択されるようになっている。このことから明らかなように、本実施形態では、第第十四の開放順序テーブルに基づいて大当たり遊技において開放される特別可変入賞装置４８が選択される場合には、１回目，２回目，５回目，６回目，９回目，１０回目において、第一の特別可変入賞装置２６０が開放されるようになっている一方、３回目，４回目，７回目，８回目において、第二の特別可変入賞装置２６８が開放されるようになっている。なお、表４２においては、「第一の特別可変入賞装置」を「１」と、「第二の特別可変入賞装置」を「２」と記している。
【０３３７】
【表４３】
2005334507.tif 000045
【０３３８】
表４３には、第十五の開放順序テーブルが示されている。この第十五の開放順序テーブルは、開放回数カウンタ１１４のカウンタ値を示す「カウンタ値」と、かかる「カウンタ値」に対応する「特別可変入賞装置」から構成されており、第十五の開放順序テーブルと開放回数カウンタ１１４のカウンタ値に基づいて、開放される特別可変入賞装置２５０を選択するようになっている。そして、本実施形態では、開放回数カウンタ１１４のカウンタ値が「０」の場合に「第二の特別可変入賞装置」が、「１」の場合に「第二の特別可変入賞装置」が、「２」の場合に「第一の特別可変入賞装置」が、「３」の場合に「第一の特別可変入賞装置」が、「４」の場合に「第二の特別可変入賞装置」が、「５」の場合に「第二の特別可変入賞装置」が、「６」の場合に「第一の特別可変入賞装置」が、「７」の場合に「第一の特別可変入賞装置」が、「８」の場合に「第二の特別可変入賞装置」が、「９」の場合に「第二の特別可変入賞装置」が、それぞれ、開放される特別可変入賞装置２５０として選択されるようになっている。このことから明らかなように、本実施形態では、第十五の開放順序テーブルに基づいて大当たり遊技において開放される特別可変入賞装置２５０が選択される場合には、１回目，２回目，５回目，６回目，９回目，１０回目において、第二の特別可変入賞装置２６８が開放されるようになっている一方、３回目，４回目，７回目，８回目において、第一の特別可変入賞装置２６０が開放されるようになっている。なお、表４３においては、「第一の特別可変入賞装置」を「１」と、「第二の特別可変入賞装置」を「２」と記している。
【０３３９】
【表４４】
2005334507.tif 000046
【０３４０】
表４４には、第十六の開放順序テーブルが示されている。この第十六の開放順序テーブルは、開放回数カウンタ１１４のカウンタ値を示す「カウンタ値」と、かかる「カウンタ値」に対応する「特別可変入賞装置」から構成されており、第十六の開放順序テーブルと開放回数カウンタ１１４のカウンタ値に基づいて、開放される特別可変入賞装置２５０を選択するようになっている。そして、本実施形態では、開放回数カウンタ１１４のカウンタ値が「０」の場合に「第二の特別可変入賞装置」が、「１」の場合に「第二の特別可変入賞装置」が、「２」の場合に「第二の特別可変入賞装置」が、「３」の場合に「第一の特別可変入賞装置」が、「４」の場合に「第一の特別可変入賞装置」が、「５」の場合に「第一の特別可変入賞装置」が、「６」の場合に「第一の特別可変入賞装置」が、「７」の場合に「第二の特別可変入賞装置」が、「８」の場合に「第二の特別可変入賞装置」が、「９」の場合に「第二の特別可変入賞装置」が、それぞれ、開放される特別可変入賞装置２５０として選択されるようになっている。このことから明らかなように、本実施形態では、第十六の開放順序テーブルに基づいて大当たり遊技において開放される特別可変入賞装置２５０が選択される場合には、１回目〜３回目，８回目〜１０回目において、第二の特別可変入賞装置２６８が開放されるようになっている一方、４回目〜７回目において、第一の特別可変入賞装置２６０が開放されるようになっている。なお、表４４においては、「第一の特別可変入賞装置」を「１」と、「第二の特別可変入賞装置」を「２」と記している。
【０３４１】
【表４５】
2005334507.tif 000047
【０３４２】
表４５には、第十七の開放順序テーブルが示されている。この第十七の開放順序テーブルは、開放回数カウンタ１１４のカウンタ値を示す「カウンタ値」と、かかる「カウンタ値」に対応する「特別可変入賞装置」から構成されており、第十七の開放順序テーブルと開放回数カウンタ１１４のカウンタ値に基づいて、開放される特別可変入賞装置２５０を選択するようになっている。そして、本実施形態では、開放回数カウンタ１１４のカウンタ値が「０」の場合に「第一の特別可変入賞装置」が、「１」の場合に「第一の特別可変入賞装置」が、「２」の場合に「第一の特別可変入賞装置」が、「３」の場合に「第二の特別可変入賞装置」が、「４」の場合に「第二の特別可変入賞装置」が、「５」の場合に「第二の特別可変入賞装置」が、「６」の場合に「第二の特別可変入賞装置」が、「７」の場合に「第一の特別可変入賞装置」が、「８」の場合に「第一の特別可変入賞装置」が、「９」の場合に「第一の特別可変入賞装置」が、それぞれ、開放される特別可変入賞装置２５０として選択されるようになっている。このことから明らかなように、本実施形態では、第十七の開放順序テーブルに基づいて大当たり遊技において開放される特別可変入賞装置２５０が選択される場合には、１回目〜３回目，８回目〜１０回目において、第一の特別可変入賞装置２６０が開放されるようになっている一方、４回目〜７回目において、第二の特別可変入賞装置２６８が開放されるようになっている。なお、表４５においては、「第一の特別可変入賞装置」を「１」と、「第二の特別可変入賞装置」を「２」と記している。
【０３４３】
更にまた、図３８には、本実施形態のパチンコ機に採用される表示制御回路２７８のブロック図が示されている。本実施形態では、プログラムＲＯＭ１８４に対して、次に開放される特別可変入賞装置２５０を報知するまでの過程における演出内容を規定する導出パターンが記憶された導出パターン記憶エリア２８０，次に開放される特別可変入賞装置２５０が第一の特別可変入賞装置２６０であることを遊技者に報知する際に用いられる事前報知パターン（以下、事前報知パターンＡと称する）が記憶された第一の事前報知パターン記憶エリア２８２ａ，次に開放される特別可変入賞装置２５０が第二の特別可変入賞装置２６８であることを遊技者に報知する際に用いられる事前報知パターン（以下、事前報知パターンＢと称する）が記憶された第二の事前報知パターン記憶エリア２８２ｂが設けられている。
【０３４４】
そこにおいて、導出パターンとは、次に開放される特別可変入賞装置２５０の報知が開始されたことを遊技者に認識させるための表示をする際に用いられるものであり、本実施形態では、かかる導出パターンが用いされることによって、「次に開放されるのはどっち？」という文字を液晶表示器３４の表示画面に表示された後、「１」と「２」の数字図柄が液晶表示器３４の表示画面の右側から左側に向けてスクロール表示されるようになっている。また、事前報知パターンＡとは、スクロール表示されている「１」と「２」の数字図柄のうち、「１」の数字図柄を停止表示させて、遊技者に対して、次に開放される特別可変入賞装置２４６が第一の特別可変入賞装置２５２であることを報知する際に用いられるものであり、かかる事前報知パターンＡが用いられることによって、「１」の数字図柄が停止表示されるようになっている。更に、事前報知パターンＢとは、スクロール表示されている「１」と「２」の数字図柄のうち、「２」の数字図柄を停止表示させて、遊技者に対して、次に開放される特別可変入賞装置２４６が第二の特別可変入賞装置２５８であることを報知する際に用いられるものであり、かかる事前報知パターンＢが用いられることによって、「２」の数字図柄が停止表示されるようになっている。
【０３４５】
続いて、本実施形態の主制御ＣＰＵ７０が実行する主制御側の遊技処理について、図３９に基づいて説明する。なお、本実施形態の主制御側の遊技処理は、第一の実施形態で主制御ＣＰＵ７０が実行する主制御側の遊技処理に比して、報知待ち処理が設けられていない。また、第一の装置開放処理および第二の装置開放処理が異なっていることから、それらの処理について説明することにする。
【０３４６】
図４０には、本実施形態の第一の装置開放処理のフローチャートが示されている。先ず、主制御ＣＰＵ７０は、Ｓ３６１において、大当たりフラグ１２６がＯＮになっているか否かを判定し、大当たりフラグ１２６がＯＦＦになっている場合（Ｓ３６１：ＮＯ）には、第一の装置開放処理を終了する一方、大当たりフラグ１２６がＯＮになっている場合（Ｓ３６１：ＹＥＳ）には、Ｓ３６２において、第一の開放フラグ１３０がＯＮになっているか否かを判定する。
【０３４７】
第一の開放フラグ１３０がＯＦＦになっている場合（Ｓ３６２：ＮＯ）には、第一の装置開放処理を終了する一方、第一の開放フラグ１３０がＯＮになっている場合（Ｓ３６２：ＹＥＳ）には、Ｓ３６３において、第一のＶスイッチ２６４が遊技球を検出したか否かを判定する。
【０３４８】
第一のＶスイッチ２６４が遊技球の通過を検出していない場合（Ｓ３６３：ＮＯ）には、主制御ＣＰＵ７０は、Ｓ３６４において、第一のカウントスイッチ２６２が遊技球を検出したか否かを判定する。
【０３４９】
第一のカウントスイッチ２６２が遊技球の通過を検出した場合（Ｓ３６４：ＹＥＳ）には、主制御ＣＰＵ７０は、Ｓ３６５において、入賞数カウンタ１１６のカウンタ値を１加算し、Ｓ３６６において、第二の賞球払出パターン記憶エリア１７３に記憶されている賞球払出パターンＢを賞球払出制御回路９５に向けて送信する賞球払出処理を実行した後、Ｓ３６７において、入賞数カウンタ１１６のカウンタ値が「７」であるか否かを判定する。
【０３５０】
入賞数カウンタ１１６のカウンタ値が「７」である場合（Ｓ３６７：ＹＥＳ）には、主制御ＣＰＵ７０は、Ｓ３６８において、演出停止コマンドを表示制御回路８４に向けて送信した後、Ｓ３６９において、扉用タイマカウンタ１２０のカウンタ値を１減算する。
【０３５１】
入賞数カウンタ１１６のカウンタ値が「７」でない場合（Ｓ３６７：ＮＯ）および第一のカウントスイッチ２６２が遊技球の通過を検出していない場合（Ｓ３６４：ＮＯ）には、主制御ＣＰＵ７０は、Ｓ３６９以降の処理を実行する。
【０３５２】
次に、主制御ＣＰＵ７０は、Ｓ３７０において、入賞数カウンタ１１６のカウンタ値が「１５」以上であるか否かを判定する。
【０３５３】
入賞数カウンタ１１６のカウンタ値が「１５」以上である場合（Ｓ３７０：ＹＥＳ）には、主制御ＣＰＵ７０は、Ｓ３７１において、第一の特別可変入賞装置２６０を閉鎖した後、Ｓ３７２において、第一の開放フラグ１３０をＯＦＦにする。
【０３５４】
続いて、主制御ＣＰＵ７０は、Ｓ３７３において、入賞数カウンタ１１６のカウンタ値を「０」にし、Ｓ３７４において、開放回数カウンタ１１４のカウンタ値が「１０」であるか否かを判定する。
【０３５５】
開放回数カウンタ１１４のカウンタ値が「１０」である場合（Ｓ３７４：ＹＥＳ）には、主制御ＣＰＵ７０は、Ｓ３７５において、終了演出パターン記憶エリア１７６に記憶されている終了演出パターンを表示制御回路８４に向けて送信する。
【０３５６】
そして、主制御ＣＰＵ７０は、Ｓ３７６において、報知用タイマカウンタ１２２のカウンタ値を初期値にセットし、Ｓ３７７において、終了報知フラグ１４０をＯＮにするフラグ変更処理を実行した後、第一の装置開放処理を終了する。そこにおいて、本実施形態では、Ｓ３７６においてセットされる報知用タイマカウンタ１２２のカウンタ値は終了演出パターンに基づく大当たり遊技の終了の報知に要する時間に相当するものである。
【０３５７】
開放回数カウンタ１１４のカウンタ値が「１０」でない場合（Ｓ３７４：ＮＯ）には、主制御ＣＰＵ７０は、Ｓ３７８において、開放回数カウンタ１１４のカウンタ値を１加算した後、Ｓ３７９において、事前報知フラグ１３８がＯＮになっているか否かを判定し、事前報知フラグ１３８がＯＦＦになっている場合（Ｓ３７９：ＮＯ）には、Ｓ３６５以降の処理を実行する一方、事前報知フラグ１３８がＯＮになっている場合（Ｓ３６９：ＹＥＳ）には、Ｓ３８０において、中間演出パターン記憶エリア１７４に記憶されている中間演出パターンを表示制御回路８４に向けて送信した後、Ｓ３８１において、報知用タイマカウンタ１２２のカウンタ値を予め定められた初期値にセットする。そこにおいて、本実施形態では、Ｓ３８１においてセットされる報知用タイマカウンタ１２２のカウンタ値は、インターバル期間に相当するものである。
【０３５８】
そして、主制御ＣＰＵ７０は、Ｓ３８２において、中間報知フラグ１３６をＯＮすると共に、事前報知フラグ１３８をＯＦＦにするフラグ変更処理を実行した後、第一の装置開放処理を終了する。
【０３５９】
第一のＶスイッチ２６４が遊技球の入賞を検出した場合（Ｓ３６３：ＹＥＳ）には、主制御ＣＰＵ７０は、Ｓ３８３において、事前報知フラグ１３８がＯＮになっているか否かを判定し、事前報知フラグ１３８がＯＮになっている場合（Ｓ３８３：ＹＥＳ）には、Ｓ３６５以降の処理を実行する一方、事前報知フラグ１３８がＯＦＦになっている場合（Ｓ３８３：ＮＯ）には、Ｓ３８４において、開放回数カウンタ１１４のカウンタ値が「１６」であるか否かを判定し、開放回数カウンタ１１４のカウンタ値が「１０」である場合（Ｓ３８４：ＹＥＳ）には、Ｓ３６５以降の処理を実行する。
【０３６０】
一方、開放回数カウンタ１１４のカウンタ値が「１０」でない場合（Ｓ３８４：ＮＯ）には、主制御ＣＰＵ７０は、Ｓ３８５において、現在の開放回数カウンタ１１４のカウンタ値と予めセットされた開放順序テーブルに基づいて次に開放される特別可変入賞装置を選択し、選択した特別可変入賞装置が第一の特別可変入賞装置である場合には開放装置フラグをＯＦＦにする一方、選択した特別可変入賞装置が第二の特別可変入賞装置である場合には、開放装置フラグ１２８をＯＮにする開放装置決定処理を実行する。
【０３６１】
続いて、主制御ＣＰＵ７０は、Ｓ３８６において、開放装置フラグ１２８がＯＮになっているか否かを判定し、開放装置フラグ１２８がＯＮである場合（Ｓ３８６：ＹＥＳ）には、Ｓ３８７において、第二の事前演出パターン記憶エリア１７４ｂに記憶されている事前演出パターンＢを表示制御回路８４に向けて送信し、Ｓ３８８において、事前報知フラグ１３８をＯＮにした後、Ｓ３６５以降の処理を実行する。
【０３６２】
開放装置フラグ１２８がＯＦＦになっている場合（Ｓ３８６：ＮＯ）には、Ｓ３８９において、第一の事前演出パターン記憶エリア１７４ａに記憶されている事前演出パターンＡを表示制御回路８４に向けて送信し、Ｓ３８８以降の処理を実行する。
【０３６３】
入賞数カウンタ１１６のカウンタ値が「１５」以上でない場合（Ｓ３７０：ＮＯ）には、主制御ＣＰＵ７０は、Ｓ３９０において、第一の特別可変入賞装置２６０の開放時間が経過したか否かを判定する。具体的には、扉用タイマカウンタ１２０のカウンタ値が「０」になっているか否かを判定する。
【０３６４】
開放時間が経過している場合（Ｓ３９０：ＹＥＳ）には、主制御ＣＰＵ７０は、Ｓ３７１以降の処理を実行する一方、開放時間が経過していない場合（Ｓ３９０：ＮＯ）には、主制御ＣＰＵ７０は、Ｓ３９１において、第一の特別可変入賞装置２６０の開放時間が残り３秒となったか否かを判定する。実際には、扉用タイマカウンタ１２０のカウンタ値が残り時間３秒に相当するカウンタ値であるか否かで判定する。第一の特別可変入賞装置２６０の開放時間が残り３秒となっていない場合（Ｓ３９１：ＮＯ）には、主制御ＣＰＵ７０は、第一の装置開放処理を終了する。
【０３６５】
第一の特別可変入賞装置２６０の開放時間が残り３秒となっている場合（Ｓ３９１：ＹＥＳ）には、主制御ＣＰＵ７０は、Ｓ３９２において、演出停止コマンドを送信してから、第一の装置開放処理を終了する。
【０３６６】
図４１には、本実施形態の第二の装置開放処理のフローチャートが示されている。先ず、主制御ＣＰＵ７０は、Ｓ４０１において、大当たりフラグ１２６がＯＮになっているか否かを判定し、大当たりフラグ１２６がＯＦＦになっている場合（Ｓ４０１：ＮＯ）には、第二の装置開放処理を終了する一方、大当たりフラグ１２６がＯＮになっている場合（Ｓ４０１：ＹＥＳ）には、Ｓ４０２において、第二の開放フラグ１３２がＯＮになっているか否かを判定する。
【０３６７】
第二の開放フラグ１３２がＯＦＦになっている場合（Ｓ４０２：ＮＯ）には、第二の装置開放処理を終了する一方、第二の開放フラグ１３２がＯＮになっている場合（Ｓ４０２：ＹＥＳ）には、Ｓ４０３において、第二のＶスイッチ２７２が遊技球を検出したか否かを判定する。
【０３６８】
第二のＶスイッチ２７２が遊技球の通過を検出していない場合（Ｓ４０３：ＮＯ）には、主制御ＣＰＵ７０は、Ｓ４０４において、第二のカウントスイッチ２７０が遊技球を検出したか否かを判定する。
【０３６９】
第二のカウントスイッチ２７０が遊技球の通過を検出した場合（Ｓ４０４：ＹＥＳ）には、主制御ＣＰＵ７０は、Ｓ４０５において、入賞数カウンタ１１６のカウンタ値を１加算し、Ｓ４０６において、第二の賞球払出パターン記憶エリア１７３に記憶されている賞球払出パターンＢを賞球払出制御回路９５に向けて送信する賞球払出処理を実行した後、Ｓ４０７において、入賞数カウンタ１１６のカウンタ値が「５」であるか否かを判定する。
【０３７０】
入賞数カウンタ１１６のカウンタ値が「５」である場合（Ｓ４０７：ＹＥＳ）には、主制御ＣＰＵ７０は、Ｓ４０８において、演出停止コマンドを表示制御回路８４に向けて送信した後、Ｓ４０９において、扉用タイマカウンタ１２０のカウンタ値を１減算する。
【０３７１】
入賞数カウンタ１１６のカウンタ値が「５」でない場合（Ｓ４０７：ＮＯ）および第二のカウントスイッチ２７０が遊技球の通過を検出していない場合（Ｓ４０４：ＮＯ）には、主制御ＣＰＵ７０は、Ｓ４０９以降の処理を実行する。
【０３７２】
次に、主制御ＣＰＵ７０は、Ｓ４１０において、入賞数カウンタ１１６のカウンタ値が「８」以上であるか否かを判定する。
【０３７３】
入賞数カウンタ１１６のカウンタ値が「８」以上である場合（Ｓ４１０：ＹＥＳ）には、主制御ＣＰＵ７０は、Ｓ４１１において、第二の特別可変入賞装置２６８を閉鎖した後、Ｓ４１２において、第二の開放フラグ１３２をＯＦＦにする。
【０３７４】
続いて、主制御ＣＰＵ７０は、Ｓ４１３において、入賞数カウンタ１１６のカウンタ値を「０」にし、Ｓ４１４において、開放回数カウンタ１１４のカウンタ値が「１０」であるか否かを判定する。
【０３７５】
開放回数カウンタ１１４のカウンタ値が「１０」である場合（Ｓ４１４：ＹＥＳ）には、主制御ＣＰＵ７０は、Ｓ４１５において、終了演出パターン記憶エリア１７６に記憶されている終了演出パターンを表示制御回路８４に向けて送信する。
【０３７６】
そして、主制御ＣＰＵ７０は、Ｓ４１６において、報知用タイマカウンタ１２２のカウンタ値を初期値にセットし、Ｓ４１７において、終了報知フラグ１４０をＯＮにするフラグ変更処理を実行した後、第二の装置開放処理を終了する。そこにおいて、本実施形態では、Ｓ４１６においてセットされる報知用タイマカウンタ１２２のカウンタ値は、終了演出パターンに基づく大当たり遊技の終了の報知に要する時間に相当するものである。
【０３７７】
開放回数カウンタ１１４のカウンタ値が「１０」でない場合（Ｓ４１４：ＮＯ）には、主制御ＣＰＵ７０は、Ｓ４１８において、開放回数カウンタ１１４のカウンタ値を１加算した後、Ｓ４１９において、事前報知フラグ１３８がＯＮになっているか否かを判定し、事前報知フラグ１３８がＯＦＦになっている場合（Ｓ４１９：ＮＯ）には、Ｓ４１５以降の処理を実行する一方、事前報知フラグ１３８がＯＮになっている場合（Ｓ４１９：ＹＥＳ）には、Ｓ４２０において、中間演出パターン記憶エリア１７４に記憶されている中間演出パターンを表示制御回路８４に向けて送信した後、Ｓ４２１において、報知用タイマカウンタ１２２のカウンタ値を予め定められた初期値にセットする。そこにおいて、本実施形態では、Ｓ４２１においてセットされる報知用タイマカウンタ１２２のカウンタ値は、インターバル期間に相当するものである。
【０３７８】
そして、主制御ＣＰＵ７０は、Ｓ４２２において、中間報知フラグ１３６をＯＮすると共に、事前報知フラグ１３８をＯＦＦにするフラグ変更処理を実行した後、第二の装置開放処理を終了する。
【０３７９】
第二のＶスイッチ２７２が遊技球の入賞を検出した場合（Ｓ４０３：ＹＥＳ）には、主制御ＣＰＵ７０は、Ｓ４２３において、事前報知フラグ１３８がＯＮになっているか否かを判定し、事前報知フラグ１３８がＯＮになっている場合（Ｓ４２３：ＹＥＳ）には、Ｓ４０５以降の処理を実行する一方、事前報知フラグ１３８がＯＦＦになっている場合（Ｓ４２３：ＮＯ）には、Ｓ４２４において、開放回数カウンタ１１４のカウンタ値が「１０」であるか否かを判定し、開放回数カウンタ１１４のカウンタ値が「１０」である場合（Ｓ４２４：ＹＥＳ）には、Ｓ４０５以降の処理を実行する。
【０３８０】
一方、開放回数カウンタ１１４のカウンタ値が「１０」でない場合（Ｓ４２４：ＮＯ）には、主制御ＣＰＵ７０は、Ｓ４２５において、現在の開放回数カウンタ１１４のカウンタ値と予めセットされた開放順序テーブルに基づいて次に開放される特別可変入賞装置２５０を選択し、選択した特別可変入賞装置２５０が第一の特別可変入賞装置２６０である場合には開放装置フラグ１２８をＯＦＦにする一方、選択した特別可変入賞装置２５０が第二の特別可変入賞装置２６８である場合には、開放装置フラグ１２８をＯＮにする開放装置決定処理を実行する。
【０３８１】
続いて、主制御ＣＰＵ７０は、Ｓ４２６において、開放装置フラグ１２８がＯＮになっているか否かを判定し、開放装置フラグ１２８がＯＮである場合（Ｓ４２６：ＹＥＳ）には、Ｓ４２７において、第二の事前演出パターン記憶エリア１７４ｂに記憶されている事前演出パターンＢを表示制御回路８４に向けて送信し、Ｓ４２８において、事前報知フラグ１３８をＯＮにした後、Ｓ４０５以降の処理を実行する。
【０３８２】
開放装置フラグ１２８がＯＦＦになっている場合（Ｓ４２６：ＮＯ）には、Ｓ４２９において、第一の事前演出パターン記憶エリア１７４ａに記憶されている事前演出パターンＡを表示制御回路８４に向けて送信し、Ｓ４２８以降の処理を実行する。
【０３８３】
入賞数カウンタ１１６のカウンタ値が「８」以上でない場合（Ｓ４１０：ＮＯ）には、主制御ＣＰＵ７０は、Ｓ４３０において、第二の特別可変入賞装置２６８の開放時間が経過したか否かを判定する。具体的には、扉用タイマカウンタ１２０のカウンタ値が「０」になっているか否かを判定する。
【０３８４】
開放時間が経過している場合（Ｓ４３０：ＹＥＳ）には、主制御ＣＰＵ７０は、Ｓ４１１以降の処理を実行する一方、開放時間が経過していない場合（Ｓ４３０：ＮＯ）には、主制御ＣＰＵ７０は、Ｓ４３１において、第二の特別可変入賞装置２６８の開放時間が残り３秒となったか否かを判定する。実際には、扉用タイマカウンタ１２０のカウンタ値が残り時間３秒に相当するカウンタ値であるか否かで判定する。第二の特別可変入賞装置２６８の開放時間が残り３秒となっていない場合（Ｓ４３１：ＮＯ）には、主制御ＣＰＵ７０は、第二の装置開放処理を終了する。
【０３８５】
第二の特別可変入賞装置２６８の開放時間が残り３秒となっている場合（Ｓ４３１：ＹＥＳ）には、主制御ＣＰＵ７０は、Ｓ４３２において、演出停止コマンドを送信してから、第二の装置開放処理を終了する。
【０３８６】
続いて、本実施形態における表示制御側の遊技処理について、図４２に基づいて説明する。なお、本実施形態では、第一の実施形態に比して、事前報知処理の代わりに、事前報知開始処理と事前報知監視処理が設けられている。
【０３８７】
本実施形態の事前報知開始処理について、図４３に基づいて説明する。先ず、表示制御ＣＰＵ１７８は、Ｓ４５１において、大当たりフラグ２００がＯＮになっているか否かを判定し、大当たりフラグ２００がＯＦＦになっている場合（Ｓ４５１：ＮＯ）には、事前報知開始処理を終了する一方、大当たりフラグ２００がＯＮになっている場合（Ｓ４５１：ＹＥＳ）には、Ｓ４５２において、事前報知フラグ２０６がＯＮになっているか否かを判定する。
【０３８８】
事前報知フラグ２０６がＯＮになっている場合（Ｓ４５２：ＹＥＳ）には、表示制御ＣＰＵ１７８は、事前報知開始処理を終了する一方、事前報知フラグ２０６がＯＦＦになっている場合（Ｓ４５２：ＮＯ）には、表示制御ＣＰＵ１７８は、Ｓ４５３において、開放報知フラグ２０４がＯＮになっているか否かを判定する。
【０３８９】
開放報知フラグ２０４がＯＦＦになっている場合（Ｓ４５３：ＮＯ）には、表示制御ＣＰＵ１７８は、事前報知開始処理を終了する一方、開放報知フラグ２０４がＯＮの場合（Ｓ４５３：ＹＥＳ）には、表示制御ＣＰＵ１７８は、Ｓ４５４において、事前演出パターンを受信したか否かを判定し、事前演出パターンを受信した場合（Ｓ４５４：ＹＥＳ）には、Ｓ４５５において、特別可変入賞装置４８の開放の報知をＶＤＰ１８６に止めさせる終了処理を実行する。
【０３９０】
続いて、表示制御ＣＰＵ１７８は、Ｓ４５６において、事前報知フラグ２０６をＯＮにした後、Ｓ４５７において、導出パターン記憶エリア２５７に記憶されている導出パターンをＶＤＰ１８６に送信し、かかる導出パターンに基づいて次に開放される特別可変入賞装置２４６が報知されるまでの過程の演出をＶＤＰ１８６に行わせる開始処理を実行した後、事前報知開始処理を終了する。
【０３９１】
事前演出パターンを受信していない場合（Ｓ４５４：ＮＯ）には、表示制御ＣＰＵ１７８は、事前報知開始処理を終了する。
【０３９２】
続いて、本実施形態の事前報知監視処理（Ｓ４４６）について、図４４に基づいて説明する。先ず、表示制御ＣＰＵ１７８は、Ｓ４６１において、大当たりフラグ２００がＯＮになっているか否かを判定し、大当たりフラグ２００がＯＦＦになっている場合（Ｓ４６１：ＮＯ）には、事前報知監視処理を終了する一方、大当たりフラグ２００がＯＮになっている場合（Ｓ４６１：ＹＥＳ）には、Ｓ４６２において、事前報知フラグ２０８がＯＮになっているか否かを判定する。
【０３９３】
事前報知フラグ２０８がＯＮになっている場合（Ｓ４６２：ＹＥＳ）には、表示制御ＣＰＵ１７８は、Ｓ４６３において、演出停止コマンドを受信したか否かを判定し、演出停止コマンドを受信した場合（Ｓ４６３：ＹＥＳ）には、表示制御ＣＰＵ１７８は、Ｓ４６４において、ＶＤＰ１８６に導出過程の表示を終了させる終了処理を実行する。
【０３９４】
続いて、表示制御ＣＰＵ１７８は、Ｓ４６５において、事前演出パターン記憶エリア２２０に記憶されている事前演出パターンが事前演出パターンＡである場合には、第一の事前報知パターン記憶エリア２８２ａに記憶されている事前報知パターンＡをＶＤＰ１８６に向けて送信し、かかる事前報知パターンＡに基づいて次に開放される特別可変入賞装置２５０が第一の特別可変入賞装置２６０であることの報知を開始する一方、事前演出パターン記憶エリア２２０に記憶されている事前演出パターンが事前演出パターンＢである場合には、第二の事前報知パターン記憶エリア２８２ｂに記憶されている事前報知パターンＢをＶＤＰ１８６に向けて送信し、かかる事前報知パターンＢに基づいて次に開放される特別可変入賞装置２５０が第二の特別可変入賞装置２６８であることの報知を開始する開始処理を実行する。
【０３９５】
次に、表示制御ＣＰＵ１７８は、Ｓ４６６において、事前報知フラグ２０６をＯＦＦにした後、事前報知監視処理を終了する。
【０３９６】
事前報知フラグ２０８がＯＦＦになっている場合（Ｓ４６２：ＮＯ）および演出停止コマンドを受信していない場合（Ｓ４６３：ＮＯ）には、表示制御ＣＰＵ１７８は、事前報知監視処理を終了する。
【０３９７】
上述の説明から明らかなように、本実施形態においては、第一乃至第十七の開放順序テーブルのそれぞれによって開放順序情報が構成されている。
【０３９８】
このような構造とされたパチンコ機１０においては、遊技者が発射レバー２８を回動操作して遊技球を遊技領域３２に向けて発射すると、遊技球が遊技領域３２に打ち込まれた多数の遊技釘（図示せず）に衝突しながら遊技領域３２を流下するようになっている。このように遊技領域３２を流下する遊技球が、始動入賞装置４２に入賞すると、液晶表示器３４において特別図柄３６，３８，４０の変動表示が一斉に開始される。
【０３９９】
そして、特別図柄３６，３８，４０が、例えば、「７７７」で停止表示された場合には、図３０に示されているように、「大当たり遊技開始！開くのはどっち？」という文字表示が液晶表示器３４の表示画面に表示されてから、「１」と「２」の数字図柄が液晶表示器３４の表示画面の右側から左側に向かってスクロール表示されるようになっている。
【０４００】
そこにおいて、開始演出パターンＡに基づいて大当たり遊技の開始の報知が行われている場合には、「大当たり遊技開始！開くのはどっち？」の文字が表示されてから所定時間経過した後、図３１に示されているように、「１」の数字図柄で停止表示されて、第一の特別可変入賞装置２６０が最初に開放されることが遊技者に報知されるようになっている。また、開始演出パターンＢに基づいて大当たり遊技の開始の報知が行われている場合には、「大当たり遊技開始！開くのはどっち？」の文字が表示されてから所定時間経過した後、図３２に示されているように、「２」の数字図柄が表示されて、第二の特別可変入賞装置２６８が最初に開放されることが遊技者に報知されるようになっている。
【０４０１】
このようにして、大当たり遊技において、最初に開放される特別可変入賞装置２５０が遊技者に報知された後、開放されることが報知された特別可変入賞装置２５０が開放される。
【０４０２】
そして、開放された特別可変入賞装置２５０に遊技球が入賞して、Ｖスイッチ２５８が遊技球の通過を検出すると、図３３に示されているように、「次に開くのはどっち？」という文字が液晶表示器３４の表示画面に表示された後、「１」と「２」の数字図柄が液晶表示器３４の表示画面の右側から左側にスクロール表示されて、次に開放される特別可変入賞装置２５０の報知が開始されるようになっている。
【０４０３】
そこにおいて、事前報知パターンＡに基づいて、次に開放される特別可変入賞装置２５０の報知が行われている場合には、「次に開くのはどっち？」の文字が表示されてから所定時間が経過した後、「１」の数字図柄が停止表示されて、次に開放される特別可変入賞装置２５０が第一の特別可変入賞装置２６０であることが遊技者に報知されるようになっている。また、事前報知パターンＢに基づいて、次に開放される特別可変入賞装置２５０の報知が行われている場合には、「次に開くのはどっち？」の文字が表示されてから所定時間経過した後、「２」の数字図柄が停止表示されて、次に開放される特別可変入賞装置２５０が第二の特別可変入賞装置２６８であることが遊技者に報知されるようになっている。
【０４０４】
このようにして、次に開放される特別可変入賞装置２５０の報知が行われた後、開放されていた特別可変入賞装置２５０が閉鎖されると、液晶表示器３４の表示画面において、遊技者に対してインターバル期間中である旨を報知する表示が為される。
【０４０５】
かかるインターバル期間中である旨の表示が為された後、先に開放されることが報知されていた特別可変入賞装置２５０が開放されて、特別可変入賞装置２５０への遊技球の入賞が可能となる。
【０４０６】
そして、本実施形態では、上述の如き液晶表示器３４の表示画面における表示および特別可変入賞装置２５０の作動が、大当たり遊技中において、繰り返し行われるようになっている。
【０４０７】
また、１０ラウンド目においては、次に特別可変入賞装置４８が開放されることがないから、液晶表示器３４において、次に開放される特別可変入賞装置２５０の報知が行われることはない。
【０４０８】
そして、１０回目の特別可変入賞装置２５０の開放が終了すると、液晶表示器３４の表示画面において、大当たり遊技が終了したことを遊技者に報知するための表示が為されるようになっている。
【０４０９】
そこにおいて、本実施形態では、特別可変入賞装置２５０が開放されている間に、Ｖスイッチ２５８が遊技球の通過を一回も検出しなかった場合には、特別可変入賞装置２５０が閉鎖された後、インターバル表示ではなく、大当たり遊技の終了表示が為されるようになっている。
【０４１０】
また、本実施形態では、次に開く特別可変入賞装置２５０の報知が終了するまでの間において、特別可変入賞装置２５０が閉鎖されてしまった場合には、次に開く特別可変入賞装置２５０を遊技者は認識できないようになっている。
【０４１１】
従って、本実施形態のパチンコ機においては、大当たり遊技中において開放される特別可変入賞装置４８に対する遊技者の興味を十分に惹きつけて、遊技者にパチンコ遊技の醍醐味を味わってもらえるようにすることが可能となる。
【０４１２】
また、本実施形態では、次に開放される特別可変入賞装置４８の報知が途中で終了した場合には、次に開放される特別可変入賞装置２５０を遊技者が認識できないようになっていることから、次に開放される特別可変入賞装置２５０に対して遊技者の興味を十分に惹きつけることが可能となる。
【０４１３】
さらに、本実施形態では、第一の特別可変入賞装置２６０に対して設定されている入賞可能条件のうち、最大開放時間が経過するまでに第一の特別可変入賞装置２６０を閉鎖するための遊技球の数が、第二の特別可変入賞装置２６８に対して設定されている入賞可能条件のうち、最大開放時間が経過するまでに第二の特別可変入賞装置２６８を閉鎖するための遊技球の数よりも少なく設定されており、しかも、第一のカウントスイッチ２６２が遊技球を検出する毎に払い出される賞球の数と第二のカウントスイッチ２７０が遊技球を検出する毎に払い出される賞球の数が互いに同じとされていることから、大当たり遊技が終了するまで、払い出される賞球の総数が遊技者に予測できないようになっており、それによって、遊技者に遊技をする楽しみを与えることが可能となる。
【０４１４】
更にまた、本実施形態では、第一乃至第十一の開放順序テーブルに基づいて特別可変入賞装置２５０が開放される場合には、今回の大当たり遊技において、一度でも第一の特別可変入賞装置２６０が開放された場合には、それ以降、第二の特別可変入賞装置２６８が開放されることがないことから、遊技者に損をしたという印象を与え難くすることが可能となり、それによって、遊技者に遊技をする楽しみを与えることが可能となる。
【０４１５】
また、本実施形態では、大当たり遊技において開放される特別可変入賞装置２５０が予め決定されているにも拘わらず、液晶表示器３４の表示画面において「１」および「２」の数字図柄がスクロール表示されるようになっていることから、恰も、今現在、抽選が行われたかの如き印象を遊技者に与えることが可能となり、遊技者に楽しみを与えることが可能となる。即ち、本実施形態では、表示制御ＣＰＵ１７８がＳ４５７の制御処理を実行することおよび液晶表示器３４を含んで次回擬似抽選結果報知手段が構成されているのである。
【０４１６】
以上、本発明の幾つかの実施形態について、詳述してきたが、これらはあくまでも例示であって、本発明は、かかる実施形態における具体的な記載によって、何等、限定的に解釈されるものではない。
【０４１７】
例えば、前記第二の実施形態では、第一の特別可変入賞装置２６０が開放された後、第二の特別可変入賞装置２６８が開放される開放順序テーブル（第十二乃至第十七の開放順序テーブル）が採用されていたが、かかる開放順序テーブルにおける第一および第二の特別可変入賞装置２６０，２６８の開放順序は、前記実施形態のものに限定されるものではない。
【０４１８】
また、前記第二の実施形態では、大当たり遊技は１０ラウンドまでしか行われないようになっていたが、大当たり遊技のラウンド数は、前記第二の実施形態のものに限定されることなく、例えば、前記第一の実施形態と同様に、１６ラウンドまで行うようにしても良い。
【０４１９】
さらに、前記第一および第三の実施形態では、特別可変入賞装置４８，２５０は、二つであったが、特別可変入賞装置４８，２５０は三つ以上であっても良い。
【０４２０】
また、特別可変入賞装置４８，２５０が取り付けられる位置は、前記第一および第二の実施形態のものに限定されることはない。
【０４２１】
その他、一々列挙はしないが、本発明は、当業者の知識に基づいて種々なる変更，修正，改良等を加えた態様において実施され得るものであり、また、そのような実施態様が本発明の趣旨を逸脱しない限り、何れも、本発明の範囲内に含まれるものであることは、言うまでもない。
【図面の簡単な説明】
【０４２２】
【図１】本発明の第一の実施形態としてのパチンコ機の正面図である。
【図２】図１に示されたパチンコ機に採用されている特別可変入賞装置の正面図である。
【図３】図２に示された特別可変入賞装置の扉が開いた状態での斜視図である。
【図４】図２におけるＩＶ−ＩＶ断面図である。
【図５】図１に示されたパチンコ機に採用されている主制御回路のブロック図である。
【図６】図１に示されたパチンコ機に採用されている表示制御回路のブロック図である。
【図７】図１に示されたパチンコ機に採用されている賞球払出制御回路のブロック図である。
【図８】本実施形態の主制御ＣＰＵが実行する主制御側の遊技処理を示すフローチャートである。
【図９】本実施形態の主制御ＣＰＵが実行する始動入賞処理を示すフローチャートである。
【図１０】本実施形態の主制御ＣＰＵが実行する特図変動開始処理を示すフローチャートである。
【図１１】本実施形態の主制御ＣＰＵが実行する特図変動監視処理を示すフローチャートである。
【図１２】本実施形態の主制御ＣＰＵが実行する開始報知監視処理を示すフローチャートである。
【図１３】本実施形態の主制御ＣＰＵが実行する第一の装置開放処理を示すフローチャートである。
【図１４】本実施形態の主制御ＣＰＵが実行する第二の装置開放処理を示すフローチャートである。
【図１５】本実施形態の主制御ＣＰＵが実行する報知待ち処理を示すフローチャートである。
【図１６】本実施形態の主制御ＣＰＵが実行する中間報知監視処理を示すフローチャートである。
【図１７】本実施形態の主制御ＣＰＵが実行する終了報知監視処理を示すフローチャートである。
【図１８】本実施形態の表示制御ＣＰＵが実行する表示制御側の遊技処理を示すフローチャートである。
【図１９】本実施形態の表示制御ＣＰＵが実行する特図変動開始処理を示すフローチャートである。
【図２０】本実施形態の表示制御ＣＰＵが実行する特図変動監視処理を示すフローチャートである。
【図２１】本実施形態の表示制御ＣＰＵが実行する開始報知処理を示すフローチャートである。
【図２２】本実施形態の表示制御ＣＰＵが実行する開始報知監視処理を示すフローチャートである。
【図２３】本実施形態の表示制御ＣＰＵが実行する事前報知処理を示すフローチャートである。
【図２４】本実施形態の表示制御ＣＰＵが実行する開放報知監視処理を示すフローチャートである。
【図２５】本実施形態の表示制御ＣＰＵが実行する中間報知監視処理を示すフローチャートである。
【図２６】本実施形態の表示制御ＣＰＵが実行する終了報知監視処理を示すフローチャートである。
【図２７】本実施形態の払出制御ＣＰＵが実行する払出制御側の遊技処理を示すフローチャートである。
【図２８】本実施形態の払出制御ＣＰＵが実行する賞球払出開始処理を示すフローチャートである。
【図２９】本実施形態の払出制御ＣＰＵが実行する賞球払出監視処理を示すフローチャートである。
【図３０】大当たり遊技が開始される際に液晶表示器の表示画面を示す図面である。
【図３１】１の数字図柄が停止表示された状態を示す図面である。
【図３２】２の数字図柄が停止表示された状態を示す図面である。
【図３３】次に開放される特別可変入賞装置の報知が開始される前の液晶表示器の表示画面の状態を示す図面である。
【図３４】本発明の第二の実施形態のパチンコ機を示す正面図である。
【図３５】本発明の第二の実施形態のパチンコ機に採用される特別可変入賞装置の斜視図である。
【図３６】図３４に示された特別可変入賞装置の内部を説明するための図面である。
【図３７】本実施形態のパチンコ機に採用される主制御回路のブロック図である。
【図３８】本実施形態のパチンコ機に採用される表示制御回路のブロック図である。
【図３９】本実施形態の主制御ＣＰＵが実行する主制御側の遊技処理を示すフローチャートである。
【図４０】本実施形態の主制御ＣＰＵが実行する第一の装置開放処理を示すフローチャートである。
【図４１】本実施形態の主制御ＣＰＵが実行する第二の装置開放処理を示すフローチャートである。
【図４２】本実施形態の表示制御ＣＰＵが実行する表示制御側の遊技処理を示すフローチャートである。
【図４３】本実施形態の表示制御ＣＰＵが実行する事前報知開始処理を示すフローチャートである。
【図４４】本実施形態の表示制御ＣＰＵが実行する事前報知監視処理を示すフローチャートである。
【符号の説明】
【０４２３】
１０  パチンコ機
３４  液晶表示器
４８  特別可変入賞装置
【図１】
2005334507.tif 000048
【図２】
2005334507.tif 000049
【図３】
2005334507.tif 000050
【図４】
2005334507.tif 000051
【図５】
2005334507.tif 000052
【図６】
2005334507.tif 000053
【図７】
2005334507.tif 000054
【図８】
2005334507.tif 000055
【図９】
2005334507.tif 000056
【図１０】
2005334507.tif 000057
【図１１】
2005334507.tif 000058
【図１２】
2005334507.tif 000059
【図１３】
2005334507.tif 000060
【図１４】
2005334507.tif 000061
【図１５】
2005334507.tif 000062
【図１６】
2005334507.tif 000063
【図１７】
2005334507.tif 000064
【図１８】
2005334507.tif 000065
【図１９】
2005334507.tif 000066
【図２０】
2005334507.tif 000067
【図２１】
2005334507.tif 000068
【図２２】
2005334507.tif 000069
【図２３】
2005334507.tif 000070
【図２４】
2005334507.tif 000071
【図２５】
2005334507.tif 000072
【図２６】
2005334507.tif 000073
【図２７】
2005334507.tif 000074
【図２８】
2005334507.tif 000075
【図２９】
2005334507.tif 000076
【図３０】
2005334507.tif 000077
【図３１】
2005334507.tif 000078
【図３２】
2005334507.tif 000079
【図３３】
2005334507.tif 000080
【図３４】
2005334507.tif 000081
【図３５】
2005334507.tif 000082
【図３６】
2005334507.tif 000083
【図３７】
2005334507.tif 000084
【図３８】
2005334507.tif 000085
【図３９】
2005334507.tif 000086
【図４０】
2005334507.tif 000087
【図４１】
2005334507.tif 000088
【図４２】
2005334507.tif 000089
【図４３】
2005334507.tif 000090
【図４４】
2005334507.tif 000091